(57)【特許請求の範囲】
【請求項１】
ダウンリンク情報処理方法であって、
ユーザ機器ＵＥにより、ダウンリンク情報のセル固有周波数シフトを決定するステップであって、ダウンリンク情報の前記セル固有周波数シフトはセル固有参照信号（ＣＲＳ）のセル固有周波数シフトに等しく、前記ＣＲＳは、前記ＵＥの位置するセルのセル固有参照信号であり、前記ＣＲＳのパターンは３つのＣＲＳパターンのうちの１つであり、前記ダウンリンク情報は復調参照信号（ＤＭ−ＲＳ）、物理ダウンリンク制御チャネル（ＰＤＣＣＨ）、又は拡張物理ダウンリンク制御チャネル（ＥＰＤＣＣＨ）のうちのいずれか１つを含む、ステップと、
前記ＵＥにより、前記ダウンリンク情報の前記セル固有周波数シフトに従いリソースエレメント位置を決定するステップであって、前記リソースエレメント位置の属する送信時間間隔（ＴＴＩ）の期間は１タイムスロットの時間長以下である、ステップと、
前記ＵＥにより、前記リソースエレメント位置にある前記ダウンリンク情報を受信するステップと、
前記ＵＥにより、前記ダウンリンク情報に従いダウンリンクデータを復調するステップと、
を含む方法。
【請求項２】
前記ダウンリンク情報が前記ＤＭ−ＲＳを含み、且つ前記ＴＴＩの前記期間が１タイムスロットの前記時間長に等しい場合、前記ＵＥにより、前記ダウンリンク情報の前記セル固有周波数シフトに従いリソースエレメント位置を決定する前記ステップは、
前記ＵＥにより、前記ダウンリンク情報の前記セル固有周波数シフトに従い、前記リソースエレメント位置の周波数ドメインインデックスを決定するステップと、
前記ＵＥにより、時間ドメイン中間変数及び制御フォーマット指示子（ＣＦＩ）に従い、前記リソースエレメント位置の時間ドメインインデックスを決定するステップであって、前記時間ドメイン中間変数は、前記ＴＴＩの位置するサブフレームの種類に従い決定される変数であり、前記ＣＦＩは、前記ＵＥの位置するセルの物理制御フォーマット指示チャネル（ＰＣＦＩＣＨ）で伝達される制御フォーマット指示子情報である、ステップと、
前記ＵＥにより、前記リソースエレメント位置の前記周波数ドメインインデックス及び前記リソースエレメント位置の前記時間ドメインインデックスに従い、前記リソースエレメント位置を決定するステップと、
を含む、請求項１に記載の方法。
【請求項３】
前記ＵＥにより、前記ダウンリンク情報の前記セル固有周波数シフトに従い前記リソースエレメント位置の周波数ドメインインデックスを決定する前記ステップは、
前記ＵＥにより、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定するステップであって、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ステップ、を含む、請求項２に記載の方法。
【請求項４】
時間ドメイン中間変数及び制御フォーマット指示子（ＣＦＩ）に従い前記リソースエレメント位置の時間ドメインインデックスを決定する前記ステップは、
前記ＵＥにより、式
【数４】
0006448850.tif 000131
に従い前記リソースエレメント位置の前記時間ドメインインデックスｌを決定するステップであって、ｎｓは前記ＴＴＩの位置するタイムスロットのインデックスであり、ｌ’は前記時間ドメイン中間変数であり、
【数５】
0006448850.tif 000132
である、ステップを含む、請求項２に記載の方法。
【請求項５】
前記ダウンリンク情報が前記ＤＭ−ＲＳを含み、且つ前記ＴＴＩの前記期間が１シンボルの時間長以上であり且つ１タイムスロットの前記時間長より少ない場合、前記ＵＥにより、前記ダウンリンク情報の前記セル固有周波数シフトに従いリソースエレメント位置を決定する前記ステップは、
前記ＵＥにより、前記ダウンリンク情報の前記セル固有周波数シフトに従い、前記リソースエレメント位置の周波数ドメインインデックスを決定するステップと、
前記ＵＥにより、前記ＴＴＩに含まれるシンボルのインデックスを前記リソースエレメント位置の時間ドメインインデックスとして決定するステップであって、前記シンボルは直交周波数分割多重（ＯＦＤＭ）シンボル又はシングルキャリア周波数分割多重アクセス（ＳＣ−ＦＤＭＡ）シンボルである、ステップと、
前記ＵＥにより、前記リソースエレメント位置の前記周波数ドメインインデックス及び前記リソースエレメント位置の前記時間ドメインインデックスに従い、前記リソースエレメント位置を決定するステップと、
を含む、請求項１に記載の方法。
【請求項６】
前記ＵＥにより、前記ダウンリンク情報の前記セル固有周波数シフトに従い前記リソースエレメント位置の周波数ドメインインデックスを決定する前記ステップは、
前記ＵＥにより、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定するステップであって、ここで、ｍ’＝０又は１、ｋ’＝０又は３、
【数１１】
0006448850.tif 000133
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重（ＯＦＤＭ）シンボル又はシングルキャリア周波数分割多重アクセス（ＳＣ−ＦＤＭＡ）シンボルの数であり、ＣＦＩは前記ＵＥの位置する前記セルの物理制御フォーマット指示チャネル（ＰＣＦＩＣＨ）で伝達される制御フォーマット指示子情報であり、ｎｓは前記ＴＴＩの位置するタイムスロットのインデックスであり、ｌは前記リソースエレメント位置の前記時間ドメインインデックスである、ステップを含む、請求項５に記載の方法。
【請求項７】
ダウンリンク情報処理方法であって、
基地局により、ダウンリンク情報のセル固有周波数シフトを決定するステップであって、ダウンリンク情報の前記セル固有周波数シフトはセル固有参照信号（ＣＲＳ）のセル固有周波数シフトに等しく、前記ＣＲＳは、前記基地局により送信されるセル固有参照信号であり、前記ＣＲＳのパターンは３つのＣＲＳパターンのうちの１つであり、前記ダウンリンク情報は復調参照信号（ＤＭ−ＲＳ）、物理ダウンリンク制御チャネル（ＰＤＣＣＨ）、又は拡張物理ダウンリンク制御チャネル（ＥＰＤＣＣＨ）のうちのいずれか１つを含む、ステップと、
前記基地局により、前記ダウンリンク情報の前記セル固有周波数シフトに従いリソースエレメント位置を決定するステップであって、前記リソースエレメント位置の属する送信時間間隔（ＴＴＩ）の期間は１タイムスロットの時間長以下である、ステップと、
前記基地局により、前記リソースエレメント位置でＵＥへ前記ダウンリンク情報を送信するステップと、
を含む方法。
【請求項８】
前記ダウンリンク情報が前記ＤＭ−ＲＳを含み、且つ前記ＴＴＩの前記期間が１タイムスロットの前記時間長に等しい場合、前記基地局により、前記ダウンリンク情報の前記セル固有周波数シフトに従いリソースエレメント位置を決定する前記ステップは、
前記基地局により、前記ダウンリンク情報の前記セル固有周波数シフトに従い、前記リソースエレメント位置の周波数ドメインインデックスを決定するステップと、
前記基地局により、時間ドメイン中間変数及び制御フォーマット指示子（ＣＦＩ）に従い、前記リソースエレメント位置の時間ドメインインデックスを決定するステップであって、前記時間ドメイン中間変数は、前記ＴＴＩの位置するサブフレームの種類に従い決定される変数であり、前記ＣＦＩは、前記基地局により送信される物理制御フォーマット指示チャネル（ＰＣＦＩＣＨ）で伝達される制御フォーマット指示子情報である、ステップと、
前記基地局により、前記リソースエレメント位置の前記周波数ドメインインデックス及び前記リソースエレメント位置の前記時間ドメインインデックスに従い、前記リソースエレメント位置を決定するステップと、
を含む、請求項７に記載の方法。
【請求項９】
前記基地局により、前記ダウンリンク情報の前記セル固有周波数シフトに従い前記リソースエレメント位置の周波数ドメインインデックスを決定する前記ステップは、
前記基地局により、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定するステップであって、ここで、ｍ’＝０，１，又は２、ｋ’＝１又は０、ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトである、ステップ、を含む、請求項８に記載の方法。
【請求項１０】
前記基地局により、時間ドメイン中間変数及び制御フォーマット指示子（ＣＦＩ）に従い前記リソースエレメント位置の時間ドメインインデックスを決定する前記ステップは、
前記基地局により、式
【数２７】
0006448850.tif 000134
に従い前記リソースエレメント位置の前記時間ドメインインデックスｌを決定するステップであって、ｎｓは前記ＴＴＩの位置するタイムスロットのインデックスであり、ｌ’は前記時間ドメイン中間変数であり、
【数２８】
0006448850.tif 000135
である、ステップを含む、請求項８に記載の方法。
【請求項１１】
ユーザ機器ＵＥであって、プロセッサ及び受信機を含み、
前記プロセッサは、ダウンリンク情報のセル固有周波数シフトを決定するよう構成され、ダウンリンク情報の前記セル固有周波数シフトはセル固有参照信号（ＣＲＳ）のセル固有周波数シフトに等しく、前記ＣＲＳは、前記ＵＥの位置するセルのセル固有参照信号であり、前記ＣＲＳのパターンは３つのＣＲＳパターンのうちの１つであり、前記ダウンリンク情報は復調参照信号（ＤＭ−ＲＳ）、物理ダウンリンク制御チャネル（ＰＤＣＣＨ）、又は拡張物理ダウンリンク制御チャネル（ＥＰＤＣＣＨ）のうちのいずれか１つを含み、
前記プロセッサは、前記ダウンリンク情報の前記セル固有周波数シフトに従いリソースエレメント位置を決定するよう更に構成され、前記リソースエレメント位置の属する送信時間間隔（ＴＴＩ）の期間は１タイムスロットの時間長以下であり、
前記受信機は、前記リソースエレメント位置にある前記ダウンリンク情報を受信するよう構成され、
前記プロセッサは、前記ダウンリンク情報に従いダウンリンクデータを復調するよう更に構成される、
ＵＥ。
【請求項１２】
前記ダウンリンク情報が前記ＤＭ−ＲＳを含み、且つ前記ＴＴＩの前記期間が１タイムスロットの前記時間長に等しい場合、前記プロセッサが、前記ダウンリンク情報の前記セル固有周波数シフトに従い前記リソースエレメント位置を決定することは、
前記プロセッサが、前記ダウンリンク情報の前記セル固有周波数シフトに従い、前記リソースエレメント位置の周波数ドメインインデックスを決定し、時間ドメイン中間変数及び制御フォーマット指示子（ＣＦＩ）に従い、前記リソースエレメント位置の時間ドメインインデックスを決定し、前記時間ドメイン中間変数は、前記ＴＴＩの位置するサブフレームの種類に従い決定される変数であり、前記ＣＦＩは、前記ＵＥの位置する前記セルの物理制御フォーマット指示チャネル（ＰＣＦＩＣＨ）で伝達される制御フォーマット指示子情報であり、前記リソースエレメント位置の前記周波数ドメインインデックス及び前記リソースエレメント位置の前記時間ドメインインデックスに従い、前記リソースエレメント位置を決定する、ことを含む、請求項１１に記載のＵＥ。
【請求項１３】
前記プロセッサが、前記ダウンリンク情報の前記セル固有周波数シフトに従い前記リソースエレメント位置の周波数ドメインインデックスｋを決定することは、
前記プロセッサが、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定し、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトである、ことを含む、請求項１２に記載のＵＥ。
【請求項１４】
前記プロセッサが、時間ドメイン中間変数及び制御フォーマット指示子（ＣＦＩ）に従い前記リソースエレメント位置の時間ドメインインデックスを決定することは、
前記プロセッサが、式
【数９６】
0006448850.tif 000136
に従い前記リソースエレメント位置の前記時間ドメインインデックスｌを決定し、ここで、ｎｓは前記ＴＴＩの位置するタイムスロットのインデックスであり、ｌ’は前記時間ドメイン中間変数であり、
【数９７】
0006448850.tif 000137
である、ことを含む、請求項１２に記載のＵＥ。
【請求項１５】
前記ダウンリンク情報が前記ＤＭ−ＲＳを含み、且つ前記ＴＴＩの前記期間が１シンボルの時間長以上であり且つ１タイムスロットの前記時間長より少ない場合、前記プロセッサが、前記ダウンリンク情報の前記セル固有周波数シフトに従い前記リソースエレメント位置を決定することは、
前記プロセッサが、前記ダウンリンク情報の前記セル固有周波数シフトに従い、前記リソースエレメント位置の周波数ドメインインデックスを決定し、前記ＴＴＩに含まれるシンボルのインデックスを前記リソースエレメント位置の時間ドメインインデックスとして決定し、前記シンボルは直交周波数分割多重（ＯＦＤＭ）シンボル又はシングルキャリア周波数分割多重アクセス（ＳＣ−ＦＤＭＡ）シンボルであり、前記リソースエレメント位置の前記周波数ドメインインデックス及び前記リソースエレメント位置の前記時間ドメインインデックスに従い、前記リソースエレメント位置を決定する、ことを含む、請求項１１に記載のＵＥ。
【請求項１６】
前記プロセッサが、前記ダウンリンク情報の前記セル固有周波数シフトに従い前記リソースエレメント位置の周波数ドメインインデックスを決定することは、
前記プロセッサが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【数１０３】
0006448850.tif 000138
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重（ＯＦＤＭ）シンボル又はシングルキャリア周波数分割多重アクセス（ＳＣ−ＦＤＭＡ）シンボルの数であり、ＣＦＩは前記ＵＥの位置する前記セルの物理制御フォーマット指示チャネル（ＰＣＦＩＣＨ）で伝達される制御フォーマット指示子情報であり、ｎｓは前記ＴＴＩの位置するタイムスロットのインデックスであり、ｌは前記リソースエレメント位置の前記時間ドメインインデックスである、ことを含む、請求項１５に記載のＵＥ。
【請求項１７】
基地局であって、プロセッサ及び送信機を含み、
前記プロセッサは、ダウンリンク情報のセル固有周波数シフトを決定するよう構成され、ダウンリンク情報の前記セル固有周波数シフトはセル固有参照信号（ＣＲＳ）のセル固有周波数シフトに等しく、前記ＣＲＳは、前記基地局により送信されるセル固有参照信号であり、前記ＣＲＳのパターンは３つのＣＲＳパターンのうちの１つであり、前記ダウンリンク情報は復調参照信号（ＤＭ−ＲＳ）、物理ダウンリンク制御チャネル（ＰＤＣＣＨ）、又は拡張物理ダウンリンク制御チャネル（ＥＰＤＣＣＨ）のうちのいずれか１つを含み、
前記プロセッサは、前記ダウンリンク情報の前記セル固有周波数シフトに従いリソースエレメント位置を決定するよう更に構成され、前記リソースエレメント位置の属する送信時間間隔（ＴＴＩ）の期間は１タイムスロットの時間長以下であり、
前記送信機は、前記リソースエレメント位置で前記ＵＥへ前記ダウンリンク情報を送信する、
基地局。
【請求項１８】
前記ダウンリンク情報が前記ＤＭ−ＲＳを含み、且つ前記ＴＴＩの前記期間が１タイムスロットの前記時間長に等しい場合、前記プロセッサが、前記ダウンリンク情報の前記セル固有周波数シフトに従い前記リソースエレメント位置を決定することは、
前記プロセッサが、前記ダウンリンク情報の前記セル固有周波数シフトに従い、前記リソースエレメント位置の周波数ドメインインデックスを決定し、時間ドメイン中間変数及び制御フォーマット指示子（ＣＦＩ）に従い、前記リソースエレメント位置の時間ドメインインデックスを決定し、前記時間ドメイン中間変数は、前記ＴＴＩの位置するサブフレームの種類に従い決定される変数であり、前記ＣＦＩは、前記基地局により送信される物理制御フォーマット指示チャネル（ＰＣＦＩＣＨ）で伝達される制御フォーマット指示子情報であり、前記リソースエレメント位置の前記周波数ドメインインデックス及び前記リソースエレメント位置の前記時間ドメインインデックスに従い、前記リソースエレメント位置を決定する、ことを含む、請求項１７に記載の基地局。
【請求項１９】
前記プロセッサが、前記ダウンリンク情報の前記セル固有周波数シフトに従い前記リソースエレメント位置の周波数ドメインインデックスｋを決定することは、
前記プロセッサが、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定し、ここで、ｍ’＝０，１，又は２、ｋ’＝１又は０、ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトである、ことを含む、請求項１８に記載の基地局。
【請求項２０】
前記プロセッサが、時間ドメイン中間変数及び制御フォーマット指示子（ＣＦＩ）に従い前記リソースエレメント位置の時間ドメインインデックスを決定することは、
前記プロセッサが、式
【数１１９】
0006448850.tif 000139
に従い前記リソースエレメント位置の前記時間ドメインインデックスｌを決定し、ここで、ｎｓは前記ＴＴＩの位置するタイムスロットのインデックスであり、ｌ’は前記時間ドメイン中間変数であり、
【数１２０】
0006448850.tif 000140
である、ことを含む、請求項１８に記載の基地局。
【請求項２１】
コンピュータに請求項１乃至６のいずれか一項に記載の方法を実行させるコードを含むコンピュータ可読記憶媒体。
【発明の詳細な説明】
【技術分野】
【０００１】
本発明の実施形態は、通信技術に関し、特に、ダウンリンク情報処理方法、ユーザ機器、基地局、及び通信システムに関する。
【背景技術】
【０００２】
ロングタームエボリューション（Long  Term  Evolution、略してＬＴＥ）ダウンリンクシステムでは、送信時間間隔（Transmission  Time  Interval、略してＴＴＩ）は、制御領域及びデータ領域を含む。制御領域は、主に、物理ダウンリンク制御チャネル（Physical  downlink  Control  Channel、略してＰＤＣＣＨ）のようなチャネルを用いて制御情報を送信するために使用される。データ領域は、主に、物理ダウンリンク共有チャネル（Physical  Downlink  Shared  Channel、略してＰＤＳＣＨ）のようなチャネルを用いてデータ情報を送信するために使用される。さらに、拡張物理ダウンリンク制御チャネル（Enhanced  Physical  downlink  Control  Channel、略してＥＰＤＣＣＨ）は、ＰＤＣＣＨの補足及び拡張としてデータ領域に更に含まれて良い。ＬＴＥダウンリンク送信処理では、ユーザ機器（User  Equipment、略してＵＥ）は、ダウンリンク情報に従いＰＤＳＣＨ上のダウンリンクデータを復調する必要がある。ダウンリンク情報が復調参照信号（Demodulation  Reference  Signal、略してＤＭ−ＲＳ）である一例が、復調処理を説明するために使用される。概して、処理は具体的には次の通りである。ＵＥは、先ず、基地局により送信されたＤＭ−ＲＳを受信し、ＤＭ−ＲＳに従いチャネル推定結果を取得し、ダウンリンク制御情報（Downlink  Control  Information、略してＤＣＩ）のスケジューリング情報を決定するためにＤＭ−ＲＳを用いてＥＰＤＣＣＨを復調し、ＤＣＩ及びチャネル推定結果に従いＰＤＳＣＨ上のダウンリンクデータを復調する。ＵＥがＰＤＳＣＨ上のダウンリンクデータを正しく復調できた場合、ＵＥは、肯定応答（Acknowledge、略してＡＣＫ）を基地局へフィードバックする。あるいは、ＵＥがＰＤＳＣＨ上のダウンリンクデータを正しく復調できなかった場合、ＵＥは、否定応答（Negative  Acknowledge、略してＮＡＣＫ）を基地局へフィードバックする。
【０００３】
既存ＬＴＥシステムにおけるＴＴＩは１ｍｓである。より短い往復時間及びより短いデータ送信遅延を達成するために、現在、ＴＴＩの長さがより短く設定されるシナリオが、ＬＴＥシステムの最新ソリューションにおいて提案されている。例えば、ＴＴＩの長さが、０．５ミリ秒、１シンボルの時間長、等に設定される。図１は、従来技術における１ＴＴＩのタイムスロット構造の一般的概略図である。図１に示すように、１ＴＴＩは、２個のタイムスロット（slot）：第１タイムスロット０及び第２タイムスロット１を含む。タイムスロット当たり７個のシンボルがある。従来技術におけるプロトコル仕様によると、ＤＭ−ＲＳ位置は、ｓｌｏｔ０及びｓｌｏｔ１の最後の２個のシンボルで定められる。１ｍｓのＴＴＩを有する既存ＬＴＥシステムでは、ＵＥは、ｍ番目のサブフレームでダウンリンク情報を受信し、次にダウンリンクデータを復調し、アップリンクチャネルを用いて（ｍ＋４）番目のサブフレームで肯定応答情報を送信する。同様に、ＬＴＥシステムにおけるＴＴＩが１タイムスロットの時間長のＴＴＩに変わった場合、つまり、１ＴＴＩが１タイムスロットのみを含む場合、ＵＥは、ｎ番目のタイムスロットでダウンリンク情報を受信し、次にダウンリンクデータを復調し、アップリンクチャネルを用いて（ｎ＋４）番目のタイムスロットで肯定応答情報を送信する。
【０００４】
従来技術における復調方法によると、ＴＴＩの期間がより短くなると、ＴＴＩはタイムスロットの最後の２個のシンボルを含まないことがある。したがって、ＵＥは、ＴＴＩの範囲内でダウンリンク情報を受信できず、結果として、ＵＥがダウンリンクデータの後の復調を完了できないという技術的問題を生じる。
【発明の概要】
【０００５】
本発明の実施形態は、ＵＥが、ダウンリンク復調処理を完了するために、１タイムスロットの時間期間以下の期間のＴＴＩの範囲内で、基地局により配信されるダウンリンク情報を受信できるように、ダウンリンク情報処理方法、ユーザ機器、基地局、及び通信システムを提供する。
【０００６】
第１の態様によると、本発明の一実施形態は、ダウンリンク情報処理方法であって、
ユーザ機器ＵＥにより、前記ダウンリンク情報のセル固有周波数シフトがセル固有参照信号ＣＲＳのセル固有周波数シフトに等しいことを決定するステップであって、前記ＣＲＳは、前記ＵＥの位置するセルのセル固有参照信号である、ステップと、
前記ＵＥにより、前記ダウンリンク情報の前記セル固有周波数シフトに従いリソースエレメント位置を決定するステップであって、前記リソースエレメント位置の属する送信時間間隔ＴＴＩの期間は１タイムスロットの時間長以下である、ステップと、
前記ＵＥにより、前記リソースエレメント位置にある前記ダウンリンク情報を受信するステップと、
前記ＵＥにより、前記ダウンリンク情報に従いダウンリンクデータを復調するステップと、
を含む方法を提供する。
【０００７】
第１の態様を参照して、第１の態様の第１の可能な実装では、前記ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【０００８】
第１の態様の第１の可能な実装を参照して、第１の態様の第２の可能な実装では、前記ダウンリンク情報が前記ＤＭ−ＲＳを含み、且つ前記ＴＴＩの前記期間が１タイムスロットの前記時間長に等しい場合、前記ＵＥにより、前記ダウンリンク情報の前記セル固有周波数シフトに従いリソースエレメント位置を決定する前記ステップは、
前記ＵＥにより、前記ダウンリンク情報の前記セル固有周波数シフトに従い、前記リソースエレメント位置の周波数ドメインインデックスを決定するステップと、
前記ＵＥにより、時間ドメイン中間変数に従い、前記リソースエレメント位置の時間ドメインインデックスを決定するステップと、
前記ＵＥにより、前記リソースエレメント位置の前記周波数ドメインインデックス及び前記リソースエレメント位置の前記時間ドメインインデックスに従い、前記リソースエレメント位置を決定するステップと、
を含み、前記時間ドメイン中間変数は、前記ＴＴＩの位置するサブフレームの種類に従い決定される変数である。
【０００９】
第１の態様の第１の可能な実装を参照して、第１の態様の第３の可能な実装では、前記ダウンリンク情報が前記ＤＭ−ＲＳを含み、且つ前記ＴＴＩの前記期間が１タイムスロットの前記時間長に等しい場合、前記ＵＥにより、前記ダウンリンク情報の前記セル固有周波数シフトに従いリソースエレメント位置を決定する前記ステップは、
前記ＵＥにより、前記ダウンリンク情報の前記セル固有周波数シフトに従い、前記リソースエレメント位置の周波数ドメインインデックスを決定するステップと、
前記ＵＥにより、時間ドメイン中間変数及び制御フォーマット指示子ＣＦＩに従い、前記リソースエレメント位置の時間ドメインインデックスを決定するステップであって、前記時間ドメイン中間変数は、前記ＴＴＩの位置するサブフレームの種類に従い決定される変数であり、前記ＣＦＩは、前記ＵＥの位置するセルの物理制御フォーマット指示チャネルＰＣＦＩＣＨで伝達される制御フォーマット指示子情報である、ステップと、
前記ＵＥにより、前記リソースエレメント位置の前記周波数ドメインインデックス及び前記リソースエレメント位置の前記時間ドメインインデックスに従い、前記リソースエレメント位置を決定するステップと、
を含む。
【００１０】
第１の態様の第２又は第３の可能な実装を参照して、第１の態様の第４の可能な実装では、前記ＵＥにより、前記ダウンリンク情報の前記セル固有周波数シフトに従い前記リソースエレメント位置の周波数ドメインインデックスを決定する前記ステップは、
前記ＵＥにより、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定するステップであって、ここで、ｍ’＝０、１、又は２、ｋ’＝０又は１、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ステップと、を含む。
【００１１】
第１の態様の第２の可能な実装を参照して、第１の態様の第５の可能な実装では、時間ドメイン中間変数に従い前記リソースエレメント位置の時間ドメインインデックスを決定する前記ステップは、
前記ＵＥにより、式ｌ＝ｌ’ｍｏｄ２に従い前記リソースエレメント位置の前記時間ドメインインデックスｌを決定するステップであって、ｌ’は前記時間ドメイン中間変数であり、
【００１２】
【数３】
0006448850.tif 000002
ここで、ｎｓは前記ＴＴＩの位置するタイムスロットのインデックスである、ステップを含む。
【００１３】
第１の態様の第３の可能な実装を参照して、第１の態様の第６の可能な実装では、時間ドメイン中間変数及び制御フォーマット指示子ＣＦＩに従い前記リソースエレメント位置の時間ドメインインデックスを決定する前記ステップは、
前記ＵＥにより、式
【００１４】
【数４】
0006448850.tif 000003
に従い前記リソースエレメント位置の前記時間ドメインインデックスｌを決定するステップであって、ここで、ｎｓは前記ＴＴＩの位置するタイムスロットのインデックスであり、ｌ’は前記時間ドメイン中間変数であり、
【００１５】
【数５】
0006448850.tif 000004
である、ステップを含む。
【００１６】
第１の態様の第１の可能な実装を参照して、第１の態様の第７の可能な実装では、前記ダウンリンク情報が前記ＤＭ−ＲＳを含み、且つ前記ＴＴＩの前記期間が１シンボルの時間長以上であり且つ１タイムスロットの前記時間長より少ない場合、前記ＵＥにより、前記ダウンリンク情報の前記セル固有周波数シフトに従いリソースエレメント位置を決定する前記ステップは、
前記ＵＥにより、前記ダウンリンク情報の前記セル固有周波数シフトに従い、前記リソースエレメント位置の周波数ドメインインデックスを決定するステップと、
前記ＵＥにより、前記ＴＴＩに含まれるシンボルのインデックスを前記リソースエレメント位置の時間ドメインインデックスとして決定するステップであって、前記シンボルは直交周波数分割多重ＯＦＤＭシンボル又はシングルキャリア周波数分割多重アクセスＳＣ−ＦＤＭＡシンボルである、ステップと、
前記ＵＥにより、前記リソースエレメント位置の前記周波数ドメインインデックス及び前記リソースエレメント位置の前記時間ドメインインデックスに従い、前記リソースエレメント位置を決定するステップと、
を含む。
【００１７】
第１の態様の第７の可能な実装を参照して、第１の態様の第８の可能な実装では、前記ＵＥにより、前記ダウンリンク情報の前記セル固有周波数シフトに従い前記リソースエレメント位置の周波数ドメインインデックスを決定する前記ステップは、
前記ＵＥにより、式ｋ＝６ｍ’＋ＮＲＢｓｃｎＰＲＢ＋（ｋ’＋νｓｈｉｆｔ２）ｍｏｄ６；ｌ≠ｌ’’
に従い前記リソースエレメント位置の前記周波数ドメインインデックスｋを決定するステップであって、ここで、ｍ’＝０又は１、ｋ’＝０又は３、
【００１８】
【数７】
0006448850.tif 000005
ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｌは前記リソースエレメント位置の前記時間ドメインインデックスである、ステップと、を含む。
【００１９】
第１の態様の第７の可能な実装を参照して、第１の態様の第９の可能な実装では、前記ＵＥにより、前記ダウンリンク情報の前記セル固有周波数シフトに従い前記リソースエレメント位置の周波数ドメインインデックスを決定する前記ステップは、
前記ＵＥにより、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定するステップであって、ここで、ｍ’＝０又は１、ｋ’＝０又は３、
【００２０】
【数１１】
0006448850.tif 000006
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ＣＦＩは前記ＵＥの位置する前記セルの物理制御フォーマット指示チャネルＰＣＦＩＣＨで伝達される制御フォーマット指示子情報であり、ｎｓは前記ＴＴＩの位置するタイムスロットのインデックスであり、ｌは前記リソースエレメント位置の前記時間ドメインインデックスである、ステップを含む。
【００２１】
第１の態様の第１の可能な実装を参照して、第１の態様の第１０の可能な実装では、前記ダウンリンク情報が前記ＰＤＣＣＨ又は前記ＥＰＤＣＣＨを含む場合、前記ＵＥにより、前記ダウンリンク情報の前記セル固有周波数シフトに従いリソースエレメント位置を決定する前記ステップは、
前記ＵＥにより、式
【００２２】
【数１４】
0006448850.tif 000007
に従い前記リソースエレメント位置の周波数ドメインインデックスｋを決定するステップであって、ここで、ｍ’＝０又は１、
【００２３】
【数１５】
0006448850.tif 000008
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のうちのいずれか若しくは組合せである、ステップと、
前記ＵＥにより、前記ＴＴＩに含まれるシンボルのインデックスを前記リソースエレメント位置の時間ドメインインデックスｌとして決定するステップであって、前記シンボルは直交周波数分割多重ＯＦＤＭシンボル又はシングルキャリア周波数分割多重アクセスＳＣ−ＦＤＭＡシンボルである、ステップと、
前記ＵＥにより、前記リソースエレメント位置の前記周波数ドメインインデックス及び前記リソースエレメント位置の前記時間ドメインインデックスに従い前記リソースエレメント位置を決定するステップと、
を含む。
【００２４】
第１の態様の第１の可能な実装を参照して、第１の態様の第１１の可能な実装では、前記ダウンリンク情報が前記ＰＤＣＣＨ又は前記ＥＰＤＣＣＨを含む場合、前記ＵＥにより、前記ダウンリンク情報の前記セル固有周波数シフトに従いリソースエレメント位置を決定する前記ステップは、
前記ＵＥにより、式
【００２５】
【数１８】
0006448850.tif 000009
に従い前記リソースエレメント位置の周波数ドメインインデックスｋを決定するステップであって、ここで、ｍ’＝０又は１、
【００２６】
【数１９】
0006448850.tif 000010
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のうちのいずれか若しくは組合せであり、ＣＦＩは前記ＵＥの位置する前記セルの物理制御フォーマット指示チャネルＰＣＦＩＣＨで伝達される制御フォーマット指示子情報であり、ｎｓは前記ＴＴＩの位置するタイムスロットのインデックスである、ステップと、
前記ＵＥにより、前記ＴＴＩに含まれるシンボルのインデックスを前記リソースエレメント位置の時間ドメインインデックスｌとして決定するステップであって、前記シンボルは直交周波数分割多重ＯＦＤＭシンボル又はシングルキャリア周波数分割多重アクセスＳＣ−ＦＤＭＡシンボルである、ステップと、
前記ＵＥにより、前記リソースエレメント位置の前記周波数ドメインインデックス及び前記リソースエレメント位置の前記時間ドメインインデックスに従い前記リソースエレメント位置を決定するステップと、
を含む。
【００２７】
第１の態様のいずれかの可能な実装を参照して、第１の態様の第１２の可能な実装では、ユーザ機器ＵＥにより、前記ダウンリンク情報のセル固有周波数シフトがセル固有参照信号ＣＲＳのセル固有周波数シフトに等しいことを決定する前記ステップの前に、前記方法は、
前記ＵＥにより、式νｓｈｉｆｔ１＝ＮｃｅｌｌＩＤｍｏｄ６に従い前記ＣＲＳの前記セル固有周波数シフトνｓｈｉｆｔ１を決定するステップであって、ＮｃｅｌｌＩＤは前記ＵＥの位置する前記セルの物理レイヤセル識別子である、ステップ、を更に含む。
【００２８】
第２の態様によると、本発明の実施形態は、ダウンリンク情報処理方法であって、
基地局により、前記ダウンリンク情報のセル固有周波数シフトがセル固有参照信号ＣＲＳのセル固有周波数シフトに等しいことを決定するステップであって、前記ＣＲＳは、前記基地局により送信されるセル固有参照信号である、ステップと、
前記基地局により、前記ダウンリンク情報の前記セル固有周波数シフトに従いリソースエレメント位置を決定するステップであって、前記リソースエレメント位置の属する送信時間間隔ＴＴＩの期間は１タイムスロットの時間長以下である、ステップと、
前記基地局により、前記リソースエレメント位置でＵＥへ前記ダウンリンク情報を送信するステップと、
を含む方法を提供する。
【００２９】
第２の態様を参照して、第２の態様の第１の可能な実装では、前記ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【００３０】
第２の態様の第１の可能な実装を参照して、第２の態様の第２の可能な実装では、前記ダウンリンク情報が前記ＤＭ−ＲＳを含み、且つ前記ＴＴＩの前記期間が１タイムスロットの前記時間長に等しい場合、前記基地局により、前記ダウンリンク情報の前記セル固有周波数シフトに従いリソースエレメント位置を決定する前記ステップは、
前記基地局により、前記ダウンリンク情報の前記セル固有周波数シフトに従い、前記リソースエレメント位置の周波数ドメインインデックスを決定するステップと、
前記基地局により、時間ドメイン中間変数に従い、前記リソースエレメント位置の時間ドメインインデックスを決定するステップであって、前記時間ドメイン中間変数は、前記ＴＴＩの位置するサブフレームの種類に従い決定される変数である、ステップと、
前記基地局により、前記リソースエレメント位置の前記周波数ドメインインデックス及び前記リソースエレメント位置の前記時間ドメインインデックスに従い、前記リソースエレメント位置を決定するステップと、
を含む。
【００３１】
第２の態様の第１の可能な実装を参照して、第２の態様の第３の可能な実装では、前記ダウンリンク情報が前記ＤＭ−ＲＳを含み、且つ前記ＴＴＩの前記期間が１タイムスロットの前記時間長に等しい場合、前記基地局により、前記ダウンリンク情報の前記セル固有周波数シフトに従いリソースエレメント位置を決定する前記ステップは、
前記基地局により、前記ダウンリンク情報の前記セル固有周波数シフトに従い、前記リソースエレメント位置の周波数ドメインインデックスを決定するステップと、
前記基地局により、時間ドメイン中間変数及び制御フォーマット指示子ＣＦＩに従い、前記リソースエレメント位置の時間ドメインインデックスを決定するステップであって、前記時間ドメイン中間変数は、前記ＴＴＩの位置するサブフレームの種類に従い決定される変数であり、前記ＣＦＩは、前記基地局により送信される物理制御フォーマット指示チャネルＰＣＦＩＣＨで伝達される制御フォーマット指示子情報である、ステップと、
前記基地局により、前記リソースエレメント位置の前記周波数ドメインインデックス及び前記リソースエレメント位置の前記時間ドメインインデックスに従い、前記リソースエレメント位置を決定するステップと、
を含む。
【００３２】
第２の態様の第２又は第３の可能な実装を参照して、第２の態様の第４の可能な実装では、前記基地局により、前記ダウンリンク情報の前記セル固有周波数シフトに従い前記リソースエレメント位置の周波数ドメインインデックスを決定する前記ステップは、
前記基地局により、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定するステップであって、ここで、ｍ’＝０、１、又は２、ｋ’＝１又は０、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ステップと、を含む。
【００３３】
第２の態様の第２の可能な実装を参照して、第２の態様の第５の可能な実装では、時間ドメイン中間変数に従い前記リソースエレメント位置の時間ドメインインデックスを決定する前記ステップは、
前記基地局により、式ｌ＝ｌ’ｍｏｄ２に従い前記リソースエレメント位置の前記時間ドメインインデックスｌを決定するステップであって、ｌ’は前記時間ドメイン中間変数であり、
【００３４】
【数２６】
0006448850.tif 000011
ここで、ｎｓは前記ＴＴＩの位置するタイムスロットのインデックスである、ステップを含む。
【００３５】
第２の態様の第３の可能な実装を参照して、第２の態様の第６の可能な実装では、時間ドメイン中間変数及び制御フォーマット指示子ＣＦＩに従い前記リソースエレメント位置の時間ドメインインデックスを決定する前記ステップは、
前記基地局により、式
【００３６】
【数２７】
0006448850.tif 000012
に従い前記リソースエレメント位置の前記時間ドメインインデックスｌを決定するステップであって、ここで、ｎｓは前記ＴＴＩの位置するタイムスロットのインデックスであり、ｌ’は前記時間ドメイン中間変数であり、
【００３７】
【数２８】
0006448850.tif 000013
である、ステップを含む。
【００３８】
第２の態様の第１の可能な実装を参照して、第２の態様の第７の可能な実装では、前記ダウンリンク情報が前記ＤＭ−ＲＳを含み、且つ前記ＴＴＩの前記期間が１シンボルの時間長以上であり且つ１タイムスロットの前記時間長より少ない場合、前記基地局により、前記ダウンリンク情報の前記セル固有周波数シフトに従いリソースエレメント位置を決定する前記ステップは、
前記基地局により、前記ダウンリンク情報の前記セル固有周波数シフトに従い、前記リソースエレメント位置の周波数ドメインインデックスを決定するステップと、
前記基地局により、前記ＴＴＩに含まれるシンボルのインデックスを前記リソースエレメント位置の時間ドメインインデックスとして決定するステップであって、前記シンボルは直交周波数分割多重ＯＦＤＭシンボル又はシングルキャリア周波数分割多重アクセスＳＣ−ＦＤＭＡシンボルである、ステップと、
前記基地局により、前記リソースエレメント位置の前記周波数ドメインインデックス及び前記リソースエレメント位置の前記時間ドメインインデックスに従い、前記リソースエレメント位置を決定するステップと、
を含む。
【００３９】
第２の態様の第７の可能な実装を参照して、第２の態様の第８の可能な実装では、前記基地局により、前記ダウンリンク情報の前記セル固有周波数シフトに従い前記リソースエレメント位置の周波数ドメインインデックスを決定する前記ステップは、
前記基地局により、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定するステップであって、ここで、ｍ’＝０又は１、ｋ’＝０又は３、
【００４０】
【数３０】
0006448850.tif 000014
ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｌは前記リソースエレメント位置の前記時間ドメインインデックスである、ステップと、を含む。
【００４１】
第２の態様の第７の可能な実装を参照して、第２の態様の第９の可能な実装では、前記ダウンリンク情報の前記セル固有周波数シフトに従い前記リソースエレメント位置の周波数ドメインインデックスを決定する前記ステップは、
前記基地局により、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定するステップであって、ここで、ｍ’＝０又は１、ｋ’＝０又は３、
【００４２】
【数３４】
0006448850.tif 000015
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ＣＦＩは前記基地局により送信される物理制御フォーマット指示チャネルＰＣＦＩＣＨで伝達される制御フォーマット指示子情報であり、ｎｓは前記ＴＴＩの位置するタイムスロットのインデックスであり、ｌは前記リソースエレメント位置の前記時間ドメインインデックスである、ステップを含む。
【００４３】
第２の態様の第１の可能な実装を参照して、第２の態様の第１０の可能な実装では、前記ダウンリンク情報が前記ＰＤＣＣＨ又は前記ＥＰＤＣＣＨを含む場合、前記基地局により、前記ダウンリンク情報の前記セル固有周波数シフトに従いリソースエレメント位置を決定する前記ステップは、
前記基地局により、式
【００４４】
【数３７】
0006448850.tif 000016
に従い前記リソースエレメント位置の周波数ドメインインデックスｋを決定するステップであって、ここで、ｍ’＝０又は１、
【００４５】
【数３８】
0006448850.tif 000017
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のうちのいずれか若しくは組合せである、ステップと、
前記基地局により、前記ＴＴＩに含まれるシンボルのインデックスを前記リソースエレメント位置の時間ドメインインデックスｌとして決定するステップであって、前記シンボルは直交周波数分割多重ＯＦＤＭシンボル又はシングルキャリア周波数分割多重アクセスＳＣ−ＦＤＭＡシンボルである、ステップと、
前記基地局により、前記リソースエレメント位置の前記周波数ドメインインデックス及び前記リソースエレメント位置の前記時間ドメインインデックスに従い前記リソースエレメント位置を決定するステップと、
を含む。
【００４６】
第２の態様の第１の可能な実装を参照して、第２の態様の第１１の可能な実装では、前記ダウンリンク情報が前記ＰＤＣＣＨ又は前記ＥＰＤＣＣＨを含む場合、前記基地局により、前記ダウンリンク情報の前記セル固有周波数シフトに従いリソースエレメント位置を決定する前記ステップは、
前記基地局により、式
【００４７】
【数４１】
0006448850.tif 000018
に従い前記リソースエレメント位置の周波数ドメインインデックスｋを決定するステップであって、ここで、ｍ’＝０又は１、
【００４８】
【数４２】
0006448850.tif 000019
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のうちのいずれか若しくは組合せであり、ＣＦＩは前記基地局により送信される物理制御フォーマット指示チャネルＰＣＦＩＣＨで伝達される制御フォーマット指示子であり、ｎｓは前記ＴＴＩの位置するタイムスロットのインデックスである、ステップと、
前記基地局により、前記ＴＴＩに含まれるシンボルのインデックスを前記リソースエレメント位置の時間ドメインインデックスｌとして決定するステップであって、前記シンボルは直交周波数分割多重ＯＦＤＭシンボル又はシングルキャリア周波数分割多重アクセスＳＣ−ＦＤＭＡシンボルである、ステップと、
前記基地局により、前記リソースエレメント位置の前記周波数ドメインインデックス及び前記リソースエレメント位置の前記時間ドメインインデックスに従い前記リソースエレメント位置を決定するステップと、
を含む。
【００４９】
第２の態様のいずれかの可能な実装を参照して、第２の態様の第１２の可能な実装では、基地局により、前記ダウンリンク情報のセル固有周波数シフトがセル固有参照信号ＣＲＳのセル固有周波数シフトに等しいことを決定する前記ステップの前に、前記方法は、
前記基地局により、式νｓｈｉｆｔ１＝ＮｃｅｌｌＩＤｍｏｄ６に従い前記ＣＲＳの前記セル固有周波数シフトνｓｈｉｆｔ１を決定するステップであって、ＮｃｅｌｌＩＤは前記ＵＥの位置する前記セルの物理レイヤセル識別子である、ステップ、を更に含む。
【００５０】
第３の態様によると、本発明の実施形態は、ユーザ機器ＵＥであって、
ダウンリンク情報のセル固有周波数シフトがセル固有参照信号ＣＲＳのセル固有周波数シフトに等しいことを決定するよう構成される決定モジュールであって、前記ＣＲＳは、前記ＵＥの位置するセルのセル固有参照信号である、決定モジュールと、
前記ダウンリンク情報の前記セル固有周波数シフトに従いリソースエレメント位置を決定するよう構成される処理モジュールであって、前記リソースエレメント位置の属する送信時間間隔ＴＴＩの期間は１タイムスロットの時間長以下である、処理モジュールと、
前記リソースエレメント位置にある前記ダウンリンク情報を受信するよう構成される受信モジュールと、
前記ダウンリンク情報に従いダウンリンクデータを復調するよう構成される復調モジュールと、
を含むＵＥを提供する。
【００５１】
第３の態様を参照して、第３の態様の第１の可能な実装では、前記ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【００５２】
第３の態様の第１の可能な実装を参照して、第３の態様の第２の可能な実装では、前記ダウンリンク情報が前記ＤＭ−ＲＳを含み、且つ前記ＴＴＩの前記期間が１タイムスロットの前記時間長に等しい場合、前記処理モジュールが、前記ダウンリンク情報の前記セル固有周波数シフトに従いリソースエレメント位置を決定することは、
前記処理モジュールが、前記ダウンリンク情報の前記セル固有周波数シフトに従い、前記リソースエレメント位置の周波数ドメインインデックスを決定し、時間ドメイン中間変数に従い、前記リソースエレメント位置の時間ドメインインデックスを決定し、前記リソースエレメント位置の前記周波数ドメインインデックス及び前記リソースエレメント位置の前記時間ドメインインデックスに従い、前記リソースエレメント位置を決定することを含み、前記時間ドメイン中間変数は、前記ＴＴＩの位置するサブフレームの種類に従い決定される変数である。
【００５３】
第３の態様の第１の可能な実装を参照して、第３の態様の第３の可能な実装では、前記ダウンリンク情報が前記ＤＭ−ＲＳを含み、且つ前記ＴＴＩの前記期間が１タイムスロットの前記時間長に等しい場合、前記処理モジュールが、前記ダウンリンク情報の前記セル固有周波数シフトに従いリソースエレメント位置を決定することは、
前記処理モジュールが、前記ダウンリンク情報の前記セル固有周波数シフトに従い、前記リソースエレメント位置の周波数ドメインインデックスを決定し、時間ドメイン中間変数及び制御フォーマット指示子ＣＦＩに従い、前記リソースエレメント位置の時間ドメインインデックスを決定し、前記時間ドメイン中間変数は、前記ＴＴＩの位置するサブフレームの種類に従い決定される変数であり、前記ＣＦＩは、前記ＵＥの位置する前記セルの物理制御フォーマット指示チャネルＰＣＦＩＣＨで伝達される制御フォーマット指示子情報であり、前記リソースエレメント位置の前記周波数ドメインインデックス及び前記リソースエレメント位置の前記時間ドメインインデックスに従い、前記リソースエレメント位置を決定することを含む。
【００５４】
第３の態様の第２又は第３の可能な実装を参照して、第３の態様の第４の可能な実装では、前記処理モジュールが、前記ダウンリンク情報の前記セル固有周波数シフトに従い前記リソースエレメント位置の周波数ドメインインデックスを決定することは、
前記処理モジュールが、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定し、ここで、ｍ’＝０、１、又は２、ｋ’＝０又は１、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ことを含む。
【００５５】
第３の態様の第２の可能な実装を参照して、第３の態様の第５の可能な実装では、前記処理モジュールが、時間ドメイン中間変数に従い前記リソースエレメント位置の時間ドメインインデックスを決定することは、
前記処理モジュールが、式ｌ＝ｌ’ｍｏｄ２に従い前記リソースエレメント位置の前記時間ドメインインデックスｌを決定し、ｌ’は前記時間ドメイン中間変数であり、
【００５６】
【数４９】
0006448850.tif 000020
ここで、ｎｓは前記ＴＴＩの位置するタイムスロットのインデックスである、ことを含む。
【００５７】
第３の態様の第３の可能な実装を参照して、第３の態様の第６の可能な実装では、前記処理モジュールが、時間ドメイン中間変数及び制御フォーマット指示子ＣＦＩに従い前記リソースエレメント位置の時間ドメインインデックスを決定することは、
前記処理モジュールが、式
【００５８】
【数５０】
0006448850.tif 000021
に従い前記リソースエレメント位置の前記時間ドメインインデックスｌを決定し、ここで、ｎｓは前記ＴＴＩの位置するタイムスロットのインデックスであり、ｌ’は前記時間ドメイン中間変数であり、
【００５９】
【数５１】
0006448850.tif 000022
である、ことを含む。
【００６０】
第３の態様の第１の可能な実装を参照して、第３の態様の第７の可能な実装では、前記ダウンリンク情報が前記ＤＭ−ＲＳを含み、且つ前記ＴＴＩの前記期間が１シンボルの時間長以上であり且つ１タイムスロットの前記時間長より少ない場合、前記処理モジュールが、前記ダウンリンク情報の前記セル固有周波数シフトに従いリソースエレメント位置を決定することは、
前記処理モジュールが、前記ダウンリンク情報の前記セル固有周波数シフトに従い、前記リソースエレメント位置の周波数ドメインインデックスを決定し、前記ＴＴＩに含まれるシンボルのインデックスを前記リソースエレメント位置の時間ドメインインデックスとして決定し、前記シンボルは直交周波数分割多重ＯＦＤＭシンボル又はシングルキャリア周波数分割多重アクセスＳＣ−ＦＤＭＡシンボルであり、前記リソースエレメント位置の前記周波数ドメインインデックス及び前記リソースエレメント位置の前記時間ドメインインデックスに従い、前記リソースエレメント位置を決定する、ことを含む。
【００６１】
第３の態様の第７の可能な実装を参照して、第３の態様の第８の可能な実装では、前記処理モジュールが、前記ダウンリンク情報の前記セル固有周波数シフトに従い前記リソースエレメント位置の周波数ドメインインデックスを決定することは、
前記処理モジュールが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【００６２】
【数５３】
0006448850.tif 000023
ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｌは前記リソースエレメント位置の前記時間ドメインインデックスである、ことを含む。
【００６３】
第３の態様の第７の可能な実装を参照して、第３の態様の第９の可能な実装では、前記処理モジュールが、前記ダウンリンク情報の前記セル固有周波数シフトに従い前記リソースエレメント位置の周波数ドメインインデックスを決定することは、
前記処理モジュールが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定するステップであって、ここで、ｍ’＝０又は１、ｋ’＝０又は３、
【００６４】
【数５７】
0006448850.tif 000024
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ＣＦＩは前記ＵＥの位置する前記セルの物理制御フォーマット指示チャネルＰＣＦＩＣＨで伝達される制御フォーマット指示子情報であり、ｎｓは前記ＴＴＩの位置するタイムスロットのインデックスであり、ｌは前記リソースエレメント位置の前記時間ドメインインデックスである、ことを含む。
【００６５】
第３の態様の第１の可能な実装を参照して、第３の態様の第１０の可能な実装では、前記ダウンリンク情報が前記ＰＤＣＣＨ又は前記ＥＰＤＣＣＨを含む場合、前記処理モジュールが、前記ダウンリンク情報の前記セル固有周波数シフトに従い前記リソースエレメント位置を決定することは、
前記処理モジュールが、式
【００６６】
【数６０】
0006448850.tif 000025
に従い前記リソースエレメント位置の周波数ドメインインデックスｋを決定し、
前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【００６７】
【数６１】
0006448850.tif 000026
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せでり、前記シンボルは直交周波数分割多重ＯＦＤＭシンボル又はシングルキャリア周波数分割多重アクセスＳＣ−ＦＤＭＡシンボルである、ことを含む。
【００６８】
第３の態様の第１の可能な実装を参照して、第３の態様の第１１の可能な実装では、前記ダウンリンク情報が前記ＰＤＣＣＨ又は前記ＥＰＤＣＣＨを含む場合、前記処理モジュールが、前記ダウンリンク情報の前記セル固有周波数シフトに従い前記リソースエレメント位置を決定することは、
前記処理モジュールが、式
【００６９】
【数６４】
0006448850.tif 000027
に従い前記リソースエレメント位置の周波数ドメインインデックスｋを決定し、
前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【００７０】
【数６５】
0006448850.tif 000028
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、ＣＦＩは前記ＵＥの位置する前記セルの物理制御フォーマット指示チャネルＰＣＦＩＣＨで伝達される制御フォーマット指示子情報であり、ｎｓは前記ＴＴＩの位置するタイムスロットのインデックスであり、前記シンボルは直交周波数分割多重ＯＦＤＭシンボル又はシングルキャリア周波数分割多重アクセスＳＣ−ＦＤＭＡシンボルである、ことを含む。
【００７１】
第３の態様のいずれかの可能な実装を参照して、第３の態様の第１２の可能な実装では、前記決定モジュールは、式νｓｈｉｆｔ１＝ＮｃｅｌｌＩＤｍｏｄ６に従い前記ＣＲＳの前記セル固有周波数シフトνｓｈｉｆｔ１を決定し、ＮｃｅｌｌＩＤは前記ＵＥの位置する前記セルの物理レイヤセル識別子である、よう更に構成される。
【００７２】
第４の態様によると、本発明の実施形態は、基地局であって、
ダウンリンク情報のセル固有周波数シフトがセル固有参照信号ＣＲＳのセル固有周波数シフトに等しいことを決定するよう構成される決定モジュールであって、前記ＣＲＳは、前記基地局により送信されるセル固有参照信号である、決定モジュールと、
前記ダウンリンク情報の前記セル固有周波数シフトに従いリソースエレメント位置を決定するよう構成される処理モジュールであって、前記リソースエレメント位置の属する送信時間間隔ＴＴＩの期間は１タイムスロットの時間長以下である、処理モジュールと、
前記リソースエレメント位置でＵＥへ前記ダウンリンク情報を送信するよう構成される送信モジュールと、
を含む基地局を提供する。
【００７３】
第４の態様を参照して、第４の態様の第１の可能な実装では、前記ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【００７４】
第４の態様の第１の可能な実装を参照して、第４の態様の第２の可能な実装では、前記ダウンリンク情報が前記ＤＭ−ＲＳを含み、且つ前記ＴＴＩの前記期間が１タイムスロットの前記時間長に等しい場合、前記処理モジュールが、前記ダウンリンク情報の前記セル固有周波数シフトに従いリソースエレメント位置を決定することは、
前記処理モジュールが、前記ダウンリンク情報の前記セル固有周波数シフトに従い、前記リソースエレメント位置の周波数ドメインインデックスを決定し、時間ドメイン中間変数に従い、前記リソースエレメント位置の時間ドメインインデックスを決定し、前記時間ドメイン中間変数は、前記ＴＴＩの位置するサブフレームの種類に従い決定される変数であり、前記リソースエレメント位置の前記周波数ドメインインデックス及び前記リソースエレメント位置の前記時間ドメインインデックスに従い、前記リソースエレメント位置を決定することを含む。
【００７５】
第４の態様の第１の可能な実装を参照して、第４の態様の第３の可能な実装では、前記ダウンリンク情報が前記ＤＭ−ＲＳを含み、且つ前記ＴＴＩの前記期間が１タイムスロットの前記時間長に等しい場合、前記処理モジュールが、前記ダウンリンク情報の前記セル固有周波数シフトに従いリソースエレメント位置を決定することは、
前記処理モジュールが、前記ダウンリンク情報の前記セル固有周波数シフトに従い、前記リソースエレメント位置の周波数ドメインインデックスを決定し、時間ドメイン中間変数及び制御フォーマット指示子ＣＦＩに従い、前記リソースエレメント位置の時間ドメインインデックスを決定し、前記時間ドメイン中間変数は、前記ＴＴＩの位置するサブフレームの種類に従い決定される変数であり、前記ＣＦＩは、前記基地局により送信される物理制御フォーマット指示チャネルＰＣＦＩＣＨで伝達される制御フォーマット指示子情報であり、前記リソースエレメント位置の前記周波数ドメインインデックス及び前記リソースエレメント位置の前記時間ドメインインデックスに従い、前記リソースエレメント位置を決定することを含む。
【００７６】
第４の態様の第２又は第３の可能な実装を参照して、第４の態様の第４の可能な実装では、前記処理モジュールが、前記ダウンリンク情報の前記セル固有周波数シフトに従い前記リソースエレメント位置の周波数ドメインインデックスを決定することは、
前記処理モジュールが、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定し、ここで、ｍ’＝０、１、又は２、ｋ’＝１又は０、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ことを含む。
【００７７】
第４の態様の第２の可能な実装を参照して、第４の態様の第５の可能な実装では、前記処理モジュールが、時間ドメイン中間変数に従い前記リソースエレメント位置の時間ドメインインデックスを決定することは、
前記処理モジュールが、式ｌ＝ｌ’ｍｏｄ２に従い前記リソースエレメント位置の前記時間ドメインインデックスｌを決定し、ｌ’は前記時間ドメイン中間変数であり、
【００７８】
【数７２】
0006448850.tif 000029
ここで、ｎｓは前記ＴＴＩの位置するタイムスロットのインデックスである、ことを含む。
【００７９】
第４の態様の第３の可能な実装を参照して、第４の態様の第６の可能な実装では、前記処理モジュールが、時間ドメイン中間変数及び制御フォーマット指示子ＣＦＩに従い前記リソースエレメント位置の時間ドメインインデックスを決定することは、
前記処理モジュールが、式
【００８０】
【数７３】
0006448850.tif 000030
に従い前記リソースエレメント位置の前記時間ドメインインデックスｌを決定し、ここで、ｎｓは前記ＴＴＩの位置するタイムスロットのインデックスであり、ｌ’は前記時間ドメイン中間変数であり、
【００８１】
【数７４】
0006448850.tif 000031
である、ことを含む。
【００８２】
第４の態様の第１の可能な実装を参照して、第４の態様の第７の可能な実装では、前記ダウンリンク情報が前記ＤＭ−ＲＳを含み、且つ前記ＴＴＩの前記期間が１シンボルの時間長以上であり且つ１タイムスロットの前記時間長より少ない場合、前記処理モジュールが、前記ダウンリンク情報の前記セル固有周波数シフトに従いリソースエレメント位置を決定することは、
前記処理モジュールが、前記ダウンリンク情報の前記セル固有周波数シフトに従い、前記リソースエレメント位置の周波数ドメインインデックスを決定し、前記ＴＴＩに含まれるシンボルのインデックスを前記リソースエレメント位置の時間ドメインインデックスとして決定し、前記シンボルは直交周波数分割多重ＯＦＤＭシンボル又はシングルキャリア周波数分割多重アクセスＳＣ−ＦＤＭＡシンボルであり、前記リソースエレメント位置の前記周波数ドメインインデックス及び前記リソースエレメント位置の前記時間ドメインインデックスに従い、前記リソースエレメント位置を決定する、ことを含む。
【００８３】
第４の態様の第７の可能な実装を参照して、第４の態様の第８の可能な実装では、前記処理モジュールが、前記ダウンリンク情報の前記セル固有周波数シフトに従い前記リソースエレメント位置の周波数ドメインインデックスを決定することは、
前記処理モジュールが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【００８４】
【数７６】
0006448850.tif 000032
ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｌは前記リソースエレメント位置の前記時間ドメインインデックスである、ことを含む。
【００８５】
第４の態様の第７の可能な実装を参照して、第４の態様の第９の可能な実装では、前記処理モジュールが、前記ダウンリンク情報の前記セル固有周波数シフトに従い前記リソースエレメント位置の周波数ドメインインデックスを決定することは、
前記処理モジュールが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【００８６】
【数８０】
0006448850.tif 000033
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ＣＦＩは前記基地局により送信される物理制御フォーマット指示チャネルＰＣＦＩＣＨで伝達される制御フォーマット指示子情報であり、ｎｓは前記ＴＴＩの位置するタイムスロットのインデックスであり、ｌは前記リソースエレメント位置の前記時間ドメインインデックスである、ことを含む。
【００８７】
第４の態様の第１の可能な実装を参照して、第４の態様の第１０の可能な実装では、前記ダウンリンク情報が前記ＰＤＣＣＨ又は前記ＥＰＤＣＣＨを含む場合、前記処理モジュールが、前記ダウンリンク情報の前記セル固有周波数シフトに従い前記リソースエレメント位置を決定することは、
前記処理モジュールが、式
【００８８】
【数８３】
0006448850.tif 000034
に従い前記リソースエレメント位置の周波数ドメインインデックスｋを決定し、
前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【００８９】
【数８４】
0006448850.tif 000035
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、前記シンボルは直交周波数分割多重ＯＦＤＭシンボル又はシングルキャリア周波数分割多重アクセスＳＣ−ＦＤＭＡシンボルである、ことを含む。
【００９０】
第４の態様の第１の可能な実装を参照して、第４の態様の第１１の可能な実装では、前記ダウンリンク情報が前記ＰＤＣＣＨ又は前記ＥＰＤＣＣＨを含む場合、前記処理モジュールが、前記ダウンリンク情報の前記セル固有周波数シフトに従い前記リソースエレメント位置を決定することは、
前記処理モジュールが、式
【００９１】
【数８７】
0006448850.tif 000036
に従い前記リソースエレメント位置の周波数ドメインインデックスｋを決定し、
前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【００９２】
【数８８】
0006448850.tif 000037
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、ＣＦＩは前記基地局により送信される物理制御フォーマット指示チャネルＰＣＦＩＣＨで伝達される制御フォーマット指示子情報であり、ｎｓは前記ＴＴＩの位置するタイムスロットのインデックスであり、前記シンボルは直交周波数分割多重ＯＦＤＭシンボル又はシングルキャリア周波数分割多重アクセスＳＣ−ＦＤＭＡシンボルである、ことを含む。
【００９３】
第４の態様のいずれかの可能な実装を参照して、第４の態様の第１２の可能な実装では、前記決定モジュールは、式νｓｈｉｆｔ１＝ＮｃｅｌｌＩＤｍｏｄ６に従い前記ＣＲＳの前記セル固有周波数シフトνｓｈｉｆｔ１を決定し、ＮｃｅｌｌＩＤは前記ＵＥの位置する前記セルの物理レイヤセル識別子である、よう更に構成される。
【００９４】
第５の態様によると、本発明の実施形態は、ＵＥであって、プロセッサ及び受信機を含み、
前記プロセッサは、ダウンリンク情報のセル固有周波数シフトがセル固有参照信号ＣＲＳのセル固有周波数シフトに等しいことを決定するよう構成され、前記ＣＲＳは、前記ＵＥの位置するセルのセル固有参照信号であり、
前記プロセッサは、前記ダウンリンク情報の前記セル固有周波数シフトに従いリソースエレメント位置を決定するよう更に構成され、前記リソースエレメント位置の属する送信時間間隔ＴＴＩの期間は１タイムスロットの時間長以下であり、
前記受信機は、前記リソースエレメント位置にある前記ダウンリンク情報を受信するよう構成され、
前記プロセッサは、前記ダウンリンク情報に従いダウンリンクデータを復調するよう更に構成される、
ＵＥを提供する。
【００９５】
第５の態様を参照して、第５の態様の第１の可能な実装では、前記ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【００９６】
第５の態様の第１の可能な実装を参照して、第５の態様の第２の可能な実装では、前記ダウンリンク情報が前記ＤＭ−ＲＳを含み、且つ前記ＴＴＩの前記期間が１タイムスロットの前記時間長に等しい場合、前記プロセッサが、前記ダウンリンク情報の前記セル固有周波数シフトに従いリソースエレメント位置を決定することは、
前記プロセッサが、前記ダウンリンク情報の前記セル固有周波数シフトに従い、前記リソースエレメント位置の周波数ドメインインデックスを決定し、時間ドメイン中間変数に従い、前記リソースエレメント位置の時間ドメインインデックスを決定し、前記リソースエレメント位置の前記周波数ドメインインデックス及び前記リソースエレメント位置の前記時間ドメインインデックスに従い、前記リソースエレメント位置を決定することを含み、前記時間ドメイン中間変数は、前記ＴＴＩの位置するサブフレームの種類に従い決定される変数である。
【００９７】
第５の態様の第１の可能な実装を参照して、第５の態様の第３の可能な実装では、前記ダウンリンク情報が前記ＤＭ−ＲＳを含み、且つ前記ＴＴＩの前記期間が１タイムスロットの前記時間長に等しい場合、前記プロセッサが、前記ダウンリンク情報の前記セル固有周波数シフトに従いリソースエレメント位置を決定することは、
前記プロセッサが、前記ダウンリンク情報の前記セル固有周波数シフトに従い、前記リソースエレメント位置の周波数ドメインインデックスを決定し、時間ドメイン中間変数及び制御フォーマット指示子ＣＦＩに従い、前記リソースエレメント位置の時間ドメインインデックスを決定し、前記時間ドメイン中間変数は、前記ＴＴＩの位置するサブフレームの種類に従い決定される変数であり、前記ＣＦＩは、前記ＵＥの位置する前記セルの物理制御フォーマット指示チャネルＰＣＦＩＣＨで伝達される制御フォーマット指示子情報であり、前記リソースエレメント位置の前記周波数ドメインインデックス及び前記リソースエレメント位置の前記時間ドメインインデックスに従い、前記リソースエレメント位置を決定することを含む。
【００９８】
第５の態様の第２又は第３の可能な実装を参照して、第５の態様の第４の可能な実装では、前記プロセッサが、前記ダウンリンク情報の前記セル固有周波数シフトに従い前記リソースエレメント位置の周波数ドメインインデックスを決定することは、
前記プロセッサが、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定し、ここで、ｍ’＝０、１、又は２、ｋ’＝０又は１、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ことを含む。
【００９９】
第５の態様の第２の可能な実装を参照して、第５の態様の第５の可能な実装では、前記プロセッサが、時間ドメイン中間変数に従い前記リソースエレメント位置の時間ドメインインデックスを決定することは、
前記プロセッサが、式ｌ＝ｌ’ｍｏｄ２に従い前記リソースエレメント位置の前記時間ドメインインデックスｌを決定し、ｌ’は前記時間ドメイン中間変数であり、
【０１００】
【数９５】
0006448850.tif 000038
ここで、ｎｓは前記ＴＴＩの位置するタイムスロットのインデックスである、ことを含む。
【０１０１】
第５の態様の第３の可能な実装を参照して、第５の態様の第６の可能な実装では、前記プロセッサが、時間ドメイン中間変数及び制御フォーマット指示子ＣＦＩに従い前記リソースエレメント位置の時間ドメインインデックスを決定することは、
前記プロセッサが、式
【０１０２】
【数９６】
0006448850.tif 000039
に従い前記リソースエレメント位置の前記時間ドメインインデックスｌを決定し、ここで、ｎｓは前記ＴＴＩの位置するタイムスロットのインデックスであり、ｌ’は前記時間ドメイン中間変数であり、
【０１０３】
【数９７】
0006448850.tif 000040
である、ことを含む。
【０１０４】
第５の態様の第１の可能な実装を参照して、第５の態様の第７の可能な実装では、前記ダウンリンク情報が前記ＤＭ−ＲＳを含み、且つ前記ＴＴＩの前記期間が１シンボルの時間長以上であり且つ１タイムスロットの前記時間長より少ない場合、前記プロセッサが、前記ダウンリンク情報の前記セル固有周波数シフトに従いリソースエレメント位置を決定することは、
前記プロセッサが、前記ダウンリンク情報の前記セル固有周波数シフトに従い、前記リソースエレメント位置の周波数ドメインインデックスを決定し、前記ＴＴＩに含まれるシンボルのインデックスを前記リソースエレメント位置の時間ドメインインデックスとして決定し、前記シンボルは直交周波数分割多重ＯＦＤＭシンボル又はシングルキャリア周波数分割多重アクセスＳＣ−ＦＤＭＡシンボルであり、前記リソースエレメント位置の前記周波数ドメインインデックス及び前記リソースエレメント位置の前記時間ドメインインデックスに従い、前記リソースエレメント位置を決定する、ことを含む。
【０１０５】
第５の態様の第７の可能な実装を参照して、第５の態様の第８の可能な実装では、前記プロセッサが、前記ダウンリンク情報の前記セル固有周波数シフトに従い前記リソースエレメント位置の周波数ドメインインデックスを決定することは、
前記プロセッサが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【０１０６】
【数９９】
0006448850.tif 000041
ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｌは前記リソースエレメント位置の前記時間ドメインインデックスである、ことを含む。
【０１０７】
第５の態様の第７の可能な実装を参照して、第５の態様の第９の可能な実装では、前記プロセッサが、前記ダウンリンク情報の前記セル固有周波数シフトに従い前記リソースエレメント位置の周波数ドメインインデックスを決定することは、
前記プロセッサが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定するステップであって、ここで、ｍ’＝０又は１、ｋ’＝０又は３、
【０１０８】
【数１０３】
0006448850.tif 000042
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ＣＦＩは前記ＵＥの位置する前記セルの物理制御フォーマット指示チャネルＰＣＦＩＣＨで伝達される制御フォーマット指示子情報であり、ｎｓは前記ＴＴＩの位置するタイムスロットのインデックスであり、ｌは前記リソースエレメント位置の前記時間ドメインインデックスである、ことを含む。
【０１０９】
第５の態様の第１の可能な実装を参照して、第５の態様の第１０の可能な実装では、前記ダウンリンク情報が前記ＰＤＣＣＨ又は前記ＥＰＤＣＣＨを含む場合、前記プロセッサが、前記ダウンリンク情報の前記セル固有周波数シフトに従い前記リソースエレメント位置を決定することは、
前記プロセッサが、式
【０１１０】
【数１０６】
0006448850.tif 000043
に従い前記リソースエレメント位置の周波数ドメインインデックスｋを決定し、
前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【０１１１】
【数１０７】
0006448850.tif 000044
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、前記シンボルは直交周波数分割多重ＯＦＤＭシンボル又はシングルキャリア周波数分割多重アクセスＳＣ−ＦＤＭＡシンボルである、ことを含む。
【０１１２】
第５の態様の第１の可能な実装を参照して、第５の態様の第１１の可能な実装では、前記ダウンリンク情報が前記ＰＤＣＣＨ又は前記ＥＰＤＣＣＨを含む場合、前記プロセッサが、前記ダウンリンク情報の前記セル固有周波数シフトに従い前記リソースエレメント位置を決定することは、
前記プロセッサが、式
【０１１３】
【数１１０】
0006448850.tif 000045
に従い前記リソースエレメント位置の周波数ドメインインデックスｋを決定し、
前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【０１１４】
【数１１１】
0006448850.tif 000046
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記ＵＥの位置する前記セルのＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、ＣＦＩは前記ＵＥの位置する前記セルの物理制御フォーマット指示チャネルＰＣＦＩＣＨで伝達される制御フォーマット指示子情報であり、ｎｓは前記ＴＴＩの位置するタイムスロットのインデックスであり、前記シンボルは直交周波数分割多重ＯＦＤＭシンボル又はシングルキャリア周波数分割多重アクセスＳＣ−ＦＤＭＡシンボルである、ことを含む。
【０１１５】
第５の態様のいずれかの可能な実装を参照して、第５の態様の第１２の可能な実装では、前記プロセッサは、式νｓｈｉｆｔ１＝ＮｃｅｌｌＩＤｍｏｄ６に従い前記ＣＲＳの前記セル固有周波数シフトνｓｈｉｆｔ１を決定し、ＮｃｅｌｌＩＤは前記ＵＥの位置する前記セルの物理レイヤセル識別子である、よう更に構成される。
【０１１６】
第６の態様によると、本発明の実施形態は、基地局であって、プロセッサ及び送信機を含み、
前記プロセッサは、ダウンリンク情報のセル固有周波数シフトがセル固有参照信号ＣＲＳのセル固有周波数シフトに等しいことを決定するよう構成され、前記ＣＲＳは、前記基地局により送信されるセル固有参照信号であり、
前記プロセッサは、前記ダウンリンク情報の前記セル固有周波数シフトに従いリソースエレメント位置を決定するよう更に構成され、前記リソースエレメント位置の属する送信時間間隔ＴＴＩの期間は１タイムスロットの時間長以下であり、
前記送信機は、前記リソースエレメント位置で前記ＵＥへ前記ダウンリンク情報を送信する、
基地局を提供する。
【０１１７】
第６の態様を参照して、第６の態様の第１の可能な実装では、前記ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【０１１８】
第６の態様の第１の可能な実装を参照して、第６の態様の第２の可能な実装では、前記ダウンリンク情報が前記ＤＭ−ＲＳを含み、且つ前記ＴＴＩの前記期間が１タイムスロットの前記時間長に等しい場合、前記プロセッサが、前記ダウンリンク情報の前記セル固有周波数シフトに従いリソースエレメント位置を決定することは、
前記プロセッサが、前記ダウンリンク情報の前記セル固有周波数シフトに従い、前記リソースエレメント位置の周波数ドメインインデックスｋを決定し、時間ドメイン中間変数に従い、前記リソースエレメント位置の時間ドメインインデックスを決定し、前記時間ドメイン中間変数は、前記ＴＴＩの位置するサブフレームの種類に従い決定される変数であり、前記リソースエレメント位置の前記周波数ドメインインデックス及び前記リソースエレメント位置の前記時間ドメインインデックスに従い、前記リソースエレメント位置を決定することを含む。
【０１１９】
第６の態様の第１の可能な実装を参照して、第６の態様の第３の可能な実装では、前記ダウンリンク情報が前記ＤＭ−ＲＳを含み、且つ前記ＴＴＩの前記期間が１タイムスロットの前記時間長に等しい場合、前記プロセッサが、前記ダウンリンク情報の前記セル固有周波数シフトに従いリソースエレメント位置を決定することは、
前記プロセッサが、前記ダウンリンク情報の前記セル固有周波数シフトに従い、前記リソースエレメント位置の周波数ドメインインデックスｋを決定し、時間ドメイン中間変数及び制御フォーマット指示子ＣＦＩに従い、前記リソースエレメント位置の時間ドメインインデックスを決定し、前記時間ドメイン中間変数は、前記ＴＴＩの位置するサブフレームの種類に従い決定される変数であり、前記ＣＦＩは、前記基地局により送信される物理制御フォーマット指示チャネルＰＣＦＩＣＨで伝達される制御フォーマット指示子情報であり、前記リソースエレメント位置の前記周波数ドメインインデックス及び前記リソースエレメント位置の前記時間ドメインインデックスに従い、前記リソースエレメント位置を決定することを含む。
【０１２０】
第６の態様の第２又は第３の可能な実装を参照して、第６の態様の第４の可能な実装では、前記プロセッサが、前記ダウンリンク情報の前記セル固有周波数シフトに従い前記リソースエレメント位置の周波数ドメインインデックスｋを決定することは、
前記プロセッサが、式ｋ＝３ｍ’＋ＮＲＢｓｃｎＰＲＢ＋ｋ’＋（νｓｈｉｆｔ２）ｍｏｄ３＋１に従い前記リソースエレメント位置の前記周波数ドメインインデックスｋを決定し、ここで、ｍ’＝０、１、又は２、ｋ’＝１又は０、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトである、ことを含む。
【０１２１】
第６の態様の第２の可能な実装を参照して、第６の態様の第５の可能な実装では、前記プロセッサが、時間ドメイン中間変数に従い前記リソースエレメント位置の時間ドメインインデックスを決定することは、
前記プロセッサが、式ｌ＝ｌ’ｍｏｄ２に従い前記リソースエレメント位置の前記時間ドメインインデックスｌを決定し、ｌ’は前記時間ドメイン中間変数であり、
【０１２２】
【数１１８】
0006448850.tif 000047
ここで、ｎｓは前記ＴＴＩの位置するタイムスロットのインデックスである、ことを含む。
【０１２３】
第６の態様の第３の可能な実装を参照して、第６の態様の第６の可能な実装では、前記プロセッサが、時間ドメイン中間変数及び制御フォーマット指示子ＣＦＩに従い前記リソースエレメント位置の時間ドメインインデックスを決定することは、
前記プロセッサが、式
【０１２４】
【数１１９】
0006448850.tif 000048
に従い前記リソースエレメント位置の前記時間ドメインインデックスｌを決定し、ここで、ｎｓは前記ＴＴＩの位置するタイムスロットのインデックスであり、ｌ’は前記時間ドメイン中間変数であり、
【０１２５】
【数１２０】
0006448850.tif 000049
である、ことを含む。
【０１２６】
第６の態様の第１の可能な実装を参照して、第６の態様の第７の可能な実装では、前記ダウンリンク情報が前記ＤＭ−ＲＳを含み、且つ前記ＴＴＩの前記期間が１シンボルの時間長以上であり且つ１タイムスロットの前記時間長より少ない場合、前記プロセッサが、前記ダウンリンク情報の前記セル固有周波数シフトに従いリソースエレメント位置を決定することは、
前記プロセッサが、前記ダウンリンク情報の前記セル固有周波数シフトに従い、前記リソースエレメント位置の周波数ドメインインデックスｋを決定し、前記ＴＴＩに含まれるシンボルのインデックスを前記リソースエレメント位置の時間ドメインインデックスとして決定し、前記シンボルは直交周波数分割多重ＯＦＤＭシンボル又はシングルキャリア周波数分割多重アクセスＳＣ−ＦＤＭＡシンボルであり、前記リソースエレメント位置の前記周波数ドメインインデックス及び前記リソースエレメント位置の前記時間ドメインインデックスに従い、前記リソースエレメント位置を決定する、ことを含む。
【０１２７】
第６の態様の第７の可能な実装を参照して、第６の態様の第８の可能な実装では、前記プロセッサが、前記ダウンリンク情報の前記セル固有周波数シフトに従い前記リソースエレメント位置の周波数ドメインインデックスｋを決定することは、
前記プロセッサが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【０１２８】
【数１２２】
0006448850.tif 000050
ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｌは前記リソースエレメント位置の前記時間ドメインインデックスである、ことを含む。
【０１２９】
第６の態様の第７の可能な実装を参照して、第６の態様の第９の可能な実装では、前記プロセッサが、前記ダウンリンク情報の前記セル固有周波数シフトに従い前記リソースエレメント位置の周波数ドメインインデックスｋを決定することは、
前記プロセッサが、式ｋ＝６ｍ’＋ＮＲＢｓｃｎＰＲＢ＋（ｋ’＋νｓｈｉｆｔ２）ｍｏｄ６；ｌ≠ｌ’’に従い前記リソースエレメント位置の前記周波数ドメインインデックスｋを決定し、ここで、ｍ’＝０又は１、ｋ’＝０又は３、
【０１３０】
【数１２６】
0006448850.tif 000051
ＮＲＢｓｃは周波数ドメインリソースブロックサイズであり、ｎＰＲＢは物理リソースブロック番号であり、ｎＰＲＢは正整数であり、νshift２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ＣＦＩは前記基地局により送信される物理制御フォーマット指示チャネルＰＣＦＩＣＨで伝達される制御フォーマット指示子情報であり、ｎｓは前記ＴＴＩの位置するタイムスロットのインデックスであり、ｌは前記リソースエレメント位置の前記時間ドメインインデックスである、ことを含む。
【０１３１】
第６の態様の第１の可能な実装を参照して、第６の態様の第１０の可能な実装では、前記ダウンリンク情報が前記ＰＤＣＣＨ又は前記ＥＰＤＣＣＨを含む場合、前記プロセッサが、前記ダウンリンク情報の前記セル固有周波数シフトに従い前記リソースエレメント位置を決定することは、
前記プロセッサが、式
【０１３２】
【数１２９】
0006448850.tif 000052
に従い前記リソースエレメント位置の周波数ドメインインデックスｋを決定し、前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【０１３３】
【数１３０】
0006448850.tif 000053
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、前記シンボルは直交周波数分割多重ＯＦＤＭシンボル又はシングルキャリア周波数分割多重アクセスＳＣ−ＦＤＭＡシンボルである、ことを含む。
【０１３４】
第６の態様の第１の可能な実装を参照して、第６の態様の第１１の可能な実装では、前記ダウンリンク情報が前記ＰＤＣＣＨ又は前記ＥＰＤＣＣＨを含む場合、前記プロセッサが、前記ダウンリンク情報の前記セル固有周波数シフトに従い前記リソースエレメント位置を決定することは、
前記プロセッサが、式
【０１３５】
【数１３３】
0006448850.tif 000054
に従い前記リソースエレメント位置の周波数ドメインインデックスｋを決定し、前記ＴＴＩに含まれるシンボルのインデックスを前記リソースエレメント位置の時間ドメインインデックスｌとして決定し、前記リソースエレメント位置の前記周波数ドメインインデックス及び前記リソースエレメント位置の前記時間ドメインインデックスに従い、前記リソースエレメント位置を決定し、ここで、ｍ’＝０又は１、
【０１３６】
【数１３４】
0006448850.tif 000055
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２は前記ダウンリンク情報の前記セル固有周波数シフトであり、ｎは前記基地局により送信されるＣＲＳのために構成されるアンテナポート数であり、ＮＤＬｓｙｍｂは１ダウンリンクタイムスロット内の直交周波数分割多重ＯＦＤＭシンボル又はシングルキャリア周波数分割多重アクセスＳＣ−ＦＤＭＡシンボルの数であり、ｍ’’は−２，−１，１，又は２のいずれか又は組合せであり、ＣＦＩは前記基地局により送信される物理制御フォーマット指示チャネルＰＣＦＩＣＨで伝達される制御フォーマット指示子情報であり、ｎｓは前記ＴＴＩの位置するタイムスロットのインデックスであり、前記シンボルは直交周波数分割多重ＯＦＤＭシンボル又はシングルキャリア周波数分割多重アクセスＳＣ−ＦＤＭＡシンボルである、ことを含む。
【０１３７】
第６の態様のいずれかの可能な実装を参照して、第６の態様の第１２の可能な実装では、前記プロセッサは、式νｓｈｉｆｔ１＝ＮｃｅｌｌＩＤｍｏｄ６に従い前記ＣＲＳの前記セル固有周波数シフトνｓｈｉｆｔ１を決定し、ＮｃｅｌｌＩＤは前記ＵＥの位置する前記セルの物理レイヤセル識別子である、よう更に構成される。
【０１３８】
第７の態様によると、本発明の実施形態は、第５の態様のいずれかの実施形態によるユーザ機器ＵＥと、第６の態様のいずれかの実施形態による基地局と、を含む通信システムを提供する。
【０１３９】
実施形態において提供されるダウンリンク情報処理方法、ユーザ機器、基地局、及び通信システムによると、ＵＥは、ダウンリンク情報のセル固有周波数シフトがＣＲＳのセル固有周波数シフトに等しいことを決定し、ダウンリンク情報のセル固有周波数シフトに従いリソースエレメント位置を決定し、リソースエレメント位置にあるダウンリンク情報を受信し、ダウンリンク情報に従いダウンリンクデータを復調する。実施形態では、ＴＴＩの期間が１タイムスロットの時間長以下であるとき、ＵＥは、ダウンリンク情報のセル固有周波数シフトに従い、ダウンリンク情報を受信するためにリソースエレメント位置をリセットする。ダウンリンク情報のセル固有周波数シフトがＣＲＳのセル固有周波数シフトに等しいので、ダウンリンク情報を受信するためのリソースエレメント位置は、ＣＲＳを受信するためのリソースエレメント位置と共に変化し、それにより、ＴＴＩが短くなるとき、ＵＥが現在ＴＴＩの範囲内でダウンリンク情報を受信し及びダウンリンク情報に従い復調処理を完了できることを保証する。
【図面の簡単な説明】
【０１４０】
本発明の実施形態の又は従来技術の技術的ソリューションをより明確に説明するために、以下に実施形態又は従来技術の説明に必要な添付の図面を記載する。明らかに、以下の説明中の添付の図面は、本発明の一部の実施形態であり、これらの図面に従って当業者により創造的労力を有しないで他の図面も得られる。
【図１】従来技術における１ＴＴＩのタイムスロット構造の一般的概略図である。
【図２】本発明の実施形態１によるダウンリンク情報処理方法のフローチャートである。
【図３】本発明の実施形態２によるダウンリンク情報処理方法のフローチャートである。
【図４】本発明の実施形態３によるダウンリンク情報処理方法のフローチャートである。
【図５】本発明の実施形態４によるダウンリンク情報処理方法のフローチャートである。
【図６Ａ】本発明の実施形態５によるダウンリンク情報処理方法の例示的フローチャートである。
【図６Ｂ】本発明の実施形態５によるダウンリンク情報処理方法の例示的フローチャートである。
【図７】本発明の実施形態６によるダウンリンク情報処理方法のフローチャートである。
【図８】本発明の実施形態７によるダウンリンク情報処理方法のフローチャートである。
【図９】本発明の実施形態８によるダウンリンク情報処理方法のフローチャートである。
【図１０】本発明の実施形態９によるダウンリンク情報処理方法のフローチャートである。
【図１１Ａ】本発明の実施形態１０によるダウンリンク情報処理方法の例示的フローチャートである。
【図１１Ｂ】本発明の実施形態１０によるダウンリンク情報処理方法の例示的フローチャートである。
【図１２】本発明の実施形態１１によるＵＥの概略構造図である。
【図１３】本発明の実施形態１５による基地局の概略構造図である。
【図１４】本発明の実施形態１９によるＵＥの概略構造図である。
【図１５】本発明の実施形態２０による基地局の概略構造図である。
【発明を実施するための形態】
【０１４１】
本発明の目的、技術的ソリューション、及び利点を明確にするために、以下に、本発明の実施形態における技術的ソリューションを本発明の実施形態における添付の図面を参照して明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【０１４２】
本発明の実施形態における方法は、ＴＴＩの期間が短くなった後に、ＵＥがＴＴＩの位置するタイムスロット内のダウンリンク制御チャネル又はＤＭ−ＲＳの受信に失敗することがあるために、ＵＥがＰＤＳＣＨの後の復調を完了できないという従来技術における技術的問題を解決することを目的とする。
【０１４３】
特定の実施形態は、以下で、本発明の技術的ソリューションを詳細に記載するために使用される。以下の幾つかの特定の実施形態は、互いに結合されて良く、同じ又は同様の概念又は処理は、幾つかの実施形態において繰り返し記載されない場合がある。
【０１４４】
実施形態１
図２は、本発明の実施形態１によるダウンリンク情報処理方法のフローチャートである。本実施形態は、ＵＥが、ダウンリンク情報のセル固有周波数シフトに従い、ＴＴＩの範囲内でダウンリンク情報を受信するためのリソースエレメント位置を決定し、リソース位置においてダウンリンク情報を受信し、ダウンリンク情報に従いダウンリンクデータを復調する特定の処理に関する。図２に示すように、方法は以下のステップを含む。
【０１４５】
ステップ１０１：ＵＥは、ダウンリンク情報のセル固有周波数シフトがセル固有参照信号（Cell−specific  Reference  Signal、略してＣＲＳ）のセル固有周波数シフトに等しいことを決定する。
【０１４６】
ＣＲＳは、ＵＥの位置するセルのセル固有参照信号である。
【０１４７】
本実施形態では、図１に示すように、３つのＣＲＳパターンがある。３つのＣＲＳパターンは、アンテナポート０、アンテナポート１、並びにアンテナポート２及び３にそれぞれ対応する。図１から、ＣＲＳは、それぞれ、各タイムスロット内の比較的前のシンボル位置に位置することが分かる。留意すべきことに、現ＬＴＥシステムでは、ＣＲＳは全帯域幅である。例えば、現在ＵＥの位置するセルのシステム帯域幅は２０ＭＨｚであり、現在ＵＥの位置するセルのＣＲＳのために構成されるアンテナポートは｛０，１，２，３｝である。この場合、２０ＭＨｚの帯域幅にある全ての物理リソースブロック（Physical  Resource  Block、略してＰＲＢ）は３つのＣＲＳパターンを有する。本実施形態におけるダウンリンク情報は、復調参照信号であって良く、又は物理ダウンリンク制御チャネルであって良い。
【０１４８】
ステップ１０２：ＵＥは、ダウンリンク情報のセル固有周波数シフトに従いリソースエレメント位置を決定する。ここで、リソースエレメント位置の属するＴＴＩの期間は、１タイムスロットの時間長以下である。
【０１４９】
本実施形態では、ＴＴＩに含まれるシンボルのインデックスが決定された後に、リソースエレメント位置に対応するシンボルインデックスがＣＲＳのリソースエレメント位置のシンボルインデックスと同じである場合、例えば、ＴＴＩがｓｌｏｔ０にシンボル０及び１を含む場合、リソースエレメント位置がＣＲＳの位置するリソースエレメント位置に一致しないように、ダウンリンク情報を受信するためのリソースエレメント位置に対応する搬送波番号は、予め設定された式又は所定方法を用いて、ダウンリンク情報のセル固有周波数シフトに従い設定されて良い。例えば、予め設定された式又は所定方法は、リソースエレメント位置に対応する搬送波番号を１、２、等にするために使用される。代替で、予め設定された式又は所定方法は、ダウンリンク情報を受信するためのリソースエレメント位置に対応する搬送波番号を番号０、３、又はＣＲＳ信号の位置する搬送波等と等しくさせないために使用される。リソースエレメント位置に対応するシンボルインデックスがＣＲＳのシンボルインデックスと異なる場合、リソースエレメント位置は、ＣＲＳの位置するリソースエレメント位置に隣接する位置に設定されて良い。例えば、ＴＴＩがｓｌｏｔ０にシンボル２及び３を含むとき、リソースエレメント位置は、シンボルが３であり搬送波番号がｓｌｏｔ０の中の０及び３である位置に設定されて良い。
【０１５０】
さらに、本実施形態では、ダウンリンク情報は、ＣＲＳを受信するためのリソースエレメント位置で受信できない。したがって、ダウンリンク情報のセル固有周波数シフトがＣＲＳのセル固有周波数シフトに等しいことが決定され、ダウンリンク情報の周波数シフトはＣＲＳのセル固有周波数シフトと共に変化し、それにより、ダウンリンク情報を受信するためのリソースエレメント位置がＣＲＳを受信するためのリソースエレメント位置に一致しないことを保証する。例えば、ＣＲＳのセル固有周波数シフトが２である場合、ダウンリンク情報の周波数シフトも２である。したがって、これは、ダウンリンク情報を受信するためのリソースエレメント位置がＣＲＳを受信するためのリソースエレメント位置に一致しないことを保証するだけでなく、ＵＥが現在ＴＴＩの範囲内でダウンリンク情報を受信できることも保証できる。例えば、ＣＲＳのセル固有周波数シフトは、νｓｈｉｆｔ１＝ＮｃｅｌｌＩＤｍｏｄ６であり、ここでＮｃｅｌｌＩＤは物理レイヤセル識別子である。
【０１５１】
留意すべきことに、本実施形態におけるタイムスロット長は０．５ｍｓ以下である。つまり、ＴＴＩの期間は０．５ｍｓ以下である。１５ｋＨｚ搬送波間隔を有するＬＴＥシステムでは、１タイムスロットの長さは０．５ｍｓである。１５ｋＨｚより大きな搬送波間隔を有する通信システムでは、１タイムスロットの長さは０．５ｍｓより短い時間単位であって良い。
【０１５２】
ステップ１０３：ＵＥは、リソースエレメント位置においてダウンリンク情報を受信する。
【０１５３】
本実施形態では、リソースエレメント位置を決定した後に、ＵＥは、リソースエレメント位置において、基地局により送信されたダウンリンク情報を受信する。
【０１５４】
ステップ１０４：ＵＥは、ダウンリンク情報に従いダウンリンクデータを復調する。
【０１５５】
本実施形態では、ＴＴＩの期間が短くなると、ＵＥは、ダウンリンク情報のセル固有周波数シフトに従い、ダウンリンク情報を受信するためのリソースエレメント位置を決定して良い。特に、リソースエレメント位置に対応するシンボルインデックスがＣＲＳのシンボルインデックスと異なるとき、リソースエレメント位置に対応する搬送波番号は、ＣＲＳの搬送波番号と同じ又は隣接して良い。したがって、ＵＥは、ダウンリンク情報を受信し、及びダウンリンク情報に従いダウンリンクデータの復調処理を完了できる。例えば、ＵＥにより受信されたダウンリンク情報がＰＤＣＣＨ又はＥＰＤＣＣＨであるとき、ＵＥは、ＰＤＣＣＨ又はＥＰＤＣＣＨの中のダウンリンク制御情報（Downlink  Control  Information、略してＤＣＩ）情報に従いダウンリンクデータを復調して良い。あるいは、ＵＥにより受信されたダウンリンク情報がＤＭ−ＲＳであるとき、ＵＥは、ＤＭ−ＲＳ情報に従いダウンリンクデータを復調して良い。従来技術における復調モードが、特定の復調処理において使用されて良い。詳細事項は、ここで記載されない。
【０１５６】
本実施形態において提供されるダウンリンク情報処理方法によると、ＵＥは、ダウンリンク情報のセル固有周波数シフトがＣＲＳのセル固有周波数シフトに等しいことを決定し、ダウンリンク情報のセル固有周波数シフトに従いリソースエレメント位置を決定し、リソースエレメント位置にあるダウンリンク情報を受信し、ダウンリンク情報に従いダウンリンクデータを復調する。本実施形態では、ＴＴＩの期間が１タイムスロットの時間長以下であるとき、ＵＥは、ダウンリンク情報のセル固有周波数シフトに従い、ダウンリンク情報を受信するためにリソースエレメント位置をリセットする。ダウンリンク情報のセル固有周波数シフトがＣＲＳのセル固有周波数シフトに等しいので、ダウンリンク情報を受信するためのリソースエレメント位置は、ＣＲＳを受信するためのリソースエレメント位置と共に変化し、それにより、ＴＴＩが短くなるとき、ＵＥが現在ＴＴＩの範囲内でダウンリンク情報を受信し及びダウンリンク情報に従い復調処理を完了できることを保証する。
【０１５７】
任意で、前述の実施形態１で、ダウンリンク情報は、ＤＭ−ＲＳ、ＰＤＣＣＨ、又はＥＰＤＣＣＨのうちのいずれか１つを含む。
【０１５８】
以下は、ダウンリンク情報に含まれる情報の種類及びＴＴＩの期間に従い複数の場合において、本発明の本実施形態の詳細な実装を記載する。
【０１５９】
実施形態２
図３は、本発明の実施形態２によるダウンリンク情報処理方法のフローチャートである。本実施形態は、ダウンリンク情報がＤＭ−ＲＳを含み且つＴＴＩの期間が１タイムスロットの時間長に等しい場合に、「ＵＥが、ダウンリンク情報のセル固有周波数シフトに従いリソースエレメント位置を決定する」ステップの特定の実装処理に関する。図３に示すように、方法は以下のステップを含む。
【０１６０】
ステップ２０１：ＵＥは、ダウンリンク情報のセル固有周波数シフトに従い、リソースエレメント位置の周波数ドメインインデックスｋを決定する。
【０１６１】
本実施形態では、ＵＥにより、ダウンリンク情報のセル固有周波数シフトに従いリソースエレメント位置の周波数ドメインインデックスを決定するステップは、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定するステップであって、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ステップ、を含む。留意すべきことに、本実施形態では、ｋ’の値は、ＤＭ−ＲＳの位置するアンテナポートの番号ｐに依存する。例えば、ｐ∈｛１０７，１０８｝のときｋ’＝１、又はｐ∈｛１０９，１１０｝のときｋ’＝０である。ポート番号１０７、１０８、１０９、及び１１０は、本実施形態におけるソリューションを記載するための単なる一例である。代替で、ＤＭ−ＲＳの位置するアンテナポートの番号ｐは別のポート番号であって良い。これは、本発明において限定されない。
【０１６２】
ステップ２０２：ＵＥは、時間ドメイン中間変数に従いリソースエレメント位置の時間ドメインインデックスを決定する。あるいは、ＵＥは、時間ドメイン中間変数及びＵＥの位置するセルの制御フォーマット指示子（Control  Format  Indicator、略してＣＦＩ）に従い、リソースエレメント位置の時間ドメインインデックスを決定する。
【０１６３】
時間ドメイン中間変数は、ＴＴＩの位置するサブフレームの種類に従い決定される変数である。ＣＦＩは、ＵＥの位置するセルの物理制御フォーマット指示チャネル（Physical  Control  Format  Indicator  Channel、略してＰＣＦＩＣＨ）で伝達される制御フォーマット指示子情報である。
【０１６４】
本実施形態では、ダウンリンク信号を受信するためのリソースエレメント位置が制御領域又は非制御領域内に設定され得るとき、ＵＥにより、時間ドメイン中間変数に従いリソースエレメント位置の時間ドメインインデックスを決定するステップは、式ｌ＝ｌ’ｍｏｄ２に従い、リソースエレメント位置の時間ドメインインデックスｌを決定するステップであって、ここでｌ’は時間ドメイン中間変数であり、
【０１６５】
【数１４３】
0006448850.tif 000056
ｎｓはＴＴＩの位置するタイムスロットのインデックスである、ステップを含む。
【０１６６】
本実施形態では、ダウンリンク信号を受信するためのリソースエレメント位置が非制御領域内にだけ設定できるとき、時間ドメイン中間変数及びＵＥの位置するセルのＣＦＩに従いリソースエレメント位置の時間ドメインインデックスを決定するステップは、式
【０１６７】
【数１４４】
0006448850.tif 000057
に従い、リソースエレメント位置の時間ドメインインデックスｌを決定するステップであって、ｎｓはＴＴＩの位置するタイムスロットのインデックスであり、
【０１６８】
【数１４５】
0006448850.tif 000058
である、ステップを含む。
【０１６９】
本実施形態では、ダウンリンク情報は、具体的に、基地局により送信されたＤＭ−ＲＳであり、ＴＴＩの期間は１タイムスロットの時間長に等しい。リソースエレメント位置の時間ドメインインデックスは、ＴＴＩに含まれるシンボルのインデックスであり、リソースエレメント位置の周波数ドメインインデックスは搬送波番号である。リソースエレメント位置は、リソースエレメント位置の周波数ドメインインデックス及びリソースエレメント位置の時間ドメインインデックスに従い決定されて良い。ＴＴＩの位置するタイムスロットがｓｌｏｔ１であるとき、既存ＬＴＥシステムの制御領域はｓｌｏｔ１内に存在しないので、リソースエレメント位置の時間ドメインインデックスは、時間ドメイン中間変数のみに従い決定される必要があり、ＵＥにより多くの復調処理時間を提供するために、リソースエレメント位置は、タイムスロット内の比較的前のシンボル位置、搬送波番号が０であり且つｓｌｏｔ１内でシンボルインデックスが２であるリソースエレメント位置に設定されて良い。ＴＴＩの位置するタイムスロットがｓｌｏｔ０であるとき、既存ＬＴＥシステムの制御領域はタイムスロット内に存在して良く、リソースエレメント位置の時間ドメインインデックスは、時間ドメイン中間変数及びＣＦＩに従い決定される必要がある。したがって、本実施形態では、ダウンリンク情報が１タイムスロットの時間長以下のＴＴＩの範囲内で受信されるとき、依然としてレガシー復調モードを使用しているＵＥが制御領域内の制御情報を受信する処理が影響される場合を回避するために、１タイムスロットの時間長以下のＴＴＩ内でダウンリンク情報を受信するためのリソースエレメント位置は、既存ＬＴＥシステムの制御領域のリソースエレメント位置に設定することができない。例えば、ダウンリンク信号は、搬送波番号が０であり且つｓｌｏｔ０内のシンボルインデックスが２であるリソースエレメント位置において受信できない。
【０１７０】
留意すべきことに、本実施形態では、ｓｌｏｔ０は、タイムスロットインデックスｍｏｄ２が０に等しいタイムスロットを表し、ｓｌｏｔ１は、タイムスロットインデックスｍｏｄ２が１に等しいタイムスロットを表す。１タイムスロットの時間長以下のＴＴＩの中で使用される周波数ドメインリソース又は時間ドメインリソースは、既存ＬＴＥシステムで使用されるものと異なって良い。この場合、リソースエレメント位置の時間ドメインインデックスは、ｓｌｏｔ０とｓｌｏｔ１との間の関係を区別することなく、時間ドメイン中間変数のみに従い決定される必要がある。
【０１７１】
留意すべきことに、本実施形態で提供される時間ドメイン中間変数ｌ’の値についての条件は、本実施形態の中のソリューションにおけるサブフレーム種類が既存ＬＴＥシステムのものと共存することを示す単なる一例である。代替で、ｌ’は｛０，１｝、｛２，３｝、又は｛０，１，２，３｝の中の値であって良い。これは、本発明において限定されない。
【０１７２】
ステップ２０３：ＵＥは、リソースエレメント位置の周波数ドメインインデックス及びリソースエレメント位置の時間ドメインインデックスに従い、リソースエレメント位置を決定する。
【０１７３】
留意すべきことに、本実施形態における他のステップは、図２に示す実施形態における方法のステップと同じである。詳細事項は、ここで再び記載されない。
【０１７４】
本実施形態で提供されるダウンリンク情報処理方法によると、ダウンリンク情報はＤＭ−ＲＳを含み、ＴＴＩの期間は１タイムスロットの時間長に等しく、ＵＥは、ダウンリンク情報のセル固有周波数シフトに従いリソースエレメント位置の周波数ドメインインデックスを決定し、時間ドメイン中間変数に従いリソースエレメント位置の時間ドメインインデックスを決定し、又は、ダウンリンク情報のセル固有周波数シフトに従いリソースエレメント位置の周波数ドメインインデックスを決定し、時間ドメイン中間変数及びＵＥの位置するセルのＣＦＩに従いリソースエレメント位置の時間ドメインインデックスを決定し、次に、リソースエレメント位置の周波数ドメインインデックス及びリソースエレメント位置の時間ドメインインデックスに従いリソースエレメント位置を決定し、並びに、ＵＥは、ＴＴＩの範囲内のリソースエレメント位置でダウンリンク情報を受信し、ダウンリンク情報に従いダウンリンクデータを復調する。異なるＴＴＩの位置するタイムスロットについて、ＵＥは、ダウンリンク情報のセル固有周波数シフトに従いリソースエレメント位置の周波数ドメインインデックスを決定し、時間ドメイン中間変数に従いリソースエレメント位置の時間ドメインインデックスを決定し、又は、時間ドメイン中間変数及びＣＦＩに従いリソースエレメント位置の時間ドメインインデックスを決定して良い。このように、ＵＥにより多くの復調処理時間を提供するために、ダウンリンク情報がＴＴＩの位置するタイムスロット内の前方のシンボル位置で受信できるだけでなく、ＵＥが１タイムスロットの時間長である期間のＴＴＩの範囲内でダウンリンク情報を受信するとき、依然として既存ＬＴＥシステムにおけるレガシー復調モードを使用しているＵＥによる制御領域内での制御情報の受信が影響される場合を回避するために、リソースエレメント位置が制御領域のリソースエレメント位置に設定されることを防ぐことができる。
【０１７５】
実施形態３
図４は、本発明の実施形態３によるダウンリンク情報処理方法のフローチャートである。本実施形態は、ダウンリンク情報がＤＭ−ＲＳを含み且つＴＴＩの期間が１シンボルの時間長以上であり且つ１タイムスロットの時間長より少ない場合に、「ＵＥが、ダウンリンク情報のセル固有周波数シフトに従いリソースエレメント位置を決定する」ステップの特定の実装処理に関する。図４に示すように、方法は以下のステップを含む。
【０１７６】
ステップ３０１：ＵＥは、ダウンリンク情報のセル固有周波数シフトに従い、リソースエレメント位置の周波数ドメインインデックスｋを決定する。
【０１７７】
本実施形態では、ダウンリンク情報のセル固有周波数シフトに従いリソースエレメント位置の周波数ドメインインデックスを決定するステップは、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定するステップであって、ここで、ｍ’＝０又は１、ｋ’＝０又は１、
【０１７８】
【数１４７】
0006448850.tif 000059
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内の直交周波数分割多重アクセス（Orthogonal  Frequency  Division  Multiple  Access、略してＯＦＤＭＡ）シンボル又はシングルキャリア周波数分割多重アクセス（Single−carrier  Frequency−Division  Multiple  Access、略してＳＣ−ＦＤＭＡ）シンボルの数であり、ｌはリソースエレメント位置の時間ドメインインデックスである、ステップを含む。
【０１７９】
本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、ＵＥの位置するセルのＣＲＳのために構成されるアンテナポート数ｎと、に従いＵＥにより決定される。ｌ＝ｌ’’のとき、リソースエレメント位置の周波数ドメインインデックスｋは、式ｋ＝６ｍ’＋ＮＲＢｓｃｎＰＲＢ＋（ｋ’＋νｓｈｉｆｔ２）ｍｏｄ６に従い決定される。本方法を用いて決定されたリソースエレメント位置は、非制御領域のリソースエレメント位置であって良く、又は制御領域のリソースエレメント位置であって良い。図１に示すように、ＵＥは、シンボルインデックスが３であり且つｓｌｏｔ０内で搬送波番号が０である制御領域のリソースエレメント位置で、ＤＭ−ＲＳを受信して良い。このように、ＴＴＩの期間が１タイムスロットの時間長より少ないとき、復調処理を完了するために、ＵＥはＤＭ−ＲＳを依然として受信できる。
【０１８０】
留意すべきことに、本実施形態では、ｌ＝ｌ’’の場合、ＵＥは、基地局により送信されたＤＭ−ＲＳを受信する必要がないが、ダウンリンクデータを復調するためにＣＲＳ信号を使用する。さらに、本実施形態では、ｋ’の値は、ＤＭ−ＲＳの位置するアンテナポートの番号ｐに依存する。例えば、ｐ∈｛１０７｝のときｋ’＝０、又はｐ∈｛１０８｝のときｋ’＝３である。ポート番号１０７及び１０８は、本実施形態におけるソリューションを記載するための単なる一例である。代替で、ＤＭ−ＲＳの位置するアンテナポートの番号ｐは別のポート番号であって良い。これは、本発明において限定されない。
【０１８１】
本実施形態では、「ＵＥが、ダウンリンク情報のセル固有周波数シフトに従いリソースエレメント位置の周波数ドメインインデックスｋを決定する」ステップは、代替で、以下の方法を用いて実施されて良い。該方法は、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定するステップであって、ここで、ｍ’＝０又は１、ｋ’＝０又は３、
【０１８２】
【数１５３】
0006448850.tif 000060
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩはＵＥの位置するセルのＰＣＦＩＣＨで伝達される制御フォーマット指示子情報であり、ｎｓはＴＴＩの位置するタイムスロットのインデックスであり、ｌはリソースエレメント位置の時間ドメインインデックスである、ステップ、を含む。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。例えば、ＣＦＩ値は、ＣＦＩコードワードに従い決定される。表１は、ＣＦＩ値とＣＦＩコードワードとの間の関係である。
【０１８３】
［表１］
【０１８４】
【表１】
0006448850.tif 000061
本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、ＵＥの位置するセルのＣＲＳのために構成されるアンテナポート数ｎと、ＣＦＩと、ＴＴＩの位置するタイムスロットのインデックスと、に従いＵＥにより決定される変数である。ｌ＝ｌ’’のとき、リソースエレメント位置の周波数ドメインインデックスｋは、式ｋ＝６ｍ’＋ＮＲＢｓｃｎＰＲＢ＋（ｋ’＋νｓｈｉｆｔ２）ｍｏｄ６に従い決定される。時間ドメイン中間変数ｌ’’が制限されるので、リソースエレメント位置は、制御領域のリソースエレメント位置と一致しない。それにより、ＵＥが１タイムスロットの時間長より少なく且つ１シンボルの時間長以上のＴＴＩの範囲内でダウンリンク情報を受信するとき、依然としてレガシー復調モードを使用しているＵＥが制御領域内の制御情報を受信する処理が影響される場合を回避する。図１に示すように、ＵＥは、シンボルインデックスが２であり且つｓｌｏｔ０内で搬送波番号が０であるリソースエレメント位置で、ＤＭ−ＲＳを受信できない。
【０１８５】
留意すべきことに、本実施形態では、ｌ＝ｌ’’の場合、ＵＥは、基地局により送信されたＤＭ−ＲＳを受信する必要がないが、ダウンリンクデータを復調するためにＣＲＳ信号を使用する。
【０１８６】
ステップ３０２：ＵＥは、ＴＴＩに含まれるシンボルのインデックスをリソースエレメント位置の時間ドメインインデックスとして決定する。
【０１８７】
シンボルは、ＯＦＤＭＡシンボル又はＳＣ−ＦＤＭＡシンボルである。
【０１８８】
本実施形態では、ＴＴＩの期間が１シンボルの時間長以上であり且つ１タイムスロットの時間長より少ないので、リソースエレメント位置の時間ドメインインデックスは、ＴＴＩの位置するシンボルのインデックスである。例えば、図１に示すように、ＴＴＩの位置するシンボルがｓｌｏｔ０の中のシンボル４及びシンボル５である場合、リソースエレメント位置の時間ドメインインデックスは４及び５である。つまり、ＵＥは、ＴＴＩの位置するシンボルに対応するリソースエレメント位置、ｓｌｏｔ０の中のつまりシンボル４及びシンボル５で、ダウンリンク情報を受信できる。
【０１８９】
ステップ３０３：ＵＥは、リソースエレメント位置の周波数ドメインインデックス及びリソースエレメント位置の時間ドメインインデックスに従い、リソースエレメント位置を決定する。
【０１９０】
時間ドメイン中間変数は、ＴＴＩの位置するサブフレームの種類に従い決定される変数である。
【０１９１】
本実施形態では、リソースエレメント位置の時間ドメインインデックスは、ＴＴＩに含まれるシンボルのインデックスであり、リソースエレメント位置の周波数ドメインインデックスは搬送波番号である。リソースエレメント位置は、リソースエレメント位置の周波数ドメインインデックス及びリソースエレメント位置の時間ドメインインデックスに従い決定されて良い。
【０１９２】
留意すべきことに、本実施形態における他のステップは、図２に示す実施形態における方法のステップと同じである。詳細事項は、ここで再び記載されない。
【０１９３】
本実施形態で提供されるダウンリンク情報処理方法によると、ダウンリンク情報はＤＭ−ＲＳを含み、ＴＴＩの期間は１シンボルの時間長以上であり且つ１タイムスロットの時間長より少なく、ＵＥは、ダウンリンク情報のセル固有周波数シフトに従いリソースエレメント位置の周波数ドメインインデックスを決定し、ＴＴＩに含まれるシンボルのインデックスをリソースエレメント位置の時間ドメインインデックスとして決定し、リソースエレメント位置の周波数ドメインインデックス及びリソースエレメント位置の時間ドメインインデックスに従いリソースエレメント位置を決定する。このように、ＴＴＩの期間が１シンボルの時間長以上であり且つ１タイムスロットの時間長より少ないとき、ＵＥは、依然として、ダウンリンク情報を受信し、及びダウンリンク情報に従いダウンリンクデータの復調処理を完了できる。
【０１９４】
実施形態４
図５は、本発明の実施形態４によるダウンリンク情報処理方法のフローチャートである。本実施形態は、ダウンリンク情報がＰＤＣＣＨ又はＥＰＤＣＣＨを含む場合に、「ＵＥが、ダウンリンク情報のセル固有周波数シフトに従いリソースエレメント位置を決定する」ステップの特定の実装に関する。図５に示すように、方法は以下のステップを含む。
【０１９５】
ステップ４０１：ＵＥは、式
【０１９６】
【数１５８】
0006448850.tif 000062
に従い、リソースエレメント位置の周波数ドメインインデックスｋを決定する。
【０１９７】
ｍ’＝０又は１、
【０１９８】
【数１５９】
0006448850.tif 000063
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか又は組合せである。
【０１９９】
本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、ＵＥの位置するセルのＣＲＳのために構成されるアンテナポート数ｎと、に従いＵＥにより決定される変数である。本方法では、１タイムスロットの時間長以下のＴＴＩの範囲内でＵＥにより使用される周波数ドメインリソース又は時間ドメインリソースが、既存ＬＴＥシステムにおいて１ｍｓである期間のＴＴＩの範囲内でＵＥにより使用されるものと異なり得ることを考慮して、リソースエレメント位置は、非制御領域のリソースエレメント位置に設定されて良く、又は制御領域のリソースエレメント位置に設定されて良い。
【０２００】
本実施形態では、ＵＥは、ＴＴＩの位置するシンボルのリソースエレメント位置でＰＤＣＣＨ又はＥＰＤＣＣＨを受信して良い。したがって、ＵＥは、より短いＴＴＩの範囲内のダウンリンクデータを復調でき、それにより、より短い往復時間（Round−Trip  Time、略してＲＴＴ）及びより短いデータ送信遅延を達成する。
【０２０１】
任意で、本実施形態では、ダウンリンク情報がＰＤＣＣＨ又はＥＰＤＣＣＨを含む場合、１タイムスロットの時間長以下のＴＴＩの範囲内でＵＥにより使用される時間ドメイン又は周波数ドメインリソースのセグメントが、レガシー復調モードを使用しているＵＥにより使用されるものと同じであり得ることを考慮して、「ダウンリンク情報のセル固有周波数シフトに従いリソースエレメント位置を決定する」ステップは、代替で、以下の方法を用いて達成されて良い。該方法は、具体的に次の通りである。
【０２０２】
ＵＥは、式
【０２０３】
【数１６３】
0006448850.tif 000064
に従いリソースエレメント位置の周波数ドメインインデックスを決定する。ここで、ｍ’＝０又は１、
【０２０４】
【数１６４】
0006448850.tif 000065
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか又は組合せであり、ＣＦＩはＵＥの位置するセルのＰＣＦＩＣＨで伝達される制御フォーマット指示子情報であり、ｎｓはＴＴＩの位置するタイムスロットのインデックスである。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０２０５】
本実施形態では、１タイムスロットの時間長以下のＴＴＩの範囲内でＵＥにより使用される時間ドメインリソース又は周波数ドメインリソースのセグメントがレガシー復調モードを使用するＵＥにより使用されるものと同じであり得ることを考慮すると、ＵＥが１タイムスロットの時間長以下のＴＴＩの範囲内でダウンリンク情報を受信するとき、依然としてレガシー復調モードを使用しているＵＥが制御領域内の制御情報を受信する処理が影響される場合を回避するために、ＵＥは、非制御領域のリソースエレメント位置だけにある１タイムスロットの時間長以下のＴＴＩの範囲内でＰＤＣＣＨ又はＥＰＤＣＣＨを受信できる。したがって、時間ドメイン中間変数ｌ’’は、ＣＦＩ、及びＴＴＩの位置するタイムスロットのインデックスに関連する。例えば、図１に示すｓｌｏｔ０では、ＵＥは、シンボルインデックスが３であり搬送波番号が０であるリソースエレメント位置にある１タイムスロットの時間長以下のＴＴＩの範囲内でＰＤＣＣＨ又はＥＰＤＣＣＨを受信できない。
【０２０６】
ステップ４０２：ＵＥは、ＴＴＩに含まれるシンボルのインデックスをリソースエレメント位置の時間ドメインインデックスｌとして決定する。
【０２０７】
シンボルは、ＯＦＤＭシンボル又はＳＣ−ＦＤＭＡシンボルである。
【０２０８】
本実施形態では、ＴＴＩの期間が１シンボルの時間長以上であり且つ１タイムスロットの時間長より少ないので、リソースエレメント位置の時間ドメインインデックスは、ＴＴＩに含まれるシンボルのインデックスｌである。
【０２０９】
ステップ４０３：ＵＥは、リソースエレメント位置の周波数ドメインインデックス及びリソースエレメント位置の時間ドメインインデックスに従い、リソースエレメント位置を決定する。
【０２１０】
留意すべきことに、本実施形態における他のステップは、図２に示す実施形態における方法のステップと同じである。詳細事項は、ここで再び記載されない。
【０２１１】
本実施形態で提供されるダウンリンク情報処理方法によると、ダウンリンク情報はＰＤＣＣＨ又はＥＰＤＣＣＨを含み、ＵＥは、式
【０２１２】
【数１６７】
0006448850.tif 000066
に従いリソースエレメント位置の周波数ドメインインデックスを決定し、
ＴＴＩに含まれるシンボルのインデックスをリソースエレメント位置の時間ドメインインデックスｌとして決定する。したがって、ダウンリンク情報がＰＤＣＣＨ又はＥＰＤＣＣＨのようなダウンリンク制御チャネルであるとき、ＵＥは、依然として、ダウンリンク情報を受信し、ダウンリンク情報に従いダウンリンクデータの復調処理を完了できる。さらに、ＵＥがダウンリンク情報を受信するためのリソースエレメント位置を設定するために現在状況に従い適正な方法を選択できるように、リソースエレメント位置が制御領域のリソースエレメント位置と一致し得るか否かを柔軟に設定するために、時間ドメイン中間変数が制限されて良い。これは、ＵＥのダウンリンク情報受信性能を向上し、ＵＥが１タイムスロットの時間長以下のＴＴＩの範囲内でダウンリンク情報を受信するとき、依然としてレガシー復調モードを使用しているＵＥが制御領域内の制御情報を受信する処理が影響される場合を回避できる。
【０２１３】
任意で、前述の実施形態のうちのいずれか１つで、ＵＥが、ダウンリンク情報のセル固有周波数シフトはＣＲＳのセル固有周波数シフトに等しいことを決定する前に、方法は、ＵＥにより、式νｓｈｉｆｔ１＝ＮｃｅｌｌＩＤｍｏｄ６に従いＣＲＳのセル固有周波数シフトνｓｈｉｆｔ１を決定するステップであって、ＮｃｅｌｌＩＤはＵＥの位置するセルの物理レイヤセル識別子である、ステップを更に含む。
【０２１４】
実施形態５
図６Ａ及び図６Ｂは、本発明の実施形態５によるダウンリンク情報処理方法の例示的フローチャートである。図６Ａ及び図６Ｂに示すように、方法は以下のステップを含む。
【０２１５】
ステップ５０１：ＵＥは、ダウンリンク情報のセル固有周波数シフトがＣＲＳのセル固有周波数シフトに等しいことを決定する。
【０２１６】
ＣＲＳは、ＵＥの位置するセルのセル固有参照信号であり、ダウンリンク情報はＤＭ−ＲＳ、ＰＤＣＣＨ、又はＥＰＤＣＣＨのうちのいずれか１つを含む。
【０２１７】
本実施形態では、ＵＥは、式νｓｈｉｆｔ１＝ＮｃｅｌｌＩＤｍｏｄ６に従いＣＲＳのセル固有周波数シフトνｓｈｉｆｔ１を決定する。ここで、ＮｃｅｌｌＩＤはＵＥの位置するセルの物理レイヤセル識別子である。
【０２１８】
ステップ５０２：ＵＥは、ダウンリンク情報の種類及びＴＴＩの期間を決定する。ダウンリンク情報がＤＭ−ＲＳを含み且つＴＴＩの期間が１タイムスロットの時間長に等しい場合、ＵＥはステップ５０３を実行する。あるいは、ダウンリンク情報がＤＭ−ＲＳを含み且つＴＴＩの期間が１シンボルの時間長以上であり且つ１タイムスロットの時間長より少ない場合、ＵＥはステップ５０４を実行する。あるいは、ダウンリンク情報がＰＤＣＣＨ又はＥＰＤＣＣＨを含む場合、ＵＥはステップ５０５を実行する。
【０２１９】
ステップ５０３：ＵＥは、ダウンリンク情報のセル固有周波数シフトに従いリソースエレメント位置の周波数ドメインインデックスｋを決定し、時間ドメイン中間変数に従いリソースエレメント位置の時間ドメインインデックスを決定する。あるいは、ＵＥは、ダウンリンク情報のセル固有周波数シフトに従いリソースエレメント位置の周波数ドメインインデックスｋを決定し、時間ドメイン中間変数及びＵＥの位置するセルのＣＦＩに従いリソースエレメント位置の時間ドメインインデックスを決定する。次に、ＵＥはステップ５０６を実行する。
【０２２０】
本実施形態では、ＵＥにより、ダウンリンク情報のセル固有周波数シフトに従いリソースエレメント位置の周波数ドメインインデックスを決定するステップは、ＵＥにより、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定するステップであって、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ステップ、を含む。
【０２２１】
本実施形態では、ＵＥは、以下の２つの特定の方法を用いて、リソースエレメント位置の時間ドメインインデックスを決定する。
【０２２２】
第１の方法：ＵＥが、１タイムスロットの時間長である期間のＴＴＩの範囲内でダウンリンク情報を受信し、且つＵＥにより使用される周波数ドメインリソース又は時間ドメインリソースが既存ＬＴＥシステムのレガシー復調モードを使用しているＵＥにより使用されるものと異なる場合、ＵＥは、制御領域又は非制御領域のリソースエレメント位置でＤＭ−ＲＳを受信して良い。具体的に、ＵＥは、式ｌ＝ｌ’ｍｏｄ２に従いリソースエレメント位置の時間ドメインインデックスｌを決定する。ここで、ｌ’は時間ドメイン中間変数であり、
【０２２３】
【数１７４】
0006448850.tif 000067
及びｎｓはＴＴＩの位置するタイムスロットのインデックスである。
【０２２４】
第２の方法：ＵＥが、１タイムスロットの時間長の期間のＴＴＩの範囲内でダウンリンク情報を受信し、ＵＥにより使用される周波数ドメインリソース又は時間ドメインリソースが既存ＬＴＥシステムにおけるレガシー復調モードを使用しているＵＥにより使用されるものと同じ場合、ＵＥが１タイムスロットの時間長である期間のＴＴＩの範囲内でダウンリンク情報を受信するとき、依然として既存ＬＴＥシステムにおけるレガシー復調モードを使用しているＵＥによる制御領域内での制御情報の受信が影響される場合を回避するために、ＵＥは、非制御領域のリソースエレメント位置でのみＤＭ−ＲＳを受信できる。具体的に、ＵＥは、式
【０２２５】
【数１７５】
0006448850.tif 000068
に従いリソースエレメント位置の時間ドメインインデックスｌを決定する。ここで、ｎｓはＴＴＩの位置するタイムスロットのインデックスであり、ｌ’は時間ドメイン中間変数であり、
【０２２６】
【数１７６】
0006448850.tif 000069
である。
【０２２７】
ステップ５０４：ＵＥは、ダウンリンク情報のセル固有周波数シフトに従い、リソースエレメント位置の周波数ドメインインデックスｋを決定し、ＴＴＩに含まれるシンボルのインデックスをリソースエレメント位置の時間ドメインインデックスとして決定する。次に、ＵＥはステップ５０６を実行する。
【０２２８】
本実施形態では、ＴＴＩの期間が１シンボルの時間長なので、リソースエレメント位置の時間ドメインインデックスはＴＴＩに含まれるシンボルのインデックスである。リソースエレメント位置の周波数ドメインインデックスは、以下の２つの方法を用いて決定される。
【０２２９】
第１の方法：ＵＥが、１シンボルの時間長以上であり且つ１タイムスロットの時間長より少ない期間のＴＴＩの範囲内でダウンリンク情報を受信し、且つＵＥにより使用される周波数ドメインリソース又は時間ドメインリソースがレガシー復調モードを使用しているＵＥにより使用されるものと異なる場合、ＵＥは、制御領域又は非制御領域のリソースエレメント位置でＤＭ−ＲＳを受信して良い。具体的に、ＵＥは、式ｋ＝６ｍ’＋ＮＲＢｓｃｎＰＲＢ＋（ｋ’＋νｓｈｉｆｔ２）ｍｏｄ６；ｌ≠ｌ’’に従い、リソースエレメント位置の周波数ドメインインデックスを決定し、ここで、ｍ’＝０又は１、ｋ’＝０又は３、
【０２３０】
【数１７８】
0006448850.tif 000070
ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである。
【０２３１】
第２の方法：ＵＥが、１シンボルの時間長以上であり且つ１タイムスロットの時間長より少ない期間のＴＴＩの範囲内でダウンリンク情報を受信し、且つＵＥにより使用される周波数ドメインリソース又は時間ドメインリソースが既存ＬＴＥシステムにおけるレガシー復調モードを使用しているＵＥにより使用されるものと同じ場合、既存ＬＴＥシステムにおけるレガシー復調モードを使用しているＵＥによる制御領域内の制御情報の受信に影響することを回避するために、ＵＥは、非制御領域のリソースエレメント位置でのみＤＭ−ＲＳを受信できる。具体的に、ＵＥは式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０２３２】
【数１８２】
0006448850.tif 000071
ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されたアンテナポート数であり、ＮＤＬｓｙｍｂは１ダウンリンクタイムスロット内のＯＦＤＭシンボル又はＳＣ−ＦＤＭＡシンボルの数であり、ＣＦＩはＵＥの位置するセルのＰＣＦＩＣＨで伝達される制御フォーマット指示子情報であり、ｎｓはＴＴＩの位置するタイムスロットのインデックスであり、リソースエレメント位置の時間ドメインインデックスｌはＴＴＩに含まれるシンボルのインデックスである。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０２３３】
ステップ５０５：ＵＥは、式
【０２３４】
【数１８５】
0006448850.tif 000072
に従いリソースエレメント位置の周波数ドメインインデックスｋを決定し、ＴＴＩに含まれるシンボルのインデックスをリソースエレメント位置の時間ドメインインデックスｌとして決定する。ここで、ｍ’＝０又は１であり、ｌ’’は中間時間ドメイン変数であり、ｋ’＝０又は３であり、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されたアンテナポート数であり、ｍ’’は−２，−１，１，又は２のうちのいずれか１つ又は組合せである。
【０２３５】
本実施形態では、ダウンリンク情報はＰＤＣＣＨ又はＥＰＤＣＣＨである。ＰＤＣＣＨ又はＥＰＤＣＣＨは１シンボルに対応するので、リソースエレメント位置の時間ドメインインデックスｌは、ＴＴＩに含まれるシンボルのインデックスである。本実施形態では、リソースエレメント位置の周波数ドメインインデックスの値は、中間変数ｌ’’の値を制御することにより変更されて良く、以下の２つの方法がある。
【０２３６】
第１の方法：ＵＥにより使用される周波数ドメインリソース又は時間ドメインリソースが、レガシー復調モードを使用しているＵＥにより使用されるものと異なる場合、ＵＥは、制御領域又は非制御領域のリソースエレメント位置でＤＭ−ＲＳを受信して良く、
【０２３７】
【数１８７】
0006448850.tif 000073
及びＮＤＬｓｙｍｂは１ダウンリンクタイムスロット内のＯＦＤＭシンボル又はＳＣ−ＦＤＭＡシンボルの数である。
【０２３８】
第２の方法：ＵＥにより使用される周波数ドメインリソース又は時間ドメインリソースが、既存ＬＴＥシステムにおけるレガシー復調モードを使用しているＵＥにより使用されるものと同じ場合、既存ＬＴＥシステムにおけるレガシー復調モードを使用しているＵＥによる制御領域内の制御情報の受信に影響することを回避するために、ＵＥは、非制御領域のリソースエレメント位置でのみＤＭ−ＲＳを受信できる。
【０２３９】
【数１８９】
0006448850.tif 000074
ｋ’＝０又は３であり、ｎはＵＥの位置するセルのＣＲＳのために構成されたアンテナポート数であり、ＮＤＬｓｙｍｂは１ダウンリンクタイムスロット内のＯＦＤＭシンボル又はＳＣ−ＦＤＭＡシンボルの数であり、ＣＦＩはＵＥの位置するセルのＰＣＦＩＣＨで伝達される制御フォーマット指示子情報であり、ｎｓはＴＴＩの位置するタイムスロットのインデックスである。留意すべきことに、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０２４０】
ステップ５０６：ＵＥは、リソースエレメント位置の周波数ドメインインデックス及びリソースエレメント位置の時間ドメインインデックスに従い、リソースエレメント位置を決定する。
【０２４１】
ステップ５０７：ＵＥは、リソースエレメント位置においてダウンリンク情報を受信する。
【０２４２】
ステップ５０８：ＵＥは、ダウンリンク情報に従いダウンリンクデータを復調する。
【０２４３】
本実施形態において提供されるダウンリンク情報処理方法によると、ＵＥは、ダウンリンク情報のセル固有周波数シフトがＣＲＳのセル固有周波数シフトに等しいことを決定し、ダウンリンク情報の種類及びＴＴＩの期間を決定し、ダウンリンク情報がＤＭ−ＲＳを含み且つＴＴＩの期間が１タイムスロットの時間長に等しい場合、ダウンリンク情報のセル固有周波数シフトに従いリソースエレメント位置の周波数ドメインインデックスを決定し及び時間ドメイン中間変数に従いリソースエレメント位置の時間ドメインインデックスを決定し、又はダウンリンク情報のセル固有周波数シフトに従いリソースエレメント位置の周波数ドメインインデックスを決定し及び時間ドメイン中間変数とＵＥの位置するセルのＣＦＩとに従いリソースエレメント位置の時間ドメインインデックスを決定し、ダウンリンク情報がＤＭ−ＲＳを含み及びＴＴＩの期間が１シンボルの時間長以上であり且つ１タイムスロットの時間長より少ない場合、ダウンリンク情報のセル固有周波数シフトに従いリソースエレメント位置の周波数ドメインインデックスを決定し及びＴＴＩに含まれるシンボルのインデックスをリソースエレメント位置の時間ドメインインデックスｌとして決定し、又はダウンリンク情報がＰＤＣＣＨ若しくはＥＰＤＣＣＨを含む場合、式
【０２４４】
【数１９１】
0006448850.tif 000075
に従いリソースエレメント位置の周波数ドメインインデックスを決定し及びＴＴＩに含まれるシンボルのインデックスをリソースエレメント位置の時間ドメインインデックスｌとして決定し、次に、ＵＥは、リソースエレメント位置の周波数ドメインインデックス及びリソースエレメント位置の時間ドメインインデックスに従いリソースエレメント位置を決定する。本実施形態では、リソースエレメント位置は、受信信号のタイプ及びＴＴＩの期間に従い異なる方法を用いて得られる。したがって、ＵＥは、様々な場合にＴＴＩの範囲内でダウンリンク情報を受信し、ダウンリンク情報に従いダウンリンクデータを復調できる。特に、比較的短いＴＴＩの範囲内でＵＥにより使用される周波数ドメインリソース及び時間ドメインリソースが、既存ＬＴＥシステムにおけるレガシー復調モードを使用しているＵＥにより使用されるものと同じとき、ＵＥが比較的短いＴＴＩの範囲内でダウンリンク情報を受信するとき既存ＬＴＥシステムにおけるレガシー復調モードを使用しているＵＥによる制御領域における制御情報の受信が影響されることを回避するために、リソースエレメント位置が制御領域に設定されることが防止される。
【０２４５】
実施形態６
図７は、本発明の実施形態６によるダウンリンク情報処理方法のフローチャートである。本実施形態は、図２に示す実施形態に対応する基地局側の方法の実施形態に関し、具体的には、基地局が、ダウンリンク情報のセル固有周波数シフトに従い、ＴＴＩの範囲内でダウンリンク情報を送信するためのリソースエレメント位置を決定する特定の処理に関連する。図７に示すように、方法は以下のステップを含む。
【０２４６】
ステップ６０１：基地局は、ダウンリンク情報のセル固有周波数シフトがＣＲＳのセル固有周波数シフトに等しいことを決定する。
【０２４７】
ＣＲＳは、基地局により送信されるセル固有参照信号である。
【０２４８】
本実施形態では、図１に示すように、３つのＣＲＳパターンがある。３つのＣＲＳパターンは、アンテナポート０、アンテナポート１、並びにアンテナポート２及び３にそれぞれ対応する。図１から、ＣＲＳは、それぞれ、各タイムスロット内の比較的前のシンボル位置に位置することが分かる。留意すべきことに、現ＬＴＥシステムでは、ＣＲＳは全帯域幅である。例えば、現在ＵＥの位置するセルのシステム帯域幅は２０ＭＨｚであり、現在ＵＥの位置するセルのＣＲＳのために構成されるアンテナポートは｛０，１，２，３｝である。この場合、２０ＭＨｚの帯域幅にある全部のＰＲＢは３つのＣＲＳパターンを有する。本実施形態におけるダウンリンク情報は、復調参照信号であって良く、又は物理ダウンリンク制御チャネルであって良い。
【０２４９】
留意すべきことに、１つの基地局は１又は複数のセルを同時に供給して良い。基地局により供給されるセルは、ユニークな物理レイヤセル識別子を有する。基地局は、セルのＣＲＳのセル固有周波数シフトを決定するために、物理レイヤセル識別子を使用して良い。さらに、本実施形態におけるセルの物理レイヤセル識別子は、基地局に対応するＵＥの位置するセルの物理レイヤセル識別子である。
【０２５０】
ステップ６０２：基地局は、ダウンリンク情報のセル固有周波数シフトに従いリソースエレメント位置を決定する。ここで、リソースエレメント位置の属するＴＴＩの期間は、１タイムスロットの時間長以下である。
【０２５１】
本実施形態では、ＴＴＩに含まれるシンボルのインデックスが決定された後に、リソースエレメント位置に対応するシンボルインデックスがＣＲＳのリソースエレメント位置のシンボルインデックスと同じである場合、例えば、ＴＴＩがｓｌｏｔ０にシンボル０及び１を含む場合、リソースエレメント位置がＣＲＳの位置するリソースエレメント位置に一致しないように、ダウンリンク情報を受信するためのリソースエレメント位置に対応する搬送波番号は、予め設定された式又は所定方法を用いて、ダウンリンク情報のセル固有周波数シフトに従い設定されて良い。例えば、予め設定された式又は所定方法は、ダウンリンク情報を受信するためのリソースエレメント位置に対応する搬送波番号を１、２、等にするために使用される。代替で、予め設定された式又は所定方法は、ダウンリンク情報を受信するためのリソースエレメント位置に対応する搬送波番号を番号０、３、又はＣＲＳ信号の位置する搬送波等と等しくさせないために使用される。リソースエレメント位置に対応するシンボルインデックスがＣＲＳのシンボルインデックスと異なる場合、リソースエレメント位置は、ＣＲＳの位置するリソースエレメント位置に隣接する位置に設定されて良い。例えば、ＴＴＩがｓｌｏｔ０にシンボル２及び３を含むとき、リソースエレメント位置は、シンボルが３であり搬送波番号がｓｌｏｔ０の中の０及び３である位置に設定されて良い。
【０２５２】
さらに、本実施形態では、ダウンリンク情報は、ＣＲＳを受信するためのリソースエレメント位置で送信できない。したがって、ダウンリンク情報のセル固有周波数シフトがＣＲＳのセル固有周波数シフトに等しいことが決定され、ダウンリンク情報の周波数シフトはＣＲＳのセル固有周波数シフトと共に変化し、それにより、ダウンリンク情報を送信するためのリソースエレメント位置がＣＲＳを送信するためのリソースエレメント位置に一致しないことを保証する。例えば、ＣＲＳのセル固有周波数シフトが２である場合、ダウンリンク情報の周波数シフトも２である。したがって、これは、ダウンリンク情報を送信するためのリソースエレメント位置がＣＲＳを送信するためのリソースエレメント位置に一致しないことを保証するだけでなく、ＵＥが現在ＴＴＩの範囲内で、基地局により配信されるダウンリンク情報を受信できることを保証できる。例えば、ＣＲＳのセル固有周波数シフトは、νｓｈｉｆｔ１＝ＮｃｅｌｌＩＤｍｏｄ６であり、ここでＮｃｅｌｌＩＤは物理レイヤセル識別子である。
【０２５３】
留意すべきことに、本実施形態におけるタイムスロット長は０．５ｍｓ以下である。つまり、ＴＴＩの期間は０．５ｍｓ以下である。
【０２５４】
ステップ６０３：基地局は、リソースエレメント位置においてダウンリンク情報をＵＥへ送信する。
【０２５５】
本実施形態では、リソースエレメント位置を決定した後に、基地局は、ＵＥがダウンリンク情報に従いダウンリンクデータを復調できるように、リソースエレメント位置でダウンリンク情報をＵＥへ送信する。ＴＴＩの期間が短くなると、ＵＥは、ダウンリンク情報のセル固有周波数シフトに従い、ダウンリンク情報を送信するためのリソースエレメント位置を決定し、リソースエレメント位置でダウンリンク情報をＵＥへ送信して良い。
【０２５６】
本実施形態において提供されるダウンリンク情報処理方法によると、基地局は、ダウンリンク情報のセル固有周波数シフトがＣＲＳのセル固有周波数シフトに等しいことを決定し、ダウンリンク情報のセル固有周波数シフトに従いリソースエレメント位置を決定し、リソースエレメント位置でダウンリンク情報を送信する。本実施形態では、ＴＴＩの期間が１タイムスロットの時間長以下であるとき、基地局は、ダウンリンク情報のセル固有周波数シフトに従い、ダウンリンク情報を送信するためのリソースエレメント位置をリセットする。ダウンリンク情報のセル固有周波数シフトがＣＲＳのセル固有周波数シフトに等しいので、ダウンリンク情報を送信するためのリソースエレメント位置は、ＣＲＳを受信するためのリソースエレメント位置と共に変化し、それにより、ＴＴＩが短くなるとき、ＵＥが現在ＴＴＩの範囲内で、基地局により配信されるダウンリンク情報を受信し及びダウンリンク情報に従い復調処理を完了できることを保証する。
【０２５７】
任意で、前述の実施形態６において、ダウンリンク情報は、ＤＭ−ＲＳ、ＰＤＣＣＨ、又はＥＰＤＣＣＨのうちのいずれか１つを含む。
【０２５８】
実施形態７
図８は、本発明の実施形態７によるダウンリンク情報処理方法のフローチャートである。本実施形態は、ダウンリンク情報がＤＭ−ＲＳを含み且つＴＴＩの期間が１タイムスロットの時間長に等しい場合に、「基地局が、ダウンリンク情報のセル固有周波数シフトに従いリソースエレメント位置を決定する」ステップの特定の実装処理に関する。図８に示すように、方法は以下のステップを含む。
【０２５９】
ステップ７０１：基地局は、ダウンリンク情報のセル固有周波数シフトに従い、リソースエレメント位置の周波数ドメインインデックスｋを決定する。
【０２６０】
本実施形態では、基地局により、ダウンリンク情報のセル固有周波数シフトに従いリソースエレメント位置の周波数ドメインインデックスを決定するステップは、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定するステップであって、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ステップ、を含む。留意すべきことに、ｋ’の値は、ＤＭ−ＲＳの位置するアンテナポートの番号ｐに依存する。例えば、ｐ∈｛１０７，１０８｝のときｋ’＝１、又はｐ∈｛１０９，１１０｝のときｋ’＝０である。ポート番号１０７、１０８、１０９、及び１１０は、本実施形態におけるソリューションを記載するための単なる一例である。代替で、ＤＭ−ＲＳの位置するアンテナポートの番号ｐは別のポート番号であって良い。これは、本発明において限定されない。
【０２６１】
ステップ７０２：基地局は、時間ドメイン中間変数に従いリソースエレメント位置の時間ドメインインデックスを決定する。あるいは、基地局は、時間ドメイン中間変数及びＣＦＩに従いリソースエレメント位置の時間ドメインインデックスを決定する。
【０２６２】
時間ドメイン中間変数は、ＴＴＩの位置するサブフレームの種類に従い決定される変数であり、ＣＦＩは、基地局により送信されるＰＣＦＩＣＨで伝達される制御フォーマット指示子情報である。
【０２６３】
本実施形態では、ダウンリンク信号を送信するためのリソースエレメント位置が制御領域又は非制御領域内に設定され得るとき、基地局により、時間ドメイン中間変数に従いリソースエレメント位置の時間ドメインインデックスを決定するステップは、式ｌ＝ｌ’ｍｏｄ２に従い、リソースエレメント位置の時間ドメインインデックスｌを決定するステップであって、ここでｌ’は時間ドメイン中間変数であり、
【０２６４】
【数１９６】
0006448850.tif 000076
ｎｓはＴＴＩの位置するタイムスロットのインデックスである、ステップを含む。
【０２６５】
本実施形態では、ダウンリンク信号を送信するためのリソースエレメント位置が非制御領域内にだけ設定できるとき、基地局により、時間ドメイン中間変数及びＵＥの位置するセルのＣＦＩに従いリソースエレメント位置の時間ドメインインデックスを決定するステップは、式
【０２６６】
【数１９７】
0006448850.tif 000077
に従い、リソースエレメント位置の時間ドメインインデックスｌを決定するステップであって、ｎｓはＴＴＩの位置するタイムスロットのインデックスであり、ｌ’は時間ドメイン中間変数であり、
【０２６７】
【数１９８】
0006448850.tif 000078
である、ステップを含む。
【０２６８】
本実施形態では、ダウンリンク情報は、具体的に、ＤＭ−ＲＳであり、ＴＴＩの期間は１タイムスロットの時間長に等しい。リソースエレメント位置の時間ドメインインデックスは、ＴＴＩに含まれるシンボルのインデックスであり、リソースエレメント位置の周波数ドメインインデックスは搬送波番号である。リソースエレメント位置は、リソースエレメント位置の周波数ドメインインデックス及びリソースエレメント位置の時間ドメインインデックスに従い決定されて良い。時間ドメイン中間変数は、ＴＴＩの位置するサブフレームの種類に従い基地局により決定される時間ドメイン中間変数である。ＴＴＩの位置するタイムスロットがｓｌｏｔ１であるとき、既存ＬＴＥシステムの制御領域はｓｌｏｔ１内に存在しないので、リソースエレメント位置の時間ドメインインデックスは、時間ドメイン中間変数のみに従い決定される必要があり、ＵＥにより多くの復調処理時間を提供するために、リソースエレメント位置は、タイムスロット内の比較的前のシンボル位置、搬送波番号が０であり且つｓｌｏｔ１内でシンボルインデックスが２であるリソースエレメント位置に設定されて良い。ＴＴＩの位置するタイムスロットがｓｌｏｔ０であるとき、既存ＬＴＥシステムの制御領域はタイムスロット内に存在して良く、リソースエレメント位置の時間ドメインインデックスは、時間ドメイン中間変数及びＣＦＩに従い決定される必要がある。したがって、本実施形態では、基地局が１タイムスロットの時間長以下のＴＴＩの範囲内でダウンリンク情報を送信するとき、既存ＬＴＥシステムにおける基地局が制御領域内で制御情報を送信する処理が影響される場合を回避するために、リソースエレメント位置は、既存ＬＴＥシステムの制御領域のリソースエレメント位置に設定できない。例えば、ダウンリンク信号は、搬送波番号が０であり且つｓｌｏｔ０内のシンボルインデックスが２であるリソースエレメント位置において受信できない。
【０２６９】
留意すべきことに、本実施形態では、ｓｌｏｔ０は、タイムスロットインデックスｍｏｄ２が０に等しいタイムスロットを表し、ｓｌｏｔ１は、タイムスロットインデックスｍｏｄ２が１に等しいタイムスロットを表す。基地局が１タイムスロットの時間長以下のＴＴＩの範囲内でダウンリンク情報を送信するとき、基地局により使用される周波数ドメインリソース又は時間ドメインリソースは、既存ＬＴＥシステムにおいて基地局により使用されるものと異なって良い。この場合、リソースエレメント位置の時間ドメインインデックスは、ｓｌｏｔ０とｓｌｏｔ１との間の関係を区別することなく、時間ドメイン中間変数のみに従い決定される必要がある。
【０２７０】
留意すべきことに、本実施形態で提供される時間ドメイン中間変数ｌ’の値についての条件は、本実施形態の中のソリューションにおけるサブフレーム種類が既存ＬＴＥシステムのものと共存することを示す単なる一例である。代替で、ｌ’は｛０，１｝、｛２，３｝、又は｛０，１，２，３｝の中の値であって良い。これは、本発明において限定されない。
【０２７１】
ステップ７０３：基地局は、リソースエレメント位置の周波数ドメインインデックス及びリソースエレメント位置の時間ドメインインデックスに従い、リソースエレメント位置を決定する。
【０２７２】
留意すべきことに、本実施形態における他のステップは、図７に示す実施形態における方法のステップと同じである。詳細事項は、ここで再び記載されない。
【０２７３】
本実施形態で提供されるダウンリンク情報処理方法によると、ダウンリンク情報がＤＭ−ＲＳを含み、ＴＴＩの期間が１タイムスロットの時間長に等しいとき、基地局は、ダウンリンク情報のセル固有周波数シフトに従いリソースエレメント位置の周波数ドメインインデックスを決定し及び時間ドメイン中間変数に従いリソースエレメント位置の時間ドメインインデックスを決定し、又は、ダウンリンク情報のセル固有周波数シフトに従いリソースエレメント位置の周波数ドメインインデックスを決定し及び時間ドメイン中間変数及びＣＦＩに従いリソースエレメント位置の時間ドメインインデックスを決定し、次に、リソースエレメント位置の周波数ドメインインデックス及びリソースエレメント位置の時間ドメインインデックスに従いリソースエレメント位置を決定し、並びに、基地局は、ＴＴＩの範囲内のリソースエレメント位置でダウンリンク情報を送信し、ＵＥが現在ＴＴＩの範囲内でダウンリンク情報を受信し、ダウンリンク情報に従いダウンリンクデータを復調できるようにする。異なるＴＴＩの位置するタイムスロットについて、基地局は、ダウンリンク情報のセル固有周波数シフトに従いリソースエレメント位置の周波数ドメインインデックスを決定し、時間ドメイン中間変数に従いリソースエレメント位置の時間ドメインインデックスを決定し、又は、時間ドメイン中間変数及びＣＦＩに従いリソースエレメント位置の時間ドメインインデックスを決定する。この場合、基地局は、ＵＥにより多くの復調処理時間を用意しておくために、ＴＴＩの位置するタイムスロット内の前方のシンボル位置でダウンリンク情報を送信できるだけでなく、基地局が１タイムスロットの時間長である期間のＴＴＩの範囲内でダウンリンク情報を送信するとき、既存ＬＴＥシステムにおける基地局による制御領域内での制御情報の送信が影響されないように、制御領域のリソースエレメント位置でダウンリンク情報を送信することを回避できる。
【０２７４】
実施形態８
図９は、本発明の実施形態８によるダウンリンク情報処理方法のフローチャートである。本実施形態は、ダウンリンク情報がＤＭ−ＲＳを含み且つＴＴＩの期間が１シンボルの時間長以上であり且つ１タイムスロットの時間長より少ない場合に、「基地局が、ダウンリンク情報のセル固有周波数シフトに従いリソースエレメント位置を決定する」ステップの特定の実装処理に関する。図９に示すように、方法は以下のステップを含む。
【０２７５】
ステップ８０１：基地局は、ダウンリンク情報のセル固有周波数シフトに従い、リソースエレメント位置の周波数ドメインインデックスｋを決定する。
【０２７６】
本実施形態では、ダウンリンク情報のセル固有周波数シフトに従いリソースエレメント位置の周波数ドメインインデックスを決定するステップは、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定するステップであって、ここで、ｍ’＝０又は１、
【０２７７】
【数２００】
0006448850.tif 000079
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである、ステップ、を含む。
【０２７８】
本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、基地局により送信されるＣＲＳのために構成されるアンテナポート数ｎと、に従い基地局により決定される。ｌ＝ｌ’’のとき、リソースエレメント位置の周波数ドメインインデックスｋは、式ｋ＝６ｍ’＋ＮＲＢｓｃｎＰＲＢ＋（ｋ’＋νｓｈｉｆｔ２）ｍｏｄ６に従い決定される。本方法を用いて決定されたリソースエレメント位置は、非制御領域のリソースエレメント位置であって良く、又は制御領域のリソースエレメント位置であって良い。図１に示すように、基地局は、シンボルインデックスが３であり且つｓｌｏｔ０内で搬送波番号が０である制御領域のリソースエレメント位置で、ＤＭ−ＲＳを受信して良い。このように、ＴＴＩの期間が１シンボルの時間長以上であり且つ１タイムスロットの時間長より少ないとき、基地局がリソースエレメント位置でＤＭ−ＲＳを送信すると、ＵＥが、復調処理を完了するために、依然としてＤＭ−ＲＳを受信できることが保証される。
【０２７９】
留意すべきことに、本実施形態では、ｋ’の値は、ＤＭ−ＲＳの位置するアンテナポートの番号ｐに依存する。例えば、ｐ∈｛１０７｝のときｋ’＝０、又はｐ∈｛１０８｝のときｋ’＝３である。ポート番号１０７及び１０８は、本実施形態におけるソリューションを記載するための単なる一例である。代替で、ＤＭ−ＲＳの位置するアンテナポートの番号Ｐは別のポート番号であって良い。これは、本発明において限定されない。
【０２８０】
本実施形態では、「基地局が、ダウンリンク情報のセル固有周波数シフトに従いリソースエレメント位置の周波数ドメインインデックスｋを決定する」ステップは、代替で、以下の方法を用いて実施されて良い。該方法は、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定するステップであって、ここで、ｍ’＝０又は１、ｋ’＝０又は３、
【０２８１】
【数２０６】
0006448850.tif 000080
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩは基地局により送信されるＰＣＦＩＣＨで伝達される制御フォーマット指示子情報であり、ｎｓはＴＴＩの位置するタイムスロットのインデックスであり、リソースエレメント位置の時間ドメインインデックスｌはＴＴＩに含まれるシンボルのインデックスである、ステップ、を含む。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０２８２】
本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂ及び基地局により送信されるＣＲＳのために構成されるアンテナポート数ｎに従い基地局により決定される変数である。ｌ＝ｌ’’のとき、基地局は、リソースエレメント位置の周波数ドメインインデックスｋを、式ｋ＝６ｍ’＋ＮＲＢｓｃｎＰＲＢ＋（ｋ’＋νｓｈｉｆｔ２）ｍｏｄ６に従い決定する。時間ドメイン中間変数ｌ’’が制限されるので、リソースエレメント位置は、制御領域のリソースエレメント位置と一致しない。それにより、基地局が少なくとも１シンボルの時間長である期間のＴＴＩの範囲内でダウンリンク情報を送信するとき、既存ＬＴＥシステムにおける基地局が制御領域の中で制御情報を送信する処理が影響される場合を回避する。図１に示すように、基地局は、シンボルインデックスが２であり且つｓｌｏｔ０内で搬送波番号が０であるリソースエレメント位置で、ＤＭ−ＲＳを送信できない。
【０２８３】
ステップ８０２：基地局は、ＴＴＩに含まれるシンボルのインデックスをリソースエレメント位置の時間ドメインインデックスとして決定する。
【０２８４】
シンボルは、ＯＦＤＭＡシンボル又はＳＣ−ＦＤＭＡシンボルである。
【０２８５】
本実施形態では、リソースエレメント位置の時間ドメインインデックスは、ＴＴＩに含まれるシンボルのインデックスであり、リソースエレメント位置の周波数ドメインインデックスは搬送波番号である。リソースエレメント位置は、リソースエレメント位置の周波数ドメインインデックス及びリソースエレメント位置の時間ドメインインデックスに従い決定されて良い。ＴＴＩの期間が１シンボルの時間長以上であり且つ１タイムスロットの時間長より少ないので、リソースエレメント位置の時間ドメインインデックスは、ＴＴＩの位置するシンボルのインデックスである。例えば、図１に示すように、ＴＴＩの位置するシンボルがｓｌｏｔ０の中のシンボルである場合、リソースエレメント位置の時間ドメインインデックスは４である。つまり、基地局は、ＴＴＩの位置するシンボルに対応するリソースエレメント位置、つまりｓｌｏｔ０の中のつまりシンボル４で、ダウンリンク情報を送信できる。本実施形態では、シンボルは、ＯＦＤＭＡシンボル又はＳＣ−ＦＤＭＡシンボルである。
【０２８６】
ステップ８０３：基地局は、リソースエレメント位置の周波数ドメインインデックス及びリソースエレメント位置の時間ドメインインデックスに従い、リソースエレメント位置を決定する。
【０２８７】
本実施形態では、リソースエレメント位置の時間ドメインインデックスは、ＴＴＩに含まれるシンボルのインデックスであり、リソースエレメント位置の周波数ドメインインデックスは搬送波番号である。リソースエレメント位置は、リソースエレメント位置の周波数ドメインインデックス及びリソースエレメント位置の時間ドメインインデックスに従い決定されて良い。
【０２８８】
留意すべきことに、本実施形態における他のステップは、図７に示す実施形態における方法のステップと同じである。詳細事項は、ここで再び記載されない。
【０２８９】
本実施形態で提供されるダウンリンク情報処理方法によると、ダウンリンク情報がＤＭ−ＲＳを含み、ＴＴＩの期間が１シンボルの時間長以上であり且つ１タイムスロットの時間長より少ないとき、基地局は、ダウンリンク情報のセル固有周波数シフトに従いリソースエレメント位置の周波数ドメインインデックスを決定し、ＴＴＩに含まれるシンボルのインデックスをリソースエレメント位置の時間ドメインインデックスとして決定し、リソースエレメント位置の周波数ドメインインデックス及びリソースエレメント位置の時間ドメインインデックスに従いリソースエレメント位置を決定する。このように、ＴＴＩの期間が１シンボルの時間長以上であり且つ１タイムスロットの時間長より少ないとき、ＵＥがダウンリンク情報を受信し及びダウンリンク情報に従いダウンリンクデータの復調処理を完了できることを保証するために、基地局は、リソースエレメント位置でダウンリンク情報を送信する。
【０２９０】
実施形態９
図１０は、本発明の実施形態９によるダウンリンク情報処理方法のフローチャートである。本実施形態は、ダウンリンク情報がＰＤＣＣＨ又はＥＰＤＣＣＨを含む場合に、「基地局が、ダウンリンク情報のセル固有周波数シフトに従いリソースエレメント位置を決定する」ステップの特定の実装処理に関する。図１０に示すように、方法は以下のステップを含む。
【０２９１】
ステップ９０１：基地局は、式
【０２９２】
【数２１１】
0006448850.tif 000081
に従い、リソースエレメント位置の周波数ドメインインデックスｋを決定する。
【０２９３】
ｍ’＝０又は１、
【０２９４】
【数２１２】
0006448850.tif 000082
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか又は組合せである。
【０２９５】
本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂ及び基地局により送信されるＣＲＳのために構成されるアンテナポート数ｎに従い基地局により決定される。本方法では、１タイムスロットの時間長以下のＴＴＩの範囲内で基地局により使用される周波数ドメインリソース又は時間ドメインリソースが、既存ＬＴＥシステムにおいて１ｍｓである期間のＴＴＩの範囲内で基地局により使用されるものと異なり得ることを考慮して、リソースエレメント位置は、非制御領域のリソースエレメント位置に設定されて良く、又は制御領域のリソースエレメント位置に設定されて良い。
【０２９６】
本実施形態では、基地局は、ＴＴＩの位置するシンボルのリソースエレメント位置でＰＤＣＣＨ又はＥＰＤＣＣＨを送信する。したがって、ＵＥは、より短いＴＴＩの範囲内のダウンリンクデータ受信し及びダウンリンクデータを復調でき、それにより、より短いＲＴＴ及びより短いデータ送信遅延を達成する。
【０２９７】
任意で、本実施形態では、ダウンリンク情報がＰＤＣＣＨ又はＥＰＤＣＣＨを含む場合、１タイムスロットの時間長以下のＴＴＩの範囲内で基地局により使用される時間ドメインリソース又は周波数ドメインリソースのセグメントが、既存ＬＴＥシステムにおける基地局により使用されるものと同じであり得る場合、「基地局が、ダウンリンク情報のセル固有周波数シフトに従いリソースエレメント位置を決定する」ステップは、代替で、以下の方法を用いて達成されて良い。該方法は、具体的に次の通りである。
【０２９８】
基地局は、式
【０２９９】
【数２１６】
0006448850.tif 000083
に従いリソースエレメント位置の周波数ドメインインデックスｋを決定し、ここで、ｍ’＝０又は１、
【０３００】
【数２１７】
0006448850.tif 000084
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか１つ又は組合せであり、ＣＦＩは基地局により送信されるＰＣＦＩＣＨで伝達される制御フォーマット指示子情報であり、ｎｓはＴＴＩの位置するタイムスロットのインデックスである。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０３０１】
本実施形態では、１タイムスロットの時間長以下のＴＴＩの範囲内で基地局により使用される時間ドメインリソース又は周波数ドメインリソースのセグメントが既存ＬＴＥシステムにおける基地局により使用されるものと同じであり得ることを考慮すると、基地局が１シンボルの時間長以下のＴＴＩの範囲内でダウンリンク情報を送信するとき、既存ＬＴＥシステムにおける基地局が制御領域野内で制御情報を送信する処理が影響される場合を回避するために、基地局は、非制御領域のリソースエレメント位置だけにある１タイムスロットの時間長以下のＴＴＩの範囲内でＰＤＣＣＨ又はＥＰＤＣＣＨを送信できる。したがって、時間ドメイン中間変数ｌ’’は、ＣＦＩ、及びＴＴＩの位置するタイムスロットのインデックスに関連する。例えば、図１に示すｓｌｏｔ０の中で、基地局は、シンボルインデックスが３であり且つ搬送波番号が０であるリソースエレメント位置で、ＰＤＣＣＨ又はＥＰＤＣＣＨを送信できない。
【０３０２】
ステップ９０２：基地局は、ＴＴＩに含まれるシンボルのインデックスをリソースエレメント位置の時間ドメインインデックスｌとして決定する。
【０３０３】
シンボルは、ＯＦＤＭシンボル又はＳＣ−ＦＤＭＡシンボルである。
【０３０４】
本実施形態では、ＴＴＩの期間が１シンボルの時間長以上であり且つ１タイムスロットの時間長より少ないので、リソースエレメント位置の時間ドメインインデックスｌは、ＴＴＩに含まれるシンボルのインデックスである。
【０３０５】
ステップ９０３：基地局は、リソースエレメント位置の周波数ドメインインデックス及びリソースエレメント位置の時間ドメインインデックスに従い、リソースエレメント位置を決定する。
【０３０６】
留意すべきことに、本実施形態における他のステップは、図７に示す実施形態における方法のステップと同じである。詳細事項は、ここで再び記載されない。
【０３０７】
本実施形態で提供されるダウンリンク情報処理方法によると、ダウンリンク情報がＰＤＣＣＨ又はＥＰＤＣＣＨを含むとき、基地局は、式
【０３０８】
【数２２０】
0006448850.tif 000085
に従いリソースエレメント位置の周波数ドメインインデックスｋを決定し、ＴＴＩに含まれるシンボルのインデックスをリソースエレメント位置の時間ドメインインデックスｌとして決定する。したがって、ダウンリンク情報がＰＤＣＣＨ又はＥＰＤＣＣＨのようなダウンリンク制御チャネルであるとき、基地局は、ＵＥがダウンリンク情報を受信し及びダウンリンク情報に従いダウンリンクデータの復調処理を完了できることを保証するために、リソースエレメント位置でダウンリンク情報を送信する。さらに、基地局がダウンリンク情報を送信するためのリソースエレメント位置を設定するために現在状況に従い適正な方法を選択できるように、リソースエレメント位置が制御領域のリソースエレメント位置と一致し得るか否かを柔軟に設定するために、時間ドメイン中間変数が制限されて良い。これは、基地局が１タイムスロットの時間長以下のＴＴＩの範囲内でダウンリンク情報を送信するとき、既存ＬＴＥシステムにおける基地局が制御領域内で制御情報を送信する処理が影響される場合を回避する。
【０３０９】
任意で、図７〜図１０に示した前述の実施形態のうちのいずれか１つで、基地局により、ダウンリンク情報のセル固有周波数シフトはＣＲＳのセル固有周波数シフトに等しいことを決定するステップの前に、方法は、基地局により、式νｓｈｉｆｔ１＝ＮｃｅｌｌＩＤｍｏｄ６に従いＣＲＳのセル固有周波数シフトνｓｈｉｆｔ１を決定するステップであって、ＮｃｅｌｌＩＤはＵＥの位置するセルの物理レイヤセル識別子である、ステップを更に含む。
【０３１０】
実施形態１０
図１１Ａ及び図１１Ｂは、本発明の実施形態１０によるダウンリンク情報処理方法の例示的フローチャートである。図１１Ａ及び図１１Ｂに示すように、方法は以下のステップを含む。
【０３１１】
ステップ１００１：基地局は、ダウンリンク情報のセル固有周波数シフトがＣＲＳのセル固有周波数シフトに等しいことを決定する。
【０３１２】
ＣＲＳは、基地局により送信されるセル固有参照信号であり、ダウンリンク情報はＤＭ−ＲＳ、ＰＤＣＣＨ、又はＥＰＤＣＣＨのうちのいずれか１つを含む。
【０３１３】
任意で、本実施形態では、基地局は、式νｓｈｉｆｔ１＝ＮｃｅｌｌＩＤｍｏｄ６に従いＣＲＳのセル固有周波数シフトνｓｈｉｆｔ１を決定する。ここで、ＮｃｅｌｌＩＤはＵＥの位置するセルの物理レイヤセル識別子である。
【０３１４】
ステップ１００２：基地局は、ダウンリンク情報の種類及びＴＴＩの期間を決定する。ダウンリンク情報がＤＭ−ＲＳを含み且つＴＴＩの期間が１タイムスロットの時間長に等しい場合、基地局はステップ１００３を実行する。あるいは、ダウンリンク情報がＤＭ−ＲＳを含み且つＴＴＩの期間が１シンボルの時間長以上であり且つ１タイムスロットの時間長より少ない場合、基地局はステップ１００４を実行する。あるいは、ダウンリンク情報がＰＤＣＣＨ又はＥＰＤＣＣＨを含む場合、基地局はステップ１００５を実行する。
【０３１５】
ステップ１００３：基地局は、ダウンリンク情報のセル固有周波数シフトに従いリソースエレメント位置の周波数ドメインインデックスｋを決定し、時間ドメイン中間変数に従いリソースエレメント位置の時間ドメインインデックスを決定する。あるいは、基地局は、ダウンリンク情報のセル固有周波数シフトに従いリソースエレメント位置の周波数ドメインインデックスｋを決定し、時間ドメイン中間変数及びＣＦＩに従いリソースエレメント位置の時間ドメインインデックスを決定する。次に、基地局はステップ１００６を実行する。
【０３１６】
任意で、本実施形態では、基地局により、ダウンリンク情報のセル固有周波数シフトに従いリソースエレメント位置の周波数ドメインインデックスを決定するステップは、基地局により、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定するステップであって、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ステップ、を含む。
【０３１７】
本実施形態では、基地局は、以下の２つの特定の方法を用いて、リソースエレメント位置の時間ドメインインデックスを決定する。
【０３１８】
第１の方法：基地局が、１タイムスロットの時間長である期間のＴＴＩの範囲内でダウンリンク情報を送信し、且つ基地局により使用される周波数ドメインリソース又は時間ドメインリソースが既存ＬＴＥシステムにおける基地局により使用されるものと異なる場合、基地局は、制御領域又は非制御領域のリソースエレメント位置でＤＭ−ＲＳを送信して良い。具体的に、基地局は、式ｌ＝ｌ’ｍｏｄ２に従いリソースエレメント位置の時間ドメインインデックスｌを決定する。ここで、ｌ’は時間ドメイン中間変数であり、
【０３１９】
【数２２７】
0006448850.tif 000086
及びｎｓはＴＴＩである。
【０３２０】
情報がｐ∈｛１０７，１０８｝であるとき、既存ＬＴＥシステムにおける基地局による制御領域内の制御情報の送信は影響され、基地局は、非制御領域のリソースエレメント位置でのみ、ＤＭ−ＲＳを送信できる。具体的に、基地局は、式
【０３２１】
【数２２８】
0006448850.tif 000087
に従いリソースエレメント位置の時間ドメインインデックスｌを決定する。ここで、ｎｓはＴＴＩの位置するタイムスロットのインデックスであり、ｌ’は時間ドメイン中間変数であり、
【０３２２】
【数２２９】
0006448850.tif 000088
である。
【０３２３】
ステップ１００４：基地局は、ダウンリンク情報のセル固有周波数シフトに従い、リソースエレメント位置の周波数ドメインインデックスｋを決定し、ＴＴＩに含まれるシンボルのインデックスをリソースエレメント位置の時間ドメインインデックスとして決定する。次に、基地局はステップ１００６を実行する。
【０３２４】
本実施形態では、ＴＴＩの期間が１シンボルの時間長なので、リソースエレメント位置の時間ドメインインデックスはＴＴＩに含まれるシンボルのインデックスである。リソースエレメント位置の周波数ドメインインデックスは、以下の２つの方法を用いて決定される。
【０３２５】
第１の方法：基地局が、１シンボルの時間長である期間のＴＴＩの範囲内でダウンリンク情報を送信し、且つ基地局により使用される周波数ドメインリソース又は時間ドメインリソースが既存ＬＴＥシステムにおける基地局により使用されるものと異なる場合、基地局は、制御領域又は非制御領域のリソースエレメント位置でＤＭ−ＲＳを送信して良い。具体的に、基地局は、式ｋ＝６ｍ’＋ＮＲＢｓｃｎＰＲＢ＋（ｋ’＋νｓｈｉｆｔ２）ｍｏｄ６；ｌ≠ｌ’’に従い、リソースエレメント位置の周波数ドメインインデックスｋを決定し、ここで、ｍ’＝０又は１、ｋ’＝０又は３、
【０３２６】
【数２３１】
0006448850.tif 000089
ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである。
【０３２７】
第２の方法：基地局が、１シンボルの時間長である期間のＴＴＩの範囲内でダウンリンク情報を送信し、且つ基地局により使用される周波数ドメインリソース又は時間ドメインリソースが既存ＬＴＥシステムにおける基地局により使用されるものと同じ場合、既存ＬＴＥシステムにおける基地局による制御領域内の制御情報の送信に影響を与えることを回避するために、基地局は、非制御領域のリソースエレメント位置でのみＤＭ−ＲＳを送信できる。具体的に、基地局は、式ｋ＝６ｍ’＋ＮＲＢｓｃｎＰＲＢ＋（ｋ’＋νｓｈｉｆｔ２）ｍｏｄ６；ｌ≠ｌ’’に従い、リソースエレメント位置の周波数ドメインインデックスｋを決定し、ここで、ｍ’＝０又は１、ｋ’＝０又は３、
【０３２８】
【数２３５】
0006448850.tif 000090
ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩは基地局により送信されるＰＣＦＩＣＨで伝達されるフォーマット指示子情報であり、ｎｓはＴＴＩの位置するタイムスロットのインデックスである。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０３２９】
ステップ１００５：基地局は、式
【０３３０】
【数２３８】
0006448850.tif 000091
に従いリソースエレメント位置の周波数ドメインインデックスｋを決定し、ＴＴＩに含まれるシンボルのインデックスをリソースエレメント位置の時間ドメインインデックスｌとして決定する。ここで、ｍ’＝０又は１であり、ｌ’’は中間時間ドメイン変数であり、ｋ’＝０又は３であり、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されたアンテナポート数であり、ｍ’’は−２，−１，１，又は２のうちのいずれか１つ又は組合せである。
【０３３１】
本実施形態では、ダウンリンク情報はＰＤＣＣＨ又はＥＰＤＣＣＨである。ＰＤＣＣＨ又はＥＰＤＣＣＨは１シンボルに対応するので、リソースエレメント位置の時間ドメインインデックスｌは、ＴＴＩに含まれるシンボルのインデックスである。本実施形態では、リソースエレメント位置の周波数ドメインインデックスの値は、中間変数ｌ’’の値を制御することにより変更されて良く、以下の２つの方法がある。
【０３３２】
第１の方法：基地局により使用される周波数ドメインリソース又は時間ドメインリソースが、既存ＬＴＥシステムにおける基地局により使用されるものと異なる場合、基地局は、制御領域又は非制御領域のリソースエレメント位置でＤＭ−ＲＳを送信して良い。
【０３３３】
【数２４０】
0006448850.tif 000092
及びＮＤＬｓｙｍｂは１ダウンリンクタイムスロット内のＯＦＤＭシンボル又はＳＣ−ＦＤＭＡシンボルの数である。
【０３３４】
第２の方法：基地局により使用される周波数ドメインリソース又は時間ドメインリソースが、既存ＬＴＥシステムにおける基地局により使用されるものと同じ場合、既存ＬＴＥシステムにおける基地局による制御領域内の制御情報の受信に影響することを回避するために、基地局は、非制御領域のリソースエレメント位置でのみＤＭ−ＲＳを送信できる。
【０３３５】
【数２４２】
0006448850.tif 000093
ｋ’＝０又は３であり、ｎは基地局により送信されるＣＲＳのために構成されたアンテナポート数であり、ＮＤＬｓｙｍｂは１ダウンリンクタイムスロット内のＯＦＤＭシンボル又はＳＣ−ＦＤＭＡシンボルの数であり、ＣＦＩは基地局により送信されるＰＣＦＩＣＨで伝達されるフォーマット指示子情報であり、ｎｓはＴＴＩの位置するタイムスロットのインデックスである。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０３３６】
ステップ１００６：基地局は、リソースエレメント位置の周波数ドメインインデックス及びリソースエレメント位置の時間ドメインインデックスに従い、リソースエレメント位置を決定する。
【０３３７】
ステップ１００７：基地局は、リソースエレメント位置においてダウンリンク情報をＵＥへ送信する。
【０３３８】
本実施形態において提供されるダウンリンク情報処理方法によると、基地局は、ダウンリンク情報のセル固有周波数シフトがＣＲＳのセル固有周波数シフトに等しいことを決定し、ダウンリンク情報の種類及びＴＴＩの期間を決定し、ダウンリンク情報がＤＭ−ＲＳを含み且つＴＴＩの期間が１タイムスロットの時間長に等しい場合、基地局は、ダウンリンク情報のセル固有周波数シフトに従いリソースエレメント位置の周波数ドメインインデックスを決定し及び時間ドメイン中間変数に従いリソースエレメント位置の時間ドメインインデックスを決定し、又は、基地局は、ダウンリンク情報のセル固有周波数シフトに従いリソースエレメント位置の周波数ドメインインデックスを決定し及び時間ドメイン中間変数及びＣＦＩに従いリソースエレメント位置の時間ドメインインデックスを決定し、ダウンリンク情報がＤＭ−ＲＳを含み且つＴＴＩの期間が１シンボルの時間長以上であり且つ１タイムスロットの時間長より少ない場合、基地局は、ダウンリンク情報のセル固有周波数シフトに従いリソースエレメント位置の周波数ドメインを決定し及びＴＴＩに含まれるシンボルのインデックスをリソースエレメント位置の時間ドメインインデックスとして決定し、或いは、ダウンリンク情報がＰＤＣＣＨ又はＥＰＤＣＣＨを含む場合、基地局は、式
【０３３９】
【数２４４】
0006448850.tif 000094
に従いリソースエレメント位置の周波数ドメインインデックスを決定し及びＴＴＩに含まれるシンボルのインデックスをリソースエレメント位置の時間ドメインインデックスｌとして決定し、次に、基地局は、リソースエレメント位置の周波数ドメインインデックス及びリソースエレメント位置の時間ドメインインデックスに従いリソースエレメント位置を決定する。本実施形態では、比較的短いＴＴＩの範囲内で基地局により送信されるダウンリンク情報がＵＥにより受信できるように、基地局は、ダウンリンク情報の種類及びＴＴＩの期間に従い、異なる方法を用いてリソースエレメント位置を得る。特に、比較的短いＴＴＩの範囲内で基地局により使用される周波数ドメインリソース又は時間ドメインリソースが、既存ＬＴＥシステムにおける基地局により使用されるものと同じとき、基地局が比較的短いＴＴＩの範囲内でダウンリンク情報を送信するとき既存ＬＴＥシステムにおける基地局による制御領域における制御情報の受信が影響されるという技術的問題を回避するために、リソースエレメント位置が制御領域に設定されることが防止される。
【０３４０】
実施形態１１
図１２は、本発明の実施形態１１によるＵＥの概略構造図である。図１２に示すように、ＵＥは、決定モジュール１１、処理モジュール１２、受信モジュール１３、及び復調モジュール１４を含む。決定モジュール１１は、ダウンリンク情報のセル固有周波数シフトがＣＲＳのセル固有周波数シフトに等しいことを決定するよう構成され、ＣＲＳは、ユーザ機器ＵＥの位置するセルのセル固有参照信号である。処理モジュール１２は、ダウンリンク情報のセル固有周波数シフトに従いリソースエレメント位置を決定するよう構成される。ここで、リソースエレメント位置の属する送信時間間隔ＴＴＩの期間は、１タイムスロットの時間長以下である。受信モジュール１３は、リソースエレメント位置においてダウンリンク情報を受信するよう構成される。復調モジュール１４は、ダウンリンク情報に従いダウンリンクデータを復調するよう構成される。
【０３４１】
任意的に、本実施形態では、処理モジュール１２がダウンリンク情報のセル固有周波数シフトに従いリソースエレメント位置を決定することは、ＴＴＩに含まれるシンボルのインデックスが決定された後に、リソースエレメント位置に対応するシンボルインデックスがＣＲＳのリソースエレメント位置のシンボルインデックスと同じ場合に、リソースエレメント位置がＣＲＳの位置するリソースエレメント位置と一致しないように、処理モジュール１２が、予め定められた式又は所定方法を用いて、ダウンリンク情報のセル固有周波数シフトに従い、ダウンリンク情報を受信するためのリソースエレメント位置に対応する搬送波番号を設定して良いことを含む。代替で、予め設定された式又は所定方法は、ダウンリンク情報を受信するためのリソースエレメント位置に対応する搬送波番号を番号０、３、又はＣＲＳ信号の位置する搬送波等と等しくさせないために使用される。リソースエレメント位置に対応するシンボルインデックスがＣＲＳのシンボルインデックスと異なる場合、処理モジュール１２は、リソースエレメント位置を、ＣＲＳの位置するリソースエレメント位置に隣接する位置に設定して良い。さらに、本実施形態では、ダウンリンク情報は、ＣＲＳを受信するためのリソースエレメント位置で受信できない。したがって、ダウンリンク情報のセル固有周波数シフトがＣＲＳのセル固有周波数シフトに等しいことが決定され、ダウンリンク情報の周波数シフトはＣＲＳのセル固有周波数シフトと共に変化し、それにより、ダウンリンク情報を受信するためのリソースエレメント位置がＣＲＳを受信するためのリソースエレメント位置に一致しないことを保証する。例えば、ＣＲＳのセル固有周波数シフトは、νｓｈｉｆｔ１＝ＮｃｅｌｌＩＤｍｏｄ６であり、ここでＮｃｅｌｌＩＤは物理レイヤセル識別子である。
【０３４２】
留意すべきことに、本実施形態におけるタイムスロット長は０．５ｍｓ以下である。つまり、ＴＴＩの期間は０．５ｍｓ以下である。１５ｋＨｚ搬送波間隔を有するＬＴＥシステムでは、１タイムスロットの長さは０．５ｍｓである。１５ｋＨｚより大きな搬送波間隔を有する通信システムでは、１タイムスロットの長さは０．５ｍｓより短い時間単位であって良い。
【０３４３】
任意で、本実施形態で、ダウンリンク情報は、ＤＭ−ＲＳ、ＰＤＣＣＨ、又はＥＰＤＣＣＨのうちのいずれか１つを含む。
【０３４４】
任意で、本実施形態では、決定モジュール１１は、式νｓｈｉｆｔ１＝ＮｃｅｌｌＩＤｍｏｄ６に従いＣＲＳのセル固有周波数シフトνｓｈｉｆｔ１を決定するよう更に構成される。ここで、ＮｃｅｌｌＩＤはＵＥの位置するセルの物理レイヤセル識別子である。
【０３４５】
本実施形態のＵＥは、図２に示した方法の実施形態の技術的ソリューションを実行するよう構成されて良く、その実装原理及び技術的効果は同様である。詳細事項は、ここで再び記載されない。
【０３４６】
実施形態１２
さらに、本発明の実施形態１２において提供されるＵＥによると、ダウンリンク情報がＤＭ−ＲＳを含み、且つＴＴＩの期間が１タイムスロットの時間長に等しい場合、処理モジュールが、ダウンリンク情報のセル固有周波数シフトに従いリソースエレメント位置を決定することは、処理モジュール１２が、ダウンリンク情報のセル固有周波数シフトに従いリソースエレメント位置の周波数ドメインインデックスｋを決定し、時間ドメイン中間変数に従いリソースエレメント位置の時間ドメインインデックスを決定し、又は時間ドメイン中間変数及びＣＦＩに従いリソースエレメント位置の時間ドメインインデックスを決定し、時間ドメイン中間変数は、ＴＴＩの位置するサブフレームの種類に従い決定される変数であり、ＣＦＩは、ＵＥの位置するセルの物理制御フォーマット指示チャネルＰＣＦＩＣＨで伝達される制御フォーマット指示子情報であり、リソースエレメント位置の周波数ドメインインデックス及びリソースエレメント位置の時間ドメインインデックスに従い、リソースエレメントの位置を決定するよう構成され、時間ドメイン中間変数はＴＴＩの位置するサブフレームの種類に従い決定される変数である、ことを含む。
【０３４７】
任意で、本実施形態では、処理モジュール１２が、ダウンリンク情報のセル固有周波数シフトに従いリソースエレメント位置の周波数ドメインインデックスｋを決定することは、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定し、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ことを含む。留意すべきことに、本実施形態では、ｋ’の値は、ＤＭ−ＲＳの位置するアンテナポートの番号ｐに依存する。例えば、ｐ∈｛１０７，１０８｝のときｋ’＝１、又はｐ∈｛１０９，１１０｝のときｋ’＝０である。ポート番号１０７、１０８、１０９、及び１１０は、本実施形態におけるソリューションを記載するための単なる一例である。代替で、ＤＭ−ＲＳの位置するアンテナポートの番号ｐは別のポート番号であって良い。これは、本発明において限定されない。
【０３４８】
任意で、本実施形態では、ダウンリンク信号を受信するためのリソースエレメント位置が制御領域又は非制御領域内に設定され得るとき、処理モジュール１２が、時間ドメイン中間変数に従いリソースエレメント位置の時間ドメインインデックスを決定することは、式ｌ＝ｌ’ｍｏｄ２に従い、リソースエレメント位置の時間ドメインインデックスｌを決定し、ここでｌ’は時間ドメイン中間変数であり、
【０３４９】
【数２５１】
0006448850.tif 000095
及びｎｓはＴＴＩの位置するタイムスロットのインデックスである、ことを含む。
【０３５０】
任意で、本実施形態では、ダウンリンク信号を受信するためのリソースエレメント位置が非制御領域内にだけ設定できるとき、処理モジュール１２が、時間ドメイン中間変数及びＵＥの位置するセルのＣＦＩに従いリソースエレメント位置の時間ドメインインデックスを決定することは、式
【０３５１】
【数２５２】
0006448850.tif 000096
に従い、リソースエレメント位置の時間ドメインインデックスｌを決定し、ここで、ｎｓはＴＴＩの位置するタイムスロットのインデックスであり、ｌ’は時間ドメイン中間変数であり、
【０３５２】
【数２５３】
0006448850.tif 000097
である、ことを含む。
【０３５３】
本実施形態では、処理モジュール１２によりリソースエレメント位置の時間ドメインインデックスを決定する特定の実装原理については、図３に示した実施形態の中のステップ２０２を参照する。詳細事項は、ここで記載されない。
【０３５４】
留意すべきことに、本実施形態では、ｓｌｏｔ０は、タイムスロットインデックスｍｏｄ２が０に等しいタイムスロットを表し、ｓｌｏｔ１は、タイムスロットインデックスｍｏｄ２が１に等しいタイムスロットを表す。さらに、本実施形態で提供される時間ドメイン中間変数ｌ’の値についての条件は、本実施形態の中のソリューションにおけるサブフレーム種類が既存ＬＴＥシステムのものと共存することを示す単なる一例である。代替で、ｌ’は｛０，１｝、｛２，３｝、又は｛０，１，２，３｝の中の値であって良い。これは、本発明において限定されない。
【０３５５】
本実施形態の機器は、図３に示した方法の実施形態の技術的ソリューションを実行するよう構成されて良く、その実装原理及び技術的効果は同様である。詳細事項は、ここで再び記載されない。
【０３５６】
実施形態１３
さらに、本発明の実施形態１３において提供されるＵＥによると、ダウンリンク情報がＤＭ−ＲＳを含み、且つＴＴＩの期間が１シンボルの時間長以上であり且つ１タイムスロットの時間長より少ない場合、処理モジュールが、ダウンリンク情報のセル固有周波数シフトに従いリソースエレメント位置を決定することは、処理モジュール１２が、ダウンリンク情報のセル固有周波数シフトに従い、リソースエレメント位置の周波数ドメインインデックスｋを決定し、ＴＴＩに含まれるシンボルのインデックスをリソースエレメント位置の時間ドメインインデックスとして決定し、シンボルはＯＦＤＭシンボル又はＳＣ−ＦＤＭＡシンボルであり、リソースエレメント位置の周波数ドメインインデックス及びリソースエレメント位置の時間ドメインインデックスに従い、リソースエレメント位置を決定する、ことを含む。
【０３５７】
任意で、本実施形態では、処理モジュール１２が、ダウンリンク情報のセル固有周波数シフトに従いリソースエレメント位置の周波数ドメインインデックスｋを決定することは、処理モジュール１２が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０３５８】
【数２５５】
0006448850.tif 000098
ＮＲＢｓｃは周波数ドメインリソースブロックサイズであり、ｎPRBは物理リソースブロック番号であり、ｎＰＲＢは正整数であり、νshift２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである、ことを含む。本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、ＵＥの位置するセルのＣＲＳのために構成されるアンテナポート数ｎと、に従い処理モジュール１２により決定される。ｌ＝ｌ’’のとき、処理モジュール１２は、式ｋ＝６ｍ’＋ＮＲＢｓｃｎＰＲＢ＋（ｋ’＋νｓｈｉｆｔ２）ｍｏｄ６に従いリソースエレメント位置の周波数ドメインインデックスｋを決定する。本方法を用いて決定されたリソースエレメント位置は、非制御領域のリソースエレメント位置であって良く、又は制御領域のリソースエレメント位置であって良い。
【０３５９】
留意すべきことに、本実施形態では、ｌ＝ｌ’’の場合、ダウンリンク情報処理機器は、基地局により送信されたＤＭ−ＲＳを受信する必要がないが、ダウンリンクデータを復調するためにＣＲＳ信号を使用する。さらに、本実施形態では、ｋ’の値は、ＤＭ−ＲＳの位置するアンテナポートの番号ｐに依存する。例えば、ｐ∈｛１０７｝のときｋ’＝０、又はｐ∈｛１０８｝のときｋ’＝３である。ポート番号１０７及び１０８は、本実施形態におけるソリューションを記載するための単なる一例である。代替で、ＤＭ−ＲＳの位置するアンテナポートの番号ｐは別のポート番号であって良い。これは、本発明において限定されない。
【０３６０】
任意で、本実施形態では、処理モジュール１２が、ダウンリンク情報のセル固有周波数シフトに従いリソースエレメント位置の周波数ドメインインデックスｋを決定することは、処理モジュール１２が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０３６１】
【数２６１】
0006448850.tif 000099
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩはＵＥの位置するセルの物理制御フォーマット指示チャネルＰＣＦＩＣＨで伝達される制御フォーマット指示子情報であり、ｎｓはＴＴＩの位置するタイムスロットのインデックスであり、ｌはリソースエレメント位置の時間ドメインインデックスである、ことを含む。本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、ダウンリンク情報処理機器の位置するセルのＣＲＳのために構成されるアンテナポート数ｎと、ＣＦＩと、ＴＴＩの位置するタイムスロットのインデックスと、に従い処理モジュール１２により決定される変数である。ｌ＝ｌ’’のとき、処理モジュール１２は、式ｋ＝６ｍ’＋ＮＲＢｓｃｎＰＲＢ＋（ｋ’＋νｓｈｉｆｔ２）ｍｏｄ６に従いリソースエレメント位置の周波数ドメインインデックスｋを決定する。リソースエレメント位置が制御領域のリソースエレメント位置と一致しないように、時間ドメイン中間変数ｌ’’が制限される。それにより、ＵＥが１タイムスロットの時間長より少なく且つ１シンボルの時間長以上のＴＴＩの範囲内でダウンリンク情報を受信するとき、依然としてレガシー復調モードを使用しているＵＥが制御領域内の制御情報を受信する処理が影響される場合を回避する。留意すべきことに、本実施形態では、ｌ＝ｌ’’の場合、ＵＥは、基地局により送信されたＤＭ−ＲＳを受信する必要がないが、ダウンリンクデータを復調するためにＣＲＳ信号を使用する。
【０３６２】
本実施形態の機器は、図４に示した方法の実施形態の技術的ソリューションを実行するよう構成されて良く、その実装原理及び技術的効果は同様である。詳細事項は、ここで再び記載されない。
【０３６３】
実施形態１４
さらに、本発明の実施形態１４で提供されるＵＥによると、ダウンリンク情報がＰＤＣＣＨ又はＥＰＤＣＣＨを含む場合、処理モジュール１２が、ダウンリンク情報のセル固有周波数シフトに従いリソースエレメント位置を決定することは、処理モジュール１２が、式
【０３６４】
【数２６６】
0006448850.tif 000100
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０又は１、
【０３６５】
【数２６７】
0006448850.tif 000101
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか１つ又は組み合わせである、ことを含む。時間ドメイン中間変数ｌ’’は、１ダウンリンクタイムスロット内のＯＦＤＭシンボル又はＳＣ−ＦＤＭＡシンボルの数ＮＤＬｓｙｍｂと、ＵＥの位置するセルのＣＲＳのために構成されるアンテナポート数ｎと、に従い処理モジュール１２により決定される変数である。本方法では、１タイムスロットの時間長以下のＴＴＩの範囲内でＵＥにより使用される周波数ドメインリソース又は時間ドメインリソースが、既存ＬＴＥシステムにおいて１ｍｓである期間のＴＴＩの範囲内でＵＥにより使用されるものと異なり得ることを考慮して、リソースエレメント位置は、非制御領域のリソースエレメント位置に設定されて良く、又は制御領域のリソースエレメント位置に設定されて良い。
【０３６６】
任意で、本実施形態では、ダウンリンク情報がＰＤＣＣＨ又はＥＰＤＣＣＨを含む場合、１タイムスロットの時間長以下のＴＴＩの範囲内でＵＥにより使用される時間ドメインリソース又は周波数ドメインリソースのセグメントがレガシー復調モードを使用しているＵＥにより使用されるものと同じであり得ることを考慮して、処理モジュール１２は、式
【０３６７】
【数２７１】
0006448850.tif 000102
に従いリソースエレメント位置の周波数ドメインインデックスｋを決定し、ここで、ｍ’＝０又は１、
【０３６８】
【数２７２】
0006448850.tif 000103
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか１つ又は組合せであり、ＣＦＩはＵＥの位置するセルの物理制御フォーマット指示チャネルＰＣＦＩＣＨで伝達される制御フォーマット指示子情報であり、ｎｓはＴＴＩの位置するタイムスロットのインデックスである。本実施形態では、１タイムスロットの時間長以下のＴＴＩの範囲内でＵＥにより使用される時間ドメインリソース又は周波数ドメインリソースがレガシー復調モードを使用するＵＥにより使用されるものと同じであり得ることを考慮すると、ＵＥが１タイムスロットの時間長以下のＴＴＩの範囲内でダウンリンク情報を受信するとき、依然としてレガシー復調モードを使用しているＵＥが制御領域内の制御情報を受信する処理が影響される場合を回避するために、ＵＥは、非制御領域のリソースエレメント位置だけにある１タイムスロットの時間長以下のＴＴＩの範囲内でＰＤＣＣＨ又はＥＰＤＣＣＨを受信できる。したがって、時間ドメイン中間変数ｌ’’は、ＣＦＩ、及びＴＴＩの位置するタイムスロットのインデックスに関連する。
【０３６９】
本実施形態の機器は、図５に示した方法の実施形態の技術的ソリューションを実行するよう構成されて良く、その実装原理及び技術的効果は同様である。詳細事項は、ここで再び記載されない。
【０３７０】
実施形態１５
図１３は、本発明の実施形態１５による基地局の概略構造図である。図１３に示すように、機器は、決定モジュール２１、処理モジュール２２、及び送信モジュール２３を含む。決定モジュール２１は、ダウンリンク情報のセル固有周波数シフトがＣＲＳのセル固有周波数シフトに等しいことを決定するよう構成され、ＣＲＳは、基地局により送信されるセル固有参照信号である。処理モジュール２２は、ダウンリンク情報のセル固有周波数シフトに従いリソースエレメント位置を決定するよう構成される。ここで、リソースエレメント位置の属する送信時間間隔ＴＴＩの期間は、１タイムスロットの時間長以下である。送信モジュール２３は、リソースエレメント位置においてダウンリンク情報をＵＥへ送信するよう構成される。
【０３７１】
留意すべきことに、本実施形態では、１つの基地局は１又は複数のセルを同時に供給して良い。基地局により供給されるセルは、ユニークな物理レイヤセル識別子を有する。基地局は、セルのＣＲＳのセル固有周波数シフトを決定するために、物理レイヤセル識別子を使用して良い。さらに、本実施形態におけるセルの物理レイヤセル識別子は、基地局に対応するＵＥの位置するセルの物理レイヤセル識別子である。
【０３７２】
本実施形態では、処理モジュール２２によりダウンリンク情報のセル固有周波数シフトに従いリソースエレメント位置を決定する特定の実装原理については、図７に示した実施形態の中のステップ６０２の実装原理を参照する。詳細事項は、ここで再び記載されない。
【０３７３】
留意すべきことに、本実施形態におけるタイムスロット長は０．５ｍｓ以下である。つまり、ＴＴＩの期間は０．５ｍｓ以下である。
【０３７４】
任意で、本実施形態では、ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【０３７５】
任意で、本実施形態では、決定モジュール２１は、式νｓｈｉｆｔ１＝ＮｃｅｌｌＩＤｍｏｄ６に従いＣＲＳのセル固有周波数シフトνｓｈｉｆｔ１を決定するよう更に構成される。ＮｃｅｌｌＩＤはＵＥの位置するセルの物理レイヤセル識別子である。
【０３７６】
本実施形態の機器は、図７に示した方法の実施形態の技術的ソリューションを実行するよう構成されて良く、その実装原理及び技術的効果は同様である。詳細事項は、ここで再び記載されない。
【０３７７】
実施形態１６
さらに、本発明の実施形態１６において提供される基地局によると、ダウンリンク情報がＤＭ−ＲＳを含み、且つＴＴＩの期間が１タイムスロットの時間長に等しい場合、処理モジュールが、ダウンリンク情報のセル固有周波数シフトに従いリソースエレメント位置を決定することは、処理モジュール２２が、ダウンリンク情報のセル固有周波数シフトに従いリソースエレメント位置の周波数ドメインインデックスｋを決定し、時間ドメイン中間変数に従いリソースエレメント位置の時間ドメインインデックスを決定し、又は時間ドメイン中間変数及びＣＦＩに従いリソースエレメント位置の時間ドメインインデックスを決定し、時間ドメイン中間変数は、ＴＴＩの位置するサブフレームの種類に従い決定される変数であり、ＣＦＩは、基地局により送信される物理制御フォーマット指示チャネルＰＣＦＩＣＨで伝達される制御フォーマット指示子情報であり、リソースエレメント位置の周波数ドメインインデックス及びリソースエレメント位置の時間ドメインインデックスに従い、リソースエレメントの位置を決定するよう構成される、ことを含む。
【０３７８】
任意で、本実施形態では、処理モジュール２２が、ダウンリンク情報のセル固有周波数シフトに従いリソースエレメント位置の周波数ドメインインデックスｋを決定することは、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定し、ここで、ｍ’＝０，１，又は２、ｋ’＝１又は０、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ことを含む。留意すべきことに、ｋ’の値は、ＤＭ−ＲＳの位置するアンテナポートの番号ｐに依存する。例えば、ｐ∈｛１０７、１０８｝のときｋ’＝１、又はｐ∈｛１０９，１１０｝のときｋ’＝０である。ポート番号１０７、１０８、１０９、及び１１０は、本実施形態におけるソリューションを記載するための単なる一例である。代替で、ＤＭ−ＲＳの位置するアンテナポートの番号ｐは別のポート番号であって良い。これは、本発明において限定されない。
【０３７９】
任意で、本実施形態では、ダウンリンク信号を送信するためのリソースエレメント位置が制御領域又は非制御領域内に設定され得るとき、処理モジュール２２が、時間ドメイン中間変数に従いリソースエレメント位置の時間ドメインインデックスを決定することは、式ｌ＝ｌ’ｍｏｄ２に従い、リソースエレメント位置の時間ドメインインデックスｌを決定し、ここでｌ’は時間ドメイン中間変数であり、
【０３８０】
【数２７９】
0006448850.tif 000104
及びｎｓはＴＴＩの位置するタイムスロットのインデックスである、ことを含む。本実施形態における方法の実装原理については、図８に示した実施形態のステップ７０２を参照する。詳細事項は、ここで再び記載されない。
【０３８１】
任意で、本実施形態では、ダウンリンク信号を送信するためのリソースエレメント位置が非制御領域内にのみ設定され得るとき、処理モジュール２２が、時間ドメイン中間変数及びＣＦＩに従いリソースエレメント位置の時間ドメインインデックスを決定することは、処理モジュール２２が、式
【０３８２】
【数２８０】
0006448850.tif 000105
に従い、リソースエレメント位置の時間ドメインインデックスｌを決定し、ここで、ｎｓはＴＴＩの位置するタイムスロットのインデックスであり、ｌ’は時間ドメイン中間変数であり、
【０３８３】
【数２８１】
0006448850.tif 000106
である、ことを含む。本実施形態における方法の実装原理については、図８に示した実施形態のステップ７０２を参照する。詳細事項は、ここで再び記載されない。
【０３８４】
本実施形態の機器は、図８に示した方法の実施形態の技術的ソリューションを実行するよう構成されて良く、その実装原理及び技術的効果は同様である。詳細事項は、ここで再び記載されない。
【０３８５】
実施形態１７
さらに、本発明の実施形態１７において提供されるダウンリンク情報処理機器によると、ダウンリンク情報がＤＭ−ＲＳを含み、且つＴＴＩの期間が１シンボルの時間長以上であり且つ１タイムスロットの時間長より少ない場合、処理モジュールが、ダウンリンク情報のセル固有周波数シフトに従いリソースエレメント位置を決定することは、処理モジュール２２が、ダウンリンク情報のセル固有周波数シフトに従い、リソースエレメント位置の周波数ドメインインデックスｋを決定し、ＴＴＩに含まれるシンボルのインデックスをリソースエレメント位置の時間ドメインインデックスとして決定し、シンボルはＯＦＤＭシンボル又はＳＣ−ＦＤＭＡシンボルであり、リソースエレメント位置の周波数ドメインインデックス及びリソースエレメント位置の時間ドメインインデックスに従い、リソースエレメント位置を決定する、ことを含む。
【０３８６】
任意で、本実施形態では、処理モジュール２２が、ダウンリンク情報のセル固有周波数シフトに従いリソースエレメント位置の周波数ドメインインデックスｋを決定することは、処理モジュール２２が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０３８７】
【数２８３】
0006448850.tif 000107
ＮＲＢｓｃは周波数ドメインリソースブロックサイズであり、ｎPRBは物理リソースブロック番号であり、ｎＰＲＢは正整数であり、νshift２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである、ことを含む。時間ドメイン中間変数ｌ’’は、１ダウンリンクタイムスロット内のＯＦＤＭシンボル又はＳＣ−ＦＤＭＡシンボルの数ＮＤＬｓｙｍｂと、基地局により送信されるＣＲＳのために構成されるアンテナポート数ｎと、に従い処理モジュール２２により決定される。ｌ＝ｌ’’のとき、処理モジュール２２は、式ｋ＝６ｍ’＋ＮＲＢｓｃｎＰＲＢ＋（ｋ’＋νｓｈｉｆｔ２）ｍｏｄ６に従いリソースエレメント位置の周波数ドメインインデックスｋを決定する。本方法を用いて決定されたリソースエレメント位置は、非制御領域のリソースエレメント位置であって良く、又は制御領域のリソースエレメント位置であって良い。
【０３８８】
留意すべきことに、本実施形態では、ｋ’の値は、ＤＭ−ＲＳの位置するアンテナポートの番号ｐに依存する。例えば、ｐ∈｛１０７｝のときｋ’＝０、又はｐ∈｛１０８｝のときｋ’＝３である。ポート番号１０７及び１０８は、本実施形態におけるソリューションを記載するための単なる一例である。代替で、ＤＭ−ＲＳの位置するアンテナポートの番号Ｐは別のポート番号であって良い。これは、本発明において限定されない。
【０３８９】
任意で、本実施形態では、処理モジュール２２が、ダウンリンク情報のセル固有周波数シフトに従いリソースエレメント位置の周波数ドメインインデックスｋを決定することは、処理モジュール２２が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０３９０】
【数２８９】
0006448850.tif 000108
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩは基地局により送信される物理制御フォーマット指示チャネルＰＣＦＩＣＨで伝達される制御フォーマット指示子情報であり、ｎｓはＴＴＩの位置するタイムスロットのインデックスであり、ｌはリソースエレメント位置の時間ドメインインデックスである、ことを含む。留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。例えば、ＣＦＩの値が１に等しい場合、ｌ’’の値は０又は１である。
【０３９１】
任意で、本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、基地局により送信されるＣＲＳのために構成されるアンテナポート数ｎと、ＣＦＩと、ＴＴＩの位置するタイムスロットのインデックスと、に従い処理モジュール２２により決定される変数である。ｌ＝ｌ’’のとき、処理モジュール２２は、式ｋ＝６ｍ’＋ＮＲＢｓｃｎＰＲＢ＋（ｋ’＋νｓｈｉｆｔ２）ｍｏｄ６に従いリソースエレメント位置の周波数ドメインインデックスｋを決定する。基地局が少なくとも１シンボルの時間長である期間のＴＴＩの範囲内でダウンリンク情報を送信するとき、既存ＬＴＥシステムにおける基地局が制御領域の中で制御情報を送信する処理が影響される場合を回避するために、リソースエレメント位置が制御領域のリソースエレメント位置と一致しないように、時間ドメイン中間変数ｌ’’が制限される。
【０３９２】
本実施形態の機器は、図９に示した方法の実施形態の技術的ソリューションを実行するよう構成されて良く、その実装原理及び技術的効果は同様である。詳細事項は、ここで再び記載されない。
【０３９３】
実施形態１８
さらに、本発明の実施形態１８で提供されるダウンリンク情報処理機器によると、ダウンリンク情報がＰＤＣＣＨ又はＥＰＤＣＣＨを含む場合、処理モジュールがダウンリンク情報のセル固有周波数シフトに従いリソースエレメント位置を決定することは、処理モジュール２２が、式
【０３９４】
【数２９４】
0006448850.tif 000109
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０又は１、
【０３９５】
【数２９５】
0006448850.tif 000110
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか１つ又は組合せであり、シンボルはＯＦＤＭシンボル又はＳＣ−ＦＤＭＡシンボルである、ことを含む。
【０３９６】
任意で、本実施形態では、時間ドメイン中間変数ｌ’’は、１ダウンリンクタイムスロット内のＯＦＤＭシンボル又はＳＣ−ＦＤＭＡシンボルの数ＮＤＬｓｙｍｂと、基地局により送信されるＣＲＳのために構成されるアンテナポート数ｎと、に従い処理モジュール２２により決定される変数である。本方法では、１タイムスロットの時間長以下のＴＴＩの範囲内で基地局により使用される周波数ドメインリソース又は時間ドメインリソースが、既存ＬＴＥシステムにおいて１ｍｓである期間のＴＴＩの範囲内で基地局により使用されるものと異なり得ることを考慮して、リソースエレメント位置は、非制御領域のリソースエレメント位置に設定されて良く、又は制御領域のリソースエレメント位置に設定されて良い。
【０３９７】
任意で、本実施形態では、ダウンリンク情報がＰＤＣＣＨ又はＥＰＤＣＣＨを含む場合、１タイムスロットの時間長以下のＴＴＩの範囲内で基地局により使用される時間ドメインリソース又は周波数ドメインリソースのセグメントが、既存ＬＴＥシステムにおける基地局により使用されるものと同じであり得ることを考慮して、処理モジュールが、ダウンリンク情報のセル固有周波数シフトに従いリソースエレメント位置を決定することは、処理モジュール２２が、式
【０３９８】
【数２９９】
0006448850.tif 000111
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０，１、
【０３９９】
【数３００】
0006448850.tif 000112
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１，又は２のうちのいずれか１つ又は組合せであり、ＣＦＩは基地局により送信される物理制御フォーマット指示チャネルＰＣＦＩＣＨで伝達されるフォーマット指示子情報であり、ｎｓはＴＴＩの位置するタイムスロットのインデックスであり、シンボルはＯＦＤＭシンボル又はＳＣ−ＦＤＭＡシンボルである。
【０４００】
留意すべきことに、ＣＦＩは値であって良く、ＣＦＩの値範囲は（１，２，３）である。したがって、０〜ＣＦＩ−１は、ｌ’’の値が０乃至ＣＦＩ−１の間の区間にある任意の整数であることを示す。例えば、ＣＦＩの値が３に等しい場合、ｌ’’の値は０、１、又は２である。同様に、０〜ｍａｘ（ＣＦＩ−１，１）は、ｌ’’の値が０乃至ｍａｘ（ＣＦＩ−１，１）の間の区間にある任意の整数であることを示す。
【０４０１】
本実施形態の機器は、図１０に示した方法の実施形態の技術的ソリューションを実行するよう構成されて良く、その実装原理及び技術的効果は同様である。詳細事項は、ここで再び記載されない。
【０４０２】
実施形態１９
図１４は、本発明の実施形態１９によるＵＥの概略構造図である。図１４に示すように、ＵＥは、プロセッサ３１及び受信機３２を含む。プロセッサ３１は、ダウンリンク情報のセル固有周波数シフトがセル固有参照信号ＣＲＳのセル固有周波数シフトに等しいことを決定するよう構成され、ＣＲＳは、ＵＥの位置するセルのセル固有参照信号である。プロセッサ３１は、ダウンリンク情報のセル固有周波数シフトに従いリソースエレメント位置を決定するよう更に構成される。ここで、リソースエレメント位置の属する送信時間間隔ＴＴＩの期間は、１タイムスロットの時間長以下である。受信機３２は、リソースエレメント位置においてダウンリンク情報を受信するよう構成される。プロセッサ３１は、ダウンリンク情報に従いダウンリンクデータを復調するよう更に構成される。本実施形態における方法の実装原理については、図２に示した実施形態の方法の実装原理を参照する。詳細事項は、ここで再び記載されない。
【０４０３】
任意で、ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【０４０４】
任意で、ダウンリンク情報がＤＭ−ＲＳを含み、且つＴＴＩの期間が１タイムスロットの時間長に等しい場合、プロセッサ３１が、ダウンリンク情報のセル固有周波数シフトに従いリソースエレメント位置を決定することは、プロセッサ３１が、ダウンリンク情報のセル固有周波数シフトに従いリソースエレメント位置の周波数ドメインインデックスｋを決定し、時間ドメイン中間変数に従いリソースエレメント位置の時間ドメインインデックスを決定し、又は時間ドメイン中間変数及びＣＦＩに従いリソースエレメント位置の時間ドメインインデックスを決定し、時間ドメイン中間変数は、ＴＴＩの位置するサブフレームの種類に従い決定される変数であり、ＣＦＩは、ＵＥの位置するセルの物理制御フォーマット指示チャネルＰＣＦＩＣＨで伝達される制御フォーマット指示子情報であり、リソースエレメント位置の周波数ドメインインデックス及びリソースエレメント位置の時間ドメインインデックスに従い、リソースエレメントの位置を決定するよう構成される、ことを含む。本実施形態における方法の実装原理については、図３に示した実施形態の方法の実装原理を参照する。詳細事項は、ここで再び記載されない。
【０４０５】
任意で、本実施形態では、プロセッサ３１が、ダウンリンク情報のセル固有周波数シフトに従いリソースエレメント位置の周波数ドメインインデックスｋを決定することは、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定し、ここで、ｍ’＝０，１，又は２、ｋ’＝０又は１、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ことを含む。本実施形態における方法の実装原理については、図３に示した実施形態のステップ２０２の方法の実装原理を参照する。詳細事項は、ここで再び記載されない。
【０４０６】
任意で、本実施形態では、ダウンリンク信号を受信するためのリソースエレメント位置が制御領域又は非制御領域内に設定され得るとき、プロセッサ３１が、時間ドメイン中間変数に従いリソースエレメント位置の時間ドメインインデックスを決定することは、プロセッサ３１が、式ｌ＝ｌ’ｍｏｄ２に従い、リソースエレメント位置の時間ドメインインデックスｌを決定し、ここでｌ’は時間ドメイン中間変数であり、
【０４０７】
【数３０５】
0006448850.tif 000113
及びｎｓはＴＴＩの位置するタイムスロットのインデックスである、ことを含む。本実施形態における方法の実装原理については、図３に示した実施形態のステップ２０２の方法の実装原理を参照する。詳細事項は、ここで再び記載されない。
【０４０８】
任意で、本実施形態では、ダウンリンク信号を受信するためのリソースエレメント位置が非制御領域内にのみ設定され得るとき、プロセッサ３１が、時間ドメイン中間変数及びＣＦＩに従いリソースエレメント位置の時間ドメインインデックスを決定することは、プロセッサ３１が、式
【０４０９】
【数３０６】
0006448850.tif 000114
に従い、リソースエレメント位置の時間ドメインインデックスｌを決定し、ここで、ｎｓはＴＴＩの位置するタイムスロットのインデックスであり、ｌ’は時間ドメイン中間変数であり、
【０４１０】
【数３０７】
0006448850.tif 000115
である、ことを含む。本実施形態における方法の実装原理については、図３に示した実施形態のステップ２０２の方法の実装原理を参照する。詳細事項は、ここで再び記載されない。
【０４１１】
任意で、ダウンリンク情報がＤＭ−ＲＳを含み、且つＴＴＩの期間が１シンボルの時間長以上であり且つ１タイムスロットの時間長より少ない場合、プロセッサ３１が、ダウンリンク情報のセル固有周波数シフトに従いリソースエレメント位置を決定することは、プロセッサ３１が、ダウンリンク情報のセル固有周波数シフトに従い、リソースエレメント位置の周波数ドメインインデックスｋを決定し、ＴＴＩに含まれるシンボルのインデックスをリソースエレメント位置の時間ドメインインデックスとして決定し、シンボルはＯＦＤＭシンボル又はＳＣ−ＦＤＭＡシンボルであり、リソースエレメント位置の周波数ドメインインデックス及びリソースエレメント位置の時間ドメインインデックスに従い、リソースエレメント位置を決定する、ことを含む。本実施形態における方法の実装原理については、図４に示した実施形態の方法の実装原理を参照する。詳細事項は、ここで再び記載されない。
【０４１２】
任意で、本実施形態では、プロセッサ３１が、ダウンリンク情報のセル固有周波数シフトに従いリソースエレメント位置の周波数ドメインインデックスｋを決定することは、プロセッサ３１が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０４１３】
【数３０９】
0006448850.tif 000116
ＮＲＢｓｃは周波数ドメインリソースブロックサイズであり、ｎPRBは物理リソースブロック番号であり、ｎＰＲＢは正整数であり、νshift２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである、ことを含む。本方法を用いて決定されたリソースエレメント位置は、非制御領域のリソースエレメント位置であって良く、又は制御領域のリソースエレメント位置であって良い。本実施形態における方法の実装原理については、図４に示した実施形態のステップ３０１の方法の実装原理を参照する。詳細事項は、ここで再び記載されない。
【０４１４】
任意で、本実施形態では、プロセッサ３１が、ダウンリンク情報のセル固有周波数シフトに従いリソースエレメント位置の周波数ドメインインデックスｋを決定することは、プロセッサ３１が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０４１５】
【数３１３】
0006448850.tif 000117
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩはＵＥの位置するセルの物理制御フォーマット指示チャネルＰＣＦＩＣＨで伝達される制御フォーマット指示子情報であり、ｎｓはＴＴＩの位置するタイムスロットのインデックスであり、ｌはリソースエレメント位置の時間ドメインインデックスである、ことを含む。本方法を用いて決定されるリソースエレメント位置は、非制御領域のリソースエレメント位置だけであり得る。本実施形態における方法の実装原理については、図４に示した実施形態のステップ３０１の方法の実装原理を参照する。詳細事項は、ここで再び記載されない。
【０４１６】
任意で、ダウンリンク情報がＰＤＣＣＨ又はＥＰＤＣＣＨを含む場合、プロセッサ３１が、ダウンリンク情報のセル固有周波数シフトに従いリソースエレメント位置を決定することは、プロセッサ３１が、式
【０４１７】
【数３１６】
0006448850.tif 000118
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０又は１、
【０４１８】
【数３１７】
0006448850.tif 000119
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１又は２のうちのいずれか１つ又は組合せであり、シンボルはＯＦＤＭシンボル又はＳＣ−ＦＤＭＡシンボルである、ことを含む。本方法では、１タイムスロットの時間長以下のＴＴＩの範囲内でＵＥにより使用される周波数ドメインリソース又は時間ドメインリソースが、既存ＬＴＥシステムにおいて１ｍｓである期間のＴＴＩの範囲内でＵＥにより使用されるものと異なり得ることを考慮して、リソースエレメント位置は、非制御領域のリソースエレメント位置に設定されて良く、又は制御領域のリソースエレメント位置に設定されて良い。
【０４１９】
任意で、ダウンリンク情報がＰＤＣＣＨ又はＥＰＤＣＣＨを含む場合、プロセッサ３１が、ダウンリンク情報のセル固有周波数シフトに従いリソースエレメント位置を決定することは、プロセッサ３１が、式
【０４２０】
【数３２０】
0006448850.tif 000120
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０又は１、
【０４２１】
【数３２１】
0006448850.tif 000121
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎはＵＥの位置するセルのＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１又は２のうちのいずれか１つ又は組合せであり、ＣＦＩはＵＥの位置するセルの物理制御フォーマット指示チャネルＰＣＦＩＣＨで伝達される制御フォーマット指示子情報であり、ｎｓはＴＴＩの位置するタイムスロットのインデックスであり、シンボルはＯＦＤＭシンボル又はＳＣ−ＦＤＭＡシンボルである、ことを含む。本方法では、１タイムスロットの時間長以下のＴＴＩの範囲内でＵＥにより使用される周波数ドメインリソース又は時間ドメインリソースが、既存ＬＴＥシステムにおいて１ｍｓである期間のＴＴＩの範囲内でＵＥにより使用されるものと同じであり得ることを考慮して、リソースエレメント位置は、非制御領域のリソースエレメント位置にのみ設定できる。
【０４２２】
任意で、プロセッサ３１は、式νｓｈｉｆｔ１＝ＮｃｅｌｌＩＤｍｏｄ６に従いＣＲＳのセル固有周波数シフトνｓｈｉｆｔ１を決定するよう更に構成される。ここで、ＮｃｅｌｌＩＤはＵＥの位置するセルの物理レイヤセル識別子である。
【０４２３】
本実施形態で提供されるＵＥは、図２〜図６Ｂに示した実施形態のうちのいずれか１つのダウンリンク情報処理方法の技術的ソリューションを実行するよう構成されて良く、その実装原理及び技術的効果は同様である。詳細事項は、ここで再び記載されない。
【０４２４】
実施形態２０
図１５は、本発明の実施形態２０による基地局の概略構造図である。図１５に示すように、基地局は、プロセッサ４１及び送信機４２を含む。プロセッサ４１は、ダウンリンク情報のセル固有周波数シフトがセル固有参照信号ＣＲＳのセル固有周波数シフトに等しいことを決定するよう構成され、ＣＲＳは、基地局により送信されるセル固有参照信号である。プロセッサ４１は、ダウンリンク情報のセル固有周波数シフトに従いリソースエレメント位置を決定するよう更に構成される。ここで、リソースエレメント位置の属する送信時間間隔ＴＴＩの期間は、１タイムスロットの時間長以下である。送信機４２は、リソースエレメント位置においてダウンリンク情報をＵＥへ送信する。本実施形態における方法の実装原理については、図７に示した実施形態の方法の実装原理を参照する。詳細事項は、ここで再び記載されない。
【０４２５】
任意で、ダウンリンク情報は、復調参照信号ＤＭ−ＲＳ、物理ダウンリンク制御チャネルＰＤＣＣＨ、又は拡張物理ダウンリンク制御チャネルＥＰＤＣＣＨ、のうちのいずれか１つを含む。
【０４２６】
任意で、ダウンリンク情報がＤＭ−ＲＳを含み、且つＴＴＩの期間が１タイムスロットの時間長に等しい場合、プロセッサ４１が、ダウンリンク情報のセル固有周波数シフトに従いリソースエレメント位置を決定することは、プロセッサ４１が、ダウンリンク情報のセル固有周波数シフトに従いリソースエレメント位置の周波数ドメインインデックスｋを決定し、時間ドメイン中間変数に従いリソースエレメント位置の時間ドメインインデックスを決定し、又は時間ドメイン中間変数及びＣＦＩに従いリソースエレメント位置の時間ドメインインデックスを決定し、時間ドメイン中間変数は、ＴＴＩの位置するサブフレームの種類に従い決定される変数であり、ＣＦＩは、基地局により送信される物理制御フォーマット指示チャネルＰＣＦＩＣＨで伝達される制御フォーマット指示子情報であり、リソースエレメント位置の周波数ドメインインデックス及びリソースエレメント位置の時間ドメインインデックスに従い、リソースエレメントの位置を決定するよう構成される、ことを含む。本実施形態における方法の実装原理については、図８に示した実施形態の方法の実装原理を参照する。詳細事項は、ここで再び記載されない。
【０４２７】
任意で、本実施形態では、プロセッサ４１が、ダウンリンク情報のセル固有周波数シフトに従いリソースエレメント位置の周波数ドメインインデックスｋを決定することは、プロセッサ４１が、式ｋ＝３ｍ’＋ＮＲＢｓｃｎＰＲＢ＋ｋ’＋（νｓｈｉｆｔ２）ｍｏｄ３＋１に従いリソースエレメント位置の周波数ドメインインデックスｋを決定し、ここで、ｍ’＝０，１，又は２、ｋ’＝１又は０、ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトである、ことを含む。本実施形態における方法の実装原理については、図８に示した実施形態のステップ７０１の方法の実装原理を参照する。詳細事項は、ここで再び記載されない。
【０４２８】
任意で、ダウンリンク信号を送信するためのリソースエレメント位置が制御領域又は非制御領域内に設定され得るとき、プロセッサ４１が、時間ドメイン中間変数に従いリソースエレメント位置の時間ドメインインデックスを決定することは、プロセッサ４１が、式ｌ＝ｌ’ｍｏｄ２に従い、リソースエレメント位置の時間ドメインインデックスｌを決定し、ここでｌ’は時間ドメイン中間変数であり、
【０４２９】
【数３２８】
0006448850.tif 000122
及びｎｓはＴＴＩの位置するタイムスロットのインデックスである、ことを含む。本実施形態における方法の実装原理については、図８に示した実施形態のステップ７０２の方法の実装原理を参照する。詳細事項は、ここで再び記載されない。
【０４３０】
任意で、ダウンリンク信号を送信するためのリソースエレメント位置が非制御領域内にのみ設定され得るとき、プロセッサ４１が、時間ドメイン中間変数及びＣＦＩに従いリソースエレメント位置の時間ドメインインデックスを決定することは、プロセッサ４１が、式
【０４３１】
【数３２９】
0006448850.tif 000123
に従い、リソースエレメント位置の時間ドメインインデックスｌを決定し、ここで、ｎｓはＴＴＩの位置するタイムスロットのインデックスであり、ｌ’は時間ドメイン中間変数であり、
【０４３２】
【数３３０】
0006448850.tif 000124
である、ことを含む。本実施形態における方法の実装原理については、図８に示した実施形態のステップ７０２の方法の実装原理を参照する。詳細事項は、ここで再び記載されない。
【０４３３】
任意で、ダウンリンク情報がＤＭ−ＲＳを含み、且つＴＴＩの期間が１シンボルの時間長以上であり且つ１タイムスロットの時間長より少ない場合、プロセッサ４１が、ダウンリンク情報のセル固有周波数シフトに従いリソースエレメント位置を決定することは、プロセッサ４１が、ダウンリンク情報のセル固有周波数シフトに従い、リソースエレメント位置の周波数ドメインインデックスを決定し、ＴＴＩに含まれるシンボルのインデックスをリソースエレメント位置の時間ドメインインデックスとして決定し、シンボルはＯＦＤＭシンボル又はＳＣ−ＦＤＭＡシンボルであり、リソースエレメント位置の周波数ドメインインデックス及びリソースエレメント位置の時間ドメインインデックスに従い、リソースエレメント位置を決定する、ことを含む。本実施形態における方法の実装原理については、図９に示した実施形態の方法の実装原理を参照する。詳細事項は、ここで再び記載されない。
【０４３４】
任意で、本実施形態では、プロセッサ４１が、ダウンリンク情報のセル固有周波数シフトに従いリソースエレメント位置の周波数ドメインインデックスｋを決定することは、プロセッサ４１が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０４３５】
【数３３２】
0006448850.tif 000125
ＮＲＢｓｃは周波数ドメインリソースブロックサイズであり、ｎPRBは物理リソースブロック番号であり、ｎＰＲＢは正整数であり、νshift２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｌはリソースエレメント位置の時間ドメインインデックスである、ことを含む。本方法を用いて決定されたリソースエレメント位置は、非制御領域のリソースエレメント位置であって良く、又は制御領域のリソースエレメント位置であって良い。本実施形態における方法の実装原理については、図９に示した実施形態のステップ８０１の方法の実装原理を参照する。詳細事項は、ここで再び記載されない。
【０４３６】
任意で、本実施形態では、プロセッサ４１が、ダウンリンク情報のセル固有周波数シフトに従いリソースエレメント位置の周波数ドメインインデックスｋを決定することは、プロセッサ４１が、式ｋ＝６ｍ’＋ＮＲＢｓｃｎＰＲＢ＋（ｋ’＋νｓｈｉｆｔ２）ｍｏｄ６；ｌ≠ｌ’’に従いリソースエレメント位置の周波数ドメインインデックスｋを決定し、ここで、ｍ’＝０又は１、ｋ’＝０又は３、
【０４３７】
【数３３６】
0006448850.tif 000126
ＮＲＢｓｃは周波数ドメインリソースブロックサイズであり、ｎＰＲＢは物理リソースブロック番号であり、ｎＰＲＢは正整数であり、νshift２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ＣＦＩは基地局により送信される物理制御フォーマット指示チャネルＰＣＦＩＣＨで伝達される制御フォーマット指示子情報であり、ｎｓはＴＴＩの位置するタイムスロットのインデックスであり、ｌはリソースエレメント位置の時間ドメインインデックスである、ことを含む。本方法を用いて決定されるリソースエレメント位置は、非制御領域のリソースエレメント位置だけであり得る。本実施形態における方法の実装原理については、図９に示した実施形態のステップ８０１の方法の実装原理を参照する。詳細事項は、ここで再び記載されない。
【０４３８】
任意で、ダウンリンク情報がＰＤＣＣＨ又はＥＰＤＣＣＨを含む場合、プロセッサ４１が、ダウンリンク情報のセル固有周波数シフトに従いリソースエレメント位置を決定することは、プロセッサ４１が、式
【０４３９】
【数３３９】
0006448850.tif 000127
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０又は１、
【０４４０】
【数３４０】
0006448850.tif 000128
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１又は２のうちのいずれか１つ又は組合せであり、シンボルはＯＦＤＭシンボル又はＳＣ−ＦＤＭＡシンボルである、ことを含む。本方法では、１タイムスロットの時間長以下のＴＴＩの範囲内で基地局により使用される周波数ドメインリソース又は時間ドメインリソースが、既存ＬＴＥシステムにおいて１ｍｓである期間のＴＴＩの範囲内で基地局により使用されるものと異なり得ることを考慮して、リソースエレメント位置は、非制御領域のリソースエレメント位置に設定されて良く、又は制御領域のリソースエレメント位置に設定されて良い。本実施形態における方法の実装原理については、図１０に示した実施形態の方法の実装原理を参照する。詳細事項は、ここで再び記載されない。
【０４４１】
任意で、ダウンリンク情報がＰＤＣＣＨ又はＥＰＤＣＣＨを含む場合、プロセッサ４１が、ダウンリンク情報のセル固有周波数シフトに従いリソースエレメント位置を決定することは、プロセッサ４１が、式
【０４４２】
【数３４３】
0006448850.tif 000129
に従いリソースエレメント位置の周波数ドメインインデックスｋを決定し、ＴＴＩに含まれるシンボルのインデックスをリソースエレメント位置の時間ドメインインデックスｌとして決定し、リソースエレメント位置の周波数ドメインインデックス及びリソースエレメント位置の時間ドメインインデックスに従いリソースエレメント位置を決定し、ここで、ｍ’＝０又は１、
【０４４３】
【数３４４】
0006448850.tif 000130
ｋ’＝０又は３、ＮＲＢｓｃは周波数ドメインリソースブロックサイズであり、ｎＰＲＢは物理リソースブロック番号であり、ｎＰＲＢは正整数であり、νｓｈｉｆｔ２はダウンリンク情報のセル固有周波数シフトであり、ｎは基地局により送信されるＣＲＳのために構成されるアンテナポート数であり、ＮＤＬｓｙｍｂは１ダウンリンクタイムスロット内のＯＦＤＭシンボル又はＳＣ−ＦＤＭＡシンボルの数であり、ｍ’’は−２，−１，１又は２のうちのいずれか１つ又は組合せであり、ＣＦＩは基地局により送信される物理制御フォーマット指示チャネルＰＣＦＩＣＨで伝達されるフォーマット指示子情報であり、ｎｓはＴＴＩの位置するタイムスロットのインデックスであり、シンボルはＯＦＤＭシンボル又はＳＣ−ＦＤＭＡシンボルである、ことを含む。本方法では、１タイムスロットの時間長以下のＴＴＩの範囲内で基地局により使用される周波数ドメインリソース又は時間ドメインリソースが、既存ＬＴＥシステムにおいて１ｍｓである期間のＴＴＩの範囲内で基地局により使用されるものと同じであり得ることを考慮して、リソースエレメント位置は、非制御領域のリソースエレメント位置にのみ設定できる。本実施形態における方法の実装原理については、図１０に示した実施形態の方法の実装原理を参照する。詳細事項は、ここで再び記載されない。
【０４４４】
任意で、プロセッサ４１は、式νｓｈｉｆｔ１＝ＮｃｅｌｌＩＤｍｏｄ６に従いＣＲＳのセル固有周波数シフトνｓｈｉｆｔ１を決定する。ここで、ＮｃｅｌｌＩＤはＵＥの位置するセルの物理レイヤセル識別子である。
【０４４５】
本実施形態で提供される基地局は、図７〜図１１Ｂに示した実施形態のうちのいずれか１つのダウンリンク情報処理方法の技術的ソリューションを実行するよう構成されて良く、その実装原理及び技術的効果は同様である。詳細事項は、ここで再び記載されない。
【０４４６】
本発明の実施形態は、図１４に示される実施形態において提供される任意のＵＥ及び図１５に示される実施形態において提供される任意の基地局を含む通信システムを更に提供する。
【０４４７】
本実施形態のＵＥは、図２〜図６Ｂに示される実施形態のうちのいずれか１つのダウンリンク情報処理方法の技術的ソリューションを実行するよう構成されて良く、本実施形態の基地局は、図７〜図１１Ａ及び図１１Ｂに示される実施形態のうちのいずれか１つのダウンリンク情報処理方法の技術的ソリューションを実行するよう構成されて良く、その実装原理及び技術的効果は同様である。詳細事項は、ここで再び記載されない。
【０４４８】
当業者は、方法の実施形態のステップの全部又は一部が関連するハードウェアに指示するプログラムにより実装されて良いことを理解する。プログラムは、コンピュータ可読記憶媒体に格納されて良い。プログラムが実行するとき、方法の実施形態のステップが実行される。前述の記憶媒体は、取り外し可能ハードディスク、読み出し専用メモリ（Read−Only  Memory、略してROM）、ランダムアクセスメモリ（Random  Access  Memory、略してRAM）、磁気ディスク又は光ディスクのような、プログラムコードを格納可能な任意の媒体を含む。
【０４４９】
最後に、留意すべきことに、前述の実施形態は、単に本発明の技術的ソリューションを説明するためであり、本発明の範囲を限定するためではない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【図１】
0006448850.tif 000141
【図２】
0006448850.tif 000142
【図３】
0006448850.tif 000143
【図４】
0006448850.tif 000144
【図５】
0006448850.tif 000145
【図６Ａ】
0006448850.tif 000146
【図６Ｂ】
0006448850.tif 000147
【図７】
0006448850.tif 000148
【図８】
0006448850.tif 000149
【図９】
0006448850.tif 000150
【図１０】
0006448850.tif 000151
【図１１Ａ】
0006448850.tif 000152
【図１１Ｂ】
0006448850.tif 000153
【図１２】
0006448850.tif 000154
【図１３】
0006448850.tif 000155
【図１４】
0006448850.tif 000156
【図１５】
0006448850.tif 000157